(57)【要約】本発明は、モバイル・コミュニケーション・テクノロジに、特に、モバイル協働型コミュニケーション方法及び装置に関係がある。方法において、ユニファイド・モビリティ・コーディネータＵＭＣユニットは、アプリケーションのアプリケーション・モーション・イベント情報を受信し、アプリケーションがネットワーク・エッジに位置し、ユーザ機器ＵＥのためのアプリケーション・サービスを提供するために使用され、ＵＭＣユニットは、ＵＥのＵＥモーション・イベント情報を受信し、ＵＭＣユニットは、アプリケーション・モーション・イベント情報及びＵＥモーション・イベント情報に基づき、ＵＥとアプリケーションとの間のパスを決定する。本発明の実施形態は、ＵＥとエッジ・アプリケーションとの間のルーティング構成を実装することができる。
2019511177.tif 000002
【特許請求の範囲】
【請求項１】
モバイル協働型コミュニケーション方法であって、
ユニファイド・モビリティ・コーディネータＵＭＣユニットによって、ネットワーク・エッジに位置し、ユーザ機器ＵＥのためのアプリケーション・サービスを提供するために使用されるアプリケーションのアプリケーション・モーション・イベント情報を受信することと、
前記ＵＭＣユニットによって、前記ＵＥのＵＥモーション・イベント情報を受信することと、
前記ＵＭＣユニットによって、前記アプリケーション・モーション・イベント情報及び前記ＵＥモーション・イベント情報に基づき、前記ＵＥと前記アプリケーションとの間のパスを決定することと
を有する方法。
【請求項２】
前記アプリケーション・モーション・イベント情報は、前記アプリケーションのＩＰアドレスを有し、前記ＵＥモーション・イベント情報は、ＵＥアタッチ・イベント情報であり、該ＵＥアタッチ・イベント情報は、前記ＵＥのＩＰアドレスを有し、
前記ＵＭＣユニットによって、前記アプリケーション・モーション・イベント情報及び前記ＵＥモーション・イベント情報に基づき、前記ＵＥと前記アプリケーションとの間のパスを決定することは、
前記ＵＭＣユニットによって、前記ＵＥのＩＰアドレスと該ＵＥに割り当てられている第１ユーザ・プレーン・ゲートウェイＵＧＷのポートとの間の第１マッピング関係と、前記アプリケーションのＩＰアドレスと該アプリケーションによってアクセスされる第２ＵＧＷのポートとの間の第２マッピング関係とを決定し、前記第１ＵＧＷ及び前記第２ＵＧＷが同じＵＧＷ又は異なるＵＧＷであることと、
前記ＵＭＣユニットによって、前記第１マッピング関係及び前記第２マッピング関係に基づき、前記ＵＥと前記アプリケーションとの間のパスを決定することと
を有する、
請求項１に記載の方法。
【請求項３】
前記アプリケーション・モーション・イベント情報は、アプリケーション開始イベント情報であり、該アプリケーション開始イベント情報は、前記アプリケーションの識別子、前記アプリケーションのＩＰアドレス、及び前記アプリケーションの位置情報を有し、当該方法は、
前記ＵＭＣユニットによって、前記アプリケーションの位置情報に基づき、前記第２ＵＧＷ及び該第２ＵＧＷのポートを前記アプリケーションに割り当てることと、
前記ＵＭＣユニットによって、前記アプリケーション及び前記第２ＵＧＷを接続するために使用される第１要求メッセージをコントロール・プレーン・ゲートウェイＣＧＷへ送信することと、
前記ＵＭＣユニットによって、前記アプリケーションから前記第２ＵＧＷへのパスを決定するためにクラウド・コントローラによって使用される第１アクセス規則を該クラウド・コントローラへ送信することと
を更に有する、
請求項２に記載の方法。
【請求項４】
前記ＵＭＣユニットによって前記アプリケーションのアプリケーション・モーション・イベント情報を受信することは、
前記ＵＭＣユニットによって、前記クラウド・コントローラによって送信された前記アプリケーション開始イベント情報を受信すること
を有し、
前記ＵＭＣユニットによって、前記クラウド・コントローラによって送信された前記アプリケーション開始イベント情報を受信することより前に、当該方法は、
前記ＵＭＣユニットによって、前記アプリケーションを開始するよう要求するために使用される開始要求メッセージを前記クラウド・コントローラへ送信して、該クラウド・コントローラが、エッジ・クラウド・サーバに前記アプリケーションを開始するよう指示するために使用される開始コマンドを該エッジ・クラウド・サーバへ送信するようにすること
を更に有する、
請求項３に記載の方法。
【請求項５】
前記ＵＭＣユニットによって前記第１マッピング関係を決定した後に、当該方法は、
前記ＵＭＣユニットによって、前記ＣＧＷによって送信された第１通知メッセージを受信すること
を更に有し、
前記第１通知メッセージは、前記ＵＥのユーザ・プレーン・サービス・パケットが到着することを示すために使用され、前記第１通知メッセージは、前記ユーザ・プレーン・サービス・パケットのフロー特性情報を運び、
前記ＵＭＣユニットによって、前記第１マッピング関係及び前記第２マッピング関係に基づき、前記ＵＥと前記アプリケーションとの間のパスを決定することは、
前記ＵＭＣユニットによって、前記第１マッピング関係、前記第２マッピング関係、及び前記ユーザ・プレーン・サービス・パケットの前記フロー特性情報に基づき、前記ＵＥと前記アプリケーションとの間の、ＵＧＷスイッチング・プレーン上のパスを決定すること
を有する、
請求項２乃至４のうちいずれか一項に記載の方法。
【請求項６】
前記ＵＭＣユニットによって前記ＵＥと前記アプリケーションとの間のパスを決定した後に、当該方法は、
前記ＵＭＣユニットによって、前記ＵＥと前記アプリケーションとの間のパスを伝える第１更新要求メッセージを前記ＣＧＷへ送信して、該ＣＧＷが、前記第１ＵＧＷにおける前記ＵＥのためのアクセス・ポートと前記第２ＵＧＷにおける前記アプリケーションのためのアクセス・ポートとの間のパスを確立するよう、前記ＵＥと前記アプリケーションとの間のパスに基づき、ユーザ・プレーン・パケット転送規則を前記第１ＵＧＷ及び前記第２ＵＧＷへ送るようにすること
を更に有する、
請求項２乃至５のうちいずれか一項に記載の方法。
【請求項７】
当該方法は、
前記ＵＭＣユニットによって、前記アプリケーションのＩＰアドレス及び該アプリケーションの新しい位置情報を運ぶ、前記クラウド・コントローラによって送信された前記アプリケーション・モーション・イベント情報を受信することと、
前記ＵＭＣユニットによって、前記アプリケーションのＩＰアドレス及び該アプリケーションの前記新しい位置情報に基づき、第３ＵＧＷ及び該第３ＵＧＷにアクセスするためのポートを前記アプリケーションに割り当てることと、
前記ＵＭＣユニットによって、前記アプリケーションから前記第３ＵＧＷへのパスを構成するために前記クラウド・コントローラによって使用され、更には、前記アプリケーションから前記第２ＵＧＷへのパスを削除するために前記クラウド・コントローラによって使用される、前記アプリケーションによって前記第３ＵＧＷにアクセスするための第２アクセス規則を前記クラウド・コントローラへ送信することと、
前記ＵＭＣユニットによって、前記アプリケーション及び前記第３ＵＧＷを接続するために使用される第２要求メッセージを前記ＣＧＷへ送信することと
を更に有する、
請求項２乃至６のうちいずれか一項に記載の方法。
【請求項８】
前記ＵＥアタッチ・イベント情報は、前記ＣＧＷを使用することによって受信される情報であり、前記ＵＥアタッチ・イベント情報は、前記ＵＥによってアクセスされる基地局のＩＰアドレスを更に有し、前記ＣＧＷは、第２インターフェイスを使用することによって前記ＵＭＣユニットへ接続され、前記ＣＧＷは、ＭＭＥへ更に接続され、前記ＵＭＣユニットは、第１インターフェイスを使用することによって前記クラウド・コントローラへ接続され、あるいは、
前記ＵＭＣユニットの機能ユニット及び前記ＣＧＷの機能ユニットは、一体化され、前記ＵＭＣユニットの機能ユニットは、第１インターフェイスを使用することによって前記クラウド・コントローラへ接続され、前記ＣＧＷの機能ユニットは、ｓ１１インターフェイスを使用することによって前記ＭＭＥへ接続され、
前記ＵＭＣユニットによって、前記ＵＥのＩＰアドレスと該ＵＥに割り当てられている第１ユーザ・プレーン・ゲートウェイＵＧＷのポートとの間の第１マッピング関係を決定することは、
前記ＵＭＣユニットによって、前記ＵＥのＩＰアドレス及び該ＵＥによってアクセスされる前記基地局のＩＰアドレスを前記ＣＧＷへ送信して、該ＣＧＷが、前記第１ＵＧＷ及び該第１ＵＧＷにアクセスするためのポートを前記ＵＥに割り当てるようにすること、及び
前記ＵＭＣユニットによって、前記ＣＧＷによって送信される、前記第１ＵＧＷにおけるポートを前記ＵＥへ割り当てる通知メッセージを受信すること、
又は
前記ＵＭＣユニットによって、前記第１ＵＧＷ及び該第１ＵＧＷにアクセスするためのポートを前記ＵＥに割り当てると決定すること、及び
前記ＵＭＣユニットによって、前記ＵＥに割り当てられた前記第１ＵＧＷにおけるポートに関する情報を前記ＣＧＷへ送信して、該ＣＧＷが、前記ＵＥのための前記第１ＵＧＷのベアラを確立するようにすること
を有する、
請求項２乃至７のうちいずれか一項に記載の方法。
【請求項９】
当該方法は、
前記ＵＭＣユニットによって、前記ＵＥのＩＰアドレス及び対象基地局のＩＰアドレスを運ぶ、前記ＣＧＷによって送信されたＵＥ位置モーション・イベント情報を受信することと、
前記ＵＭＣユニットによって、前記ＵＥのＩＰアドレス及び前記対象基地局のＩＰアドレスに基づき、第４ＵＧＷを前記ＵＥに割り当てることと、
前記ＵＭＣユニットによって、前記第４ＵＧＷのＩＰアドレスを運ぶゲートウェイ再選択要求メッセージを前記ＣＧＷへ送信して、該ＣＧＷが前記ＵＥ及び前記対象基地局を接続し、前記対象基地局と前記第４ＵＧＷとの間にＧＴＰトンネルを確立するようにすることと、
前記ＵＭＣユニットによって、前記ＣＧＷによって送信される前記ＵＥのゲートウェイ再選択完了メッセージを受信することと、
前記ＵＭＣユニットによって、前記ＵＥのＩＰアドレスとＵＧＷとの間のマッピング関係を更新することと、
前記ＵＭＣユニットによって、セットアップされた前記ＵＥに対応するサービス・コンテキストに基づき、前記ＵＥと前記アプリケーションとの間の、前記ＵＧＷスイッチング・プレーン上のパスを再決定することと、
前記ＵＭＣユニットによって、前記ＵＥと前記アプリケーションとの間の、前記ＵＧＷスイッチング・プレーン上の前記再決定されたパスを伝える、ユーザ・プレーン・パスを更新するための第２更新要求メッセージを前記ＣＧＷへ送信して、該ＣＧＷが、前記第４ＵＧＷにおける前記ＵＥのためのアクセス・ポートと前記アプリケーションのための前記ＵＧＷアクセス・ポートとの間のパスを確立し、前記第１ＵＧＷにおける前記ＵＥのためのアクセス・ポートと前記アプリケーションのための前記ＵＧＷアクセス・ポートとの間のパスを削除するために、前記ＵＥと前記アプリケーションとの間の、前記ＵＧＷスイッチング・プレーン上の前記再決定されたパスをユーザ・プレーン・パケット転送規則に変換するようにすることと
を更に有する、
請求項８に記載の方法。
【請求項１０】
前記ＵＥアタッチ・イベント情報は、ＭＭＥを使用することによって受信される情報であって、該ＭＭＥは、第３インターフェイスを使用することによって前記ＵＭＣユニットへ接続され、該ＵＭＣユニットは、第２インターフェイスを使用することによって前記ＣＧＷへ接続され、前記ＵＭＣユニットは、第１インターフェイスを使用することによって前記クラウド・コントローラへ接続され、あるいは、
前記ＵＭＣユニットの機能ユニット及び前記ＭＭＥの機能ユニットは、一体化され、前記ＵＭＣユニットの機能ユニットは、第１インターフェイスを使用することによって前記クラウド・コントローラへ接続され、前記ＭＭＥの機能ユニットは、ｓ１１インターフェイスを使用することによって前記ＣＧＷへ接続され、あるいは、
前記ＭＭＥの機能ユニット及び前記ＣＧＷの機能ユニットは、ＭＣＰにおいて一体化され、前記ＵＭＣユニットは、前記ＭＣＰにおいて組み込まれ、
前記ＵＭＣユニットによって、前記ＵＥのＩＰアドレスと該ＵＥに割り当てられている第１ユーザ・プレーン・ゲートウェイＵＧＷのポートとの間の第１マッピング関係を決定することは、
前記ＵＭＣユニットによって、前記第１ＵＧＷ及び該第１ＵＧＷにアクセスするためのポートを前記ＵＥに割り当てると決定すること、及び
前記ＵＭＣユニットによって、前記ＵＥに割り当てられた前記第１ＵＧＷにおけるポートに関する情報を前記ＭＭＥへ送信して、該ＭＭＥが、前記ＵＥのための前記第１ＵＧＷのベアラを確立するために前記ＣＧＷによって使用されるセッション生成要求を前記ＣＧＷへ送信するようにすること、
又は
前記ＵＭＣユニットによって、前記ＭＭＥによって前記ＵＥに割り当てられた前記第１ＵＧＷのポート・メッセージを運ぶ、前記ＭＭＥによって送信された前記ＵＥアタッチ・イベント情報を受信すること
を有する、
請求項２乃至７のうちいずれか一項に記載の方法。
【請求項１１】
当該方法は、
前記ＵＭＣユニットによって、前記ＵＥのＩＰアドレス及び対象基地局のＩＰアドレスを運ぶ、前記ＭＭＥによって送信されたＵＥ位置モーション・イベント情報を受信することと、
前記ＵＭＣユニットによって、前記ＵＥの前記対象基地局のＩＰアドレス及び前記ＵＥに関連したサービス・コンテキストに基づき、第４ＵＧＷを前記ＵＥに割り当てることと、
前記ＵＭＣユニットによって、前記第４ＵＧＷのＩＰを運ぶゲートウェイ再選択要求メッセージを前記ＭＭＥへ送信して、該ＭＭＥが前記ＵＥ及び前記対象基地局を接続し、前記ＣＧＷを使用することによって前記対象基地局と前記第４ＵＧＷとの間にＧＴＰトンネルを確立するようにすることと、
前記ＵＭＣユニットによって、前記ＭＭＥによって送信される前記ＵＥのゲートウェイ再選択完了メッセージを受信することと、
前記ＵＭＣユニットによって、前記ＵＥのＩＰアドレスと前記第４ＵＧＷとの間のマッピング関係を更新することと、
前記ＵＭＣユニットによって、セットアップされた前記ＵＥに対応する前記サービス・コンテキストに基づき、前記ＵＥと前記アプリケーションとの間の、前記ＵＧＷスイッチング・プレーン上のパスを再決定することと、
前記ＵＭＣユニットによって、前記ＵＥと前記アプリケーションとの間の、前記ＵＧＷスイッチング・プレーン上の前記再決定されたパスを伝える、ユーザ・プレーン・パスを更新するための第３更新要求メッセージを前記ＣＧＷへ送信して、該ＣＧＷが、前記第４ＵＧＷにおける前記ＵＥのためのアクセス・ポートと前記アプリケーションのための前記ＵＧＷアクセス・ポートとの間のパスを確立し、前記第１ＵＧＷにおける前記ＵＥのためのアクセス・ポートと前記アプリケーションのための前記ＵＧＷアクセス・ポートとの間のパスを削除するために、前記ＵＥと前記アプリケーションとの間の、前記ＵＧＷスイッチング・プレーン上の前記再決定されたパスをユーザ・プレーン・パケット転送規則に変換するようにすることと
を更に有する、
請求項１０に記載の方法。
【請求項１２】
前記ＵＭＣユニットによって前記ＵＥアタッチ・イベント情報を受信することは、
前記ＵＭＣユニットによって、ＭＭＥによって送信された第１セッション生成要求メッセージを受信し、前記ＭＭＥが、Ｓ１１インターフェイスを使用することによって前記ＵＭＣユニットへ接続され、該ＵＭＣユニットが、第１インターフェイスを使用することによって前記クラウド・コントローラへ接続され、前記ＵＭＣユニットが、第２インターフェイスを使用することによって前記ＣＧＷへ接続されることと、
前記ＵＭＣユニットによって、前記第１セッション生成要求メッセージに基づき、前記ＵＥアタッチ・イベント情報を取得することと
を有し、
前記ＵＭＣユニットによって、前記ＵＥのＩＰアドレスと該ＵＥに割り当てられている第１ユーザ・プレーン・ゲートウェイＵＧＷのポートとの間の第１マッピング関係を決定することは、
前記ＵＭＣユニットによって、前記ＵＥによってアクセスされる基地局のＩＰアドレスに基づき、前記第１ＵＧＷ及び該第１ＵＧＷにアクセスするためのポートを前記ＵＥに割り当てること
を有する、
請求項２乃至７のうちいずれか一項に記載の方法。
【請求項１３】
当該方法は、
前記ＵＭＣユニットによって、前記ＭＭＥによって送信された第２セッション生成要求メッセージを受信し、該第２セッション生成要求メッセージは、前記ＭＭＥが前記ＵＥの前記ソース基地局からＵＥ基地局ハンドオーバー要求メッセージを受信した後に、前記ＵＭＣユニットへ送信されることと、
前記ＵＭＣによって、前記ＵＥのＩＰアドレス及び対象基地局のＩＰアドレスを運ぶＵＥ位置モーション・イベント情報を、前記第２セッション生成要求メッセージに基づきパースすることと、
前記ＵＭＣユニットによって、前記ＵＥのＩＰアドレス及び前記対象基地局のＩＰアドレスに基づき、第４ＵＧＷを前記ＵＥに割り当てることと、
前記ＵＭＣユニットによって、前記第４ＵＧＷのＩＰを運ぶ第３セッション生成要求メッセージを前記ＣＧＷへ送信して、該ＣＧＷが前記ＵＥ及び前記対象基地局を接続し、前記対象基地局と前記第４ＵＧＷとの間にＧＴＰトンネルを確立するようにすることと、
前記ＵＭＣユニットによって、前記ＣＧＷによって送信されたＵＥベアラ変更応答メッセージを受信することと、
前記ＵＭＣユニットによって、前記ＵＥベアラ変更応答メッセージに基づき、前記ＵＥが前記第４ＵＧＷの再選択を完了すると決定することと、
前記ＵＭＣユニットによって、前記ＵＥのＩＰアドレスと前記第４ＵＧＷとの間のマッピング関係を更新することと、
前記ＵＭＣユニットによって、セットアップされた前記ＵＥに対応するサービス・コンテキストに基づき、前記ＵＥと前記アプリケーションとの間の、前記ＵＧＷスイッチング・プレーン上のパスを再決定することと、
前記ＵＭＣユニットによって、前記ＵＥと前記アプリケーションとの間の、前記ＵＧＷスイッチング・プレーン上の前記再決定されたパスを伝える、ユーザ・プレーン・パスを更新するための第４更新要求メッセージを前記ＣＧＷへ送信して、該ＣＧＷが、前記第４ＵＧＷにおける前記ＵＥのためのアクセス・ポートと前記アプリケーションのための前記ＵＧＷアクセス・ポートとの間のパスを確立し、前記第１ＵＧＷにおける前記ＵＥのためのアクセス・ポートと前記アプリケーションのための前記ＵＧＷアクセス・ポートとの間のパスを削除するために、前記ＵＥと前記アプリケーションとの間の、前記ＵＧＷスイッチング・プレーン上の前記再決定されたパスをユーザ・プレーン・パケット転送規則に変換するようにすることと
を更に有する、
請求項１２に記載の方法。
【請求項１４】
前記ＵＭＣユニットによって前記ＵＥアタッチ・イベント情報を受信することより前に、
前記ＵＭＣユニットによって、前記ＣＧＷによって送信されたアプリケーション・アクセス・イベント情報を受信し、該アプリケーション・アクセス・イベント情報は、前記第２ＵＧＷからのアプリケーション・ユーザ・プレーン・データに基づき前記ＣＧＷによって取得され、前記アプリケーション・アクセス・イベント情報は、前記アプリケーションのＩＰアドレス及び前記第２ＵＧＷのポートＩＰを運ぶことと、
前記ＵＭＣユニットが前記ＵＥアタッチ・イベント情報を受信した後に、前記ＵＭＣユニットによって、前記ＣＧＷによって送信された第２通知メッセージを受信し、該第２通知メッセージは、前記ＵＥのユーザ・プレーン・サービス・パケットが到着することを示すために使用され、前記第２通知メッセージは、前記ユーザ・プレーン・サービス・パケットのフロー識別子情報を運ぶことと、
前記ＵＭＣユニットによって、前記フロー識別子情報に基づき、前記ユーザ・プレーン・サービス・パケットが新しいサービスに関連したパケットであると決定し、前記ＵＥ及び前記アプリケーションに対応するサービス・コンテキストをセットアップすることと
を更に有し、
前記ＵＭＣユニットによって、前記第１マッピング関係及び前記第２マッピング関係に基づき、前記ＵＥと前記アプリケーションとの間のパスを決定することは、
前記ＵＭＣユニットによって、前記第１マッピング関係、前記第２マッピング関係、及び前記ユーザ・プレーン・サービス・パケットのフロー特性情報に基づき、前記ＵＥと前記アプリケーションとの間の、ＵＧＷスイッチング・プレーン上のパスを決定すること
を有する、
請求項２に記載の方法。
【請求項１５】
当該方法は、
前記ＵＭＣユニットによって、前記ＣＧＷによって送信された前記アプリケーション・モーション・イベント情報を受信し、該アプリケーション・モーション・イベント情報は、前記ＣＧＷが、転送規則が定義されていない、第３ＵＧＷによって送信される前記アプリケーションのデータ・パケットを受信し、且つ、予め設定された規則に基づき、前記アプリケーションがマイグレートされると決定した後に、送信され、前記アプリケーション・モーション・イベント情報は、前記アプリケーションのＩＰアドレスと、前記アプリケーションのデータ・パケットを受信する前記第３ＵＧＷのポートＩＰとを運ぶことと、
前記ＵＭＣユニットによって、前記アプリケーションのＩＰアドレスと、前記アプリケーションのデータ・パケットを受信する前記第３ＵＧＷのポートＩＰとに基づき、前記アプリケーションが動くと決定することと、
前記ＵＭＣユニットによって、前記アプリケーションのＩＰアドレスとＵＧＷにおけるポートとの間のマッピング関係を更新することと、
前記ＵＭＣユニットによって、前記アプリケーションのＩＰアドレスと前記第３ＵＧＷにおけるポートとの間の第３マッピング関係と、前記ＵＥのＩＰアドレスと前記第１ＵＧＷとの間の前記第１マッピング関係とに基づき、前記ＵＥと前記アプリケーションとの間のパスを再決定することと
を更に有する、
請求項１４に記載の方法。
【請求項１６】
モバイル協働型コミュニケーション装置であって、
処理モジュール及び通信モジュールを有し、
前記処理モジュールは、
ネットワーク・エッジに位置し、ユーザ機器ＵＥのためのアプリケーション・サービスを提供するために使用されるアプリケーションのアプリケーション・モーション・イベント情報を、前記通信モジュールを使用することによって受信し、
前記ＵＥのＵＥモーション・イベント情報を、前記通信モジュールを使用することによって受信し、
前記アプリケーション・モーション・イベント情報及び前記ＵＥモーション・イベント情報に基づき、前記ＵＥと前記アプリケーションとの間のパスを決定する
するよう構成される、
装置。
【請求項１７】
前記アプリケーション・モーション・イベント情報は、前記アプリケーションのＩＰアドレスを有し、前記ＵＥモーション・イベント情報は、ＵＥアタッチ・イベント情報であり、該ＵＥアタッチ・イベント情報は、前記ＵＥのＩＰアドレスを有し、
前記処理モジュールは、
前記ＵＥのＩＰアドレスと該ＵＥに割り当てられている第１ユーザ・プレーン・ゲートウェイＵＧＷのポートとの間の第１マッピング関係と、前記アプリケーションのＩＰアドレスと該アプリケーションによってアクセスされる第２ＵＧＷのポートとの間の第２マッピング関係とを決定し、前記第１ＵＧＷ及び前記第２ＵＧＷが同じＵＧＷ又は異なるＵＧＷであり、
前記第１マッピング関係及び前記第２マッピング関係に基づき、前記ＵＥと前記アプリケーションとの間のパスを決定する
よう特に構成される、
請求項１６に記載の装置。
【請求項１８】
前記アプリケーション・モーション・イベント情報は、アプリケーション開始イベント情報であり、該アプリケーション開始イベント情報は、前記アプリケーションの識別子、前記アプリケーションのＩＰアドレス、及び前記アプリケーションの位置情報を有し、
前記処理モジュールは、
前記アプリケーションの位置情報に基づき、前記第２ＵＧＷ及び該第２ＵＧＷのポートを前記アプリケーションに割り当て、
前記アプリケーション及び前記第２ＵＧＷを接続するために使用される第１要求メッセージを、前記通信モジュールを使用することによって、コントロール・プレーン・ゲートウェイＣＧＷへ送信し、
前記アプリケーションから前記第２ＵＧＷへのパスを決定するためにクラウド・コントローラによって使用される第１アクセス規則を、前記通信モジュールを使用することによって、前記クラウド・コントローラへ送信する
よう更に構成される、
請求項１７に記載の装置。
【請求項１９】
前記処理モジュールは、前記クラウド・コントローラによって送信された前記アプリケーション開始イベント情報を、前記通信モジュールを使用することによって受信するよう特に構成され、
前記処理モジュールは、前記アプリケーションを開始するよう要求するために使用される開始要求メッセージを、前記通信モジュールを使用することによって、前記クラウド・コントローラへ送信して、該クラウド・コントローラが、エッジ・クラウド・サーバに前記アプリケーションを開始するよう指示するために使用される開始コマンドを該エッジ・クラウド・サーバへ送信するようにするよう更に構成される、
請求項１８に記載の装置。
【請求項２０】
前記処理モジュールは、前記ＣＧＷによって送信された第１通知メッセージを、前記通信モジュールを使用することによって受信するよう更に構成され、
前記第１通知メッセージは、前記ＵＥのユーザ・プレーン・サービス・パケットが到着することを示すために使用され、前記第１通知メッセージは、前記ユーザ・プレーン・サービス・パケットのフロー特性情報を運び、
前記処理モジュールは、前記第１マッピング関係、前記第２マッピング関係、及び前記ユーザ・プレーン・サービス・パケットの前記フロー特性情報に基づき、前記ＵＥと前記アプリケーションとの間の、ＵＧＷスイッチング・プレーン上のパスを決定するよう特に構成される、
請求項１７乃至１９のうちいずれか一項に記載の装置。
【請求項２１】
前記処理モジュールは、
前記ＵＥと前記アプリケーションとの間のパスを伝える第１更新要求メッセージを、前記通信モジュールを使用することによって、前記ＣＧＷへ送信して、該ＣＧＷが、前記第１ＵＧＷにおける前記ＵＥのためのアクセス・ポートと前記第２ＵＧＷにおける前記アプリケーションのためのアクセス・ポートとの間のパスを確立するよう、前記ＵＥと前記アプリケーションとの間のパスに基づき、ユーザ・プレーン・パケット転送規則を前記第１ＵＧＷ及び前記第２ＵＧＷへ送るようにする
よう更に構成される、
請求項１７乃至２０のうちいずれか一項に記載の装置。
【請求項２２】
前記処理モジュールは、
前記アプリケーションのＩＰアドレス及び該アプリケーションの新しい位置情報を運ぶ、前記クラウド・コントローラによって送信された前記アプリケーション・モーション・イベント情報を、前記通信モジュールを使用することによって受信し、
前記アプリケーションのＩＰアドレス及び該アプリケーションの前記新しい位置情報に基づき、第３ＵＧＷ及び該第３ＵＧＷにアクセスするためのポートを前記アプリケーションに割り当て、
前記アプリケーションから前記第３ＵＧＷへのパスを構成するために前記クラウド・コントローラによって使用され、更には、前記アプリケーションから前記第２ＵＧＷへのパスを削除するために前記クラウド・コントローラによって使用される、前記アプリケーションによって前記第３ＵＧＷにアクセスするための第２アクセス規則を、前記通信モジュールを使用することによって、前記クラウド・コントローラへ送信し、
前記アプリケーション及び前記第３ＵＧＷを接続するために使用される第２要求メッセージを、前記通信モジュールを使用することによって、前記ＣＧＷへ送信する
よう更に構成される、
請求項１７乃至２１のうちいずれか一項に記載の装置。
【請求項２３】
前記ＵＥアタッチ・イベント情報は、前記ＣＧＷを使用することによって受信される情報であり、前記ＵＥアタッチ・イベント情報は、前記ＵＥによってアクセスされる基地局のＩＰアドレスを更に有し、前記ＣＧＷは、第２インターフェイスを使用することによって当該装置へ接続され、前記ＣＧＷは、ＭＭＥへ更に接続され、当該装置は、第１インターフェイスを使用することによって前記クラウド・コントローラへ接続され、あるいは、
当該装置の機能ユニット及び前記ＣＧＷの機能ユニットは、一体化され、当該装置の機能ユニットは、第１インターフェイスを使用することによって前記クラウド・コントローラへ接続され、前記ＣＧＷの機能ユニットは、ｓ１１インターフェイスを使用することによって前記ＭＭＥへ接続され、
前記処理モジュールは、
前記ＵＥのＩＰアドレス及び該ＵＥによってアクセスされる前記基地局のＩＰアドレスを、前記通信モジュールを使用することによって、前記ＣＧＷへ送信して、該ＣＧＷが、前記第１ＵＧＷ及び該第１ＵＧＷにアクセスするためのポートを前記ＵＥに割り当てるようにし、
前記ＣＧＷによって送信される、前記第１ＵＧＷにおけるポートを前記ＵＥへ割り当てる通知メッセージを受信する
よう特に構成され、あるいは、
前記処理モジュールは、
前記第１ＵＧＷ及び該第１ＵＧＷにアクセスするためのポートを前記ＵＥに割り当てると決定し、
前記ＵＥに割り当てられた前記第１ＵＧＷにおけるポートに関する情報を、前記通信モジュールを使用することによって、前記ＣＧＷへ送信して、該ＣＧＷが、前記ＵＥのための前記第１ＵＧＷのベアラを確立するようにする
よう特に構成される、
請求項１７乃至２２のうちいずれか一項に記載の装置。
【請求項２４】
前記処理モジュールは、
前記ＵＥのＩＰアドレス及び対象基地局のＩＰアドレスを運ぶ、前記ＣＧＷによって送信されたＵＥ位置モーション・イベント情報を、前記通信モジュールを使用することによって受信し、
前記ＵＥのＩＰアドレス及び前記対象基地局のＩＰアドレスに基づき、第４ＵＧＷを前記ＵＥに割り当て、
前記第４ＵＧＷのＩＰアドレスを運ぶゲートウェイ再選択要求メッセージを、前記通信モジュールを使用することによって、前記ＣＧＷへ送信して、該ＣＧＷが前記ＵＥ及び前記対象基地局を接続し、前記対象基地局と前記第４ＵＧＷとの間にＧＴＰトンネルを確立するようにし、
前記ＣＧＷによって送信される前記ＵＥのゲートウェイ再選択完了メッセージを、前記通信モジュールを使用することによって受信し、
前記ＵＥのＩＰアドレスとＵＧＷとの間のマッピング関係を更新し、
セットアップされた前記ＵＥに対応するサービス・コンテキストに基づき、前記ＵＥと前記アプリケーションとの間の、前記ＵＧＷスイッチング・プレーン上のパスを再決定し、
前記ＵＥと前記アプリケーションとの間の、前記ＵＧＷスイッチング・プレーン上の前記再決定されたパスを伝える、ユーザ・プレーン・パスを更新するための第２更新要求メッセージを、前記通信モジュールを使用することによって、前記ＣＧＷへ送信して、該ＣＧＷが、前記第４ＵＧＷにおける前記ＵＥのためのアクセス・ポートと前記アプリケーションのための前記ＵＧＷアクセス・ポートとの間のパスを確立し、前記第１ＵＧＷにおける前記ＵＥのためのアクセス・ポートと前記アプリケーションのための前記ＵＧＷアクセス・ポートとの間のパスを削除するために、前記ＵＥと前記アプリケーションとの間の、前記ＵＧＷスイッチング・プレーン上の前記再決定されたパスをユーザ・プレーン・パケット転送規則に変換するようにする
よう更に構成される、
請求項２３に記載の装置。
【請求項２５】
前記ＵＥアタッチ・イベント情報は、ＭＭＥを使用することによって受信される情報であって、該ＭＭＥは、第３インターフェイスを使用することによって当該装置へ接続され、当該装置は、第２インターフェイスを使用することによって前記ＣＧＷへ接続され、当該装置は、第１インターフェイスを使用することによって前記クラウド・コントローラへ接続され、あるいは、
当該装置の機能ユニット及び前記ＭＭＥの機能ユニットは、一体化され、当該装置の機能ユニットは、第１インターフェイスを使用することによって前記クラウド・コントローラへ接続され、前記ＭＭＥの機能ユニットは、ｓ１１インターフェイスを使用することによって前記ＣＧＷへ接続され、あるいは、
前記ＭＭＥの機能ユニット及び前記ＣＧＷの機能ユニットは、ＭＣＰにおいて一体化され、当該装置は、前記ＭＣＰにおいて組み込まれ、
前記処理モジュールは、
前記第１ＵＧＷ及び該第１ＵＧＷにアクセスするためのポートを前記ＵＥに割り当てると決定し、
前記ＵＥに割り当てられた前記第１ＵＧＷにおけるポートに関する情報を、前記通信モジュールを使用することによって、前記ＭＭＥへ送信して、該ＭＭＥが、前記ＵＥのための前記第１ＵＧＷのベアラを確立するために前記ＣＧＷによって使用されるセッション生成要求を前記ＣＧＷへ送信するようにする
よう特に構成され、あるいは、
前記処理モジュールは、前記ＭＭＥによって前記ＵＥに割り当てられた前記第１ＵＧＷのポート・メッセージを運ぶ、前記ＭＭＥによって送信された前記ＵＥアタッチ・イベント情報を、前記通信モジュールを使用することによって受信するよう特に構成される、
請求項１７至２２のうちいずれか一項に記載の装置。
【請求項２６】
前記処理モジュールは、
前記ＵＥのＩＰアドレス及び対象基地局のＩＰアドレスを運ぶ、前記ＭＭＥによって送信されたＵＥ位置モーション・イベント情報を、前記通信モジュールを使用することによって受信し、
前記ＵＥの前記対象基地局のＩＰアドレス及び前記ＵＥに関連したサービス・コンテキストに基づき、第４ＵＧＷを前記ＵＥに割り当て、
前記第４ＵＧＷのＩＰを運ぶゲートウェイ再選択要求メッセージを、前記通信モジュールを使用することによって、前記ＭＭＥへ送信して、該ＭＭＥが前記ＵＥ及び前記対象基地局を接続し、前記ＣＧＷを使用することによって前記対象基地局と前記第４ＵＧＷとの間にＧＴＰトンネルを確立するようにし、
前記ＭＭＥによって送信される前記ＵＥのゲートウェイ再選択完了メッセージを、前記通信モジュールを使用することによって受信し、
前記ＵＥのＩＰアドレスと前記第４ＵＧＷとの間のマッピング関係を更新し、
セットアップされた前記ＵＥに対応する前記サービス・コンテキストに基づき、前記ＵＥと前記アプリケーションとの間の、前記ＵＧＷスイッチング・プレーン上のパスを再決定し、
前記ＵＥと前記アプリケーションとの間の、前記ＵＧＷスイッチング・プレーン上の前記再決定されたパスを伝える、ユーザ・プレーン・パスを更新するための第３更新要求メッセージを、前記通信モジュールを使用することによって、前記ＣＧＷへ送信して、該ＣＧＷが、前記第４ＵＧＷにおける前記ＵＥのためのアクセス・ポートと前記アプリケーションのための前記ＵＧＷアクセス・ポートとの間のパスを確立し、前記第１ＵＧＷにおける前記ＵＥのためのアクセス・ポートと前記アプリケーションのための前記ＵＧＷアクセス・ポートとの間のパスを削除するために、前記ＵＥと前記アプリケーションとの間の、前記ＵＧＷスイッチング・プレーン上の前記再決定されたパスをユーザ・プレーン・パケット転送規則に変換するようにする
よう更に構成される、
請求項２５に記載の装置。
【請求項２７】
前記処理モジュールは、
ＭＭＥによって送信された第１セッション生成要求メッセージを、前記通信モジュールを使用することによって受信し、前記ＭＭＥが、Ｓ１１インターフェイスを使用することによって前記ＵＭＣユニットへ接続され、当該装置が、第１インターフェイスを使用することによって前記クラウド・コントローラへ接続され、当該装置が、第２インターフェイスを使用することによって前記ＣＧＷへ接続され、
前記第１セッション生成要求メッセージに基づき、前記ＵＥアタッチ・イベント情報を取得し、
前記ＵＥによってアクセスされる基地局のＩＰアドレスに基づき、前記第１ＵＧＷ及び該第１ＵＧＷにアクセスするためのポートを前記ＵＥに割り当てる
よう特に構成される、
請求項１７乃至２２のうちいずれか一項に記載の装置。
【請求項２８】
前記処理モジュールは、
前記ＭＭＥによって送信された第２セッション生成要求メッセージを、前記通信モジュールを使用することによって受信し、該第２セッション生成要求メッセージは、前記ＭＭＥが前記ＵＥの前記ソース基地局からＵＥ基地局ハンドオーバー要求メッセージを受信した後に、当該装置へ送信され、
前記ＵＥのＩＰアドレス及び対象基地局のＩＰアドレスを運ぶＵＥ位置モーション・イベント情報を、前記第２セッション生成要求メッセージに基づきパースし、
前記ＵＥのＩＰアドレス及び前記対象基地局のＩＰアドレスに基づき、第４ＵＧＷを前記ＵＥに割り当て、
前記第４ＵＧＷのＩＰを運ぶ第３セッション生成要求メッセージを、前記通信モジュールを使用することによって、前記ＣＧＷへ送信して、該ＣＧＷが前記ＵＥ及び前記対象基地局を接続し、前記対象基地局と前記第４ＵＧＷとの間にＧＴＰトンネルを確立するようにし、
前記ＣＧＷによって送信されたＵＥベアラ変更応答メッセージを、前記通信モジュールを使用することによって受信し、
前記ＵＥベアラ変更応答メッセージに基づき、前記ＵＥが前記第４ＵＧＷの再選択を完了すると決定し、
前記ＵＥのＩＰアドレスと前記第４ＵＧＷとの間のマッピング関係を更新し、
セットアップされた前記ＵＥに対応するサービス・コンテキストに基づき、前記ＵＥと前記アプリケーションとの間の、前記ＵＧＷスイッチング・プレーン上のパスを再決定し、
前記ＵＥと前記アプリケーションとの間の、前記ＵＧＷスイッチング・プレーン上の前記再決定されたパスを伝える、ユーザ・プレーン・パスを更新するための第４更新要求メッセージを、前記通信モジュールを使用することによって前記ＣＧＷへ送信して、該ＣＧＷが、前記第４ＵＧＷにおける前記ＵＥのためのアクセス・ポートと前記アプリケーションのための前記ＵＧＷアクセス・ポートとの間のパスを確立し、前記第１ＵＧＷにおける前記ＵＥのためのアクセス・ポートと前記アプリケーションのための前記ＵＧＷアクセス・ポートとの間のパスを削除するために、前記ＵＥと前記アプリケーションとの間の、前記ＵＧＷスイッチング・プレーン上の前記再決定されたパスをユーザ・プレーン・パケット転送規則に変換するようにする
よう更に構成される、
請求項２７に記載の装置。
【請求項２９】
前記処理モジュールは、
前記ＣＧＷによって送信されたアプリケーション・アクセス・イベント情報を、前記通信モジュールを使用することによって受信し、該アプリケーション・アクセス・イベント情報は、前記第２ＵＧＷからのアプリケーション・ユーザ・プレーン・データに基づき前記ＣＧＷによって取得され、前記アプリケーション・アクセス・イベント情報は、前記アプリケーションのＩＰアドレス及び前記第２ＵＧＷのポートＩＰを運び、
前記ＣＧＷによって送信された第２通知メッセージを、前記通信モジュールを使用することによって受信し、該第２通知メッセージは、前記ＵＥのユーザ・プレーン・サービス・パケットが到着することを示すために使用され、前記第２通知メッセージは、前記ユーザ・プレーン・サービス・パケットのフロー識別子情報を運び、
前記フロー識別子情報に基づき、前記ユーザ・プレーン・サービス・パケットが新しいサービスに関連したパケットであると決定し、前記ＵＥ及び前記アプリケーションに対応するサービス・コンテキストをセットアップする
よう更に構成され、
前記処理モジュールは、前記第１マッピング関係、前記第２マッピング関係、及び前記ユーザ・プレーン・サービス・パケットのフロー特性情報に基づき、前記ＵＥと前記アプリケーションとの間の、ＵＧＷスイッチング・プレーン上のパスを決定するよう特に構成される、
請求項１７に記載の装置。
【請求項３０】
前記処理モジュールは、
前記ＣＧＷによって送信された前記アプリケーション・モーション・イベント情報を、前記通信モジュールを使用することによって受信し、該アプリケーション・モーション・イベント情報は、前記ＣＧＷが、転送規則が定義されていない、第３ＵＧＷによって送信される前記アプリケーションのデータ・パケットを受信し、且つ、予め設定された規則に基づき、前記アプリケーションがマイグレートされると決定した後に、送信され、前記アプリケーション・モーション・イベント情報は、前記アプリケーションのＩＰアドレスと、前記アプリケーションのデータ・パケットを受信する前記第３ＵＧＷのポートＩＰとを運び、
前記アプリケーションのＩＰアドレスと、前記アプリケーションのデータ・パケットを受信する前記第３ＵＧＷのポートＩＰとに基づき、前記アプリケーションが動くと決定し、
前記アプリケーションのＩＰアドレスとＵＧＷにおけるポートとの間のマッピング関係を更新し、
前記アプリケーションのＩＰアドレスと前記第３ＵＧＷにおけるポートとの間の第３マッピング関係と、前記ＵＥのＩＰアドレスと前記第１ＵＧＷとの間の前記第１マッピング関係とに基づき、前記ＵＥと前記アプリケーションとの間のパスを再決定する
よう更に構成される、
請求項２９に記載の装置。
【発明の詳細な説明】
【技術分野】
【０００１】
本発明は、モバイル・コミュニケーション・テクノロジに、特に、モバイル協働型コミュニケーション方法及び装置協働に関係がある。
【背景技術】
【０００２】
将来の５Ｇ超低遅延（例えば、１ミリ秒）の要件に基づき、データセンター（Data  Center，ＤＣ）は、ネットワーク送信遅延を短くするために、直ぐ近くのユーザ機器（User  Equipment，ＵＥ）のためのサービスを提供するよう、モバイル・ネットワークにおいて徐々にユーザのより近くに配置され、そして、モバイル・ネットワークの端に分布する。例えば、コンテンツ配信ネットワーク（Content  Delivery  Network，ＣＤＮ）及びモバイル・エッジ・コンピューティング（Mobile  Edge  Computing，ＭＥＣ）は、送信遅延を低減するようこの考えに基づき提案された解決法である。
【０００３】
ネットワークの端で実行され、アプリケーション・サービス支援をＵＥに提供するために使用されるアプリケーションは、エッジ・アプリケーションと呼ばれることがある。ＤＣがシンクし、分散的に配置された後、エッジ・アプリケーションは、ＤＣ間をマイグレートし得る。これは、第１に、エッジ・アプリケーションがＵＥのための最適なサービスを提供するようＵＥの動きに追随し、第２に、ＤＣが、リソース先取り、負荷バランシング、及びエネルギ節約のようなリソース調整を実行する計画を立てるからである。
【０００４】
目下、モバイル・オペレータのモバイル・ネットワークは、中央集権型ゲートウェイ・アーキテクチャを主として使用し、ゲートウェイは、地方の中央機器室のような高い地位で配置される。エッジ・アプリケーションがネットワークの端にシンクした後、ルーティングを最適化し且つ送信遅延を短くするために、ゲートウェイは、必然的にユーザのより近くに配置される。ゲートウェイがユーザのより近くに配置されることは、ゲートウェイが分散的にモバイル・ネットワーク内で配置されることを意味する。ゲートウェイがユーザのより近くに配置されること及び分散的な配置は、モバイル・ネットワークのもう１つのトレンドである。
【０００５】
ネットワーク・アーキテクチャの進化とともに、分散ゲートウェイに基づくアーキテクチャは、ネットワーク機能コントロール／ユーザ（Control/User，Ｃ／Ｕ）分離概念に基づく従来のネットワーク・アーキテクチャを基にして提案された拡張ネットワーク・アーキテクチャである。Ｃ／Ｕ分離は、ゲートウェイのコントロール・プレーン機能及びユーザ・プレーン機能を切り離すことを指す。拡張ネットワーク構造は、コントロール・プレーン・ゲートウェイ（Control  Plane  Gateway，ＣＧＷ）及びユーザ・プレーン・ゲートウェイ（User  Plane  Gateway，ＵＧＷ）を含む。
【０００６】
コントロール・プレーン（Control  Plane）機能／ユーザ・プレーン（User  Plane）機能分離（ＣＵ分離と呼ばれる。）テクノロジは、分散ゲートウェイを実装するためのテクノロジの１つである。ＣＵ分離は、ネットワーク機能及びルーティングのユーザ・プレーン・プログラミング及び動的調整を実装し、モバイル・ネットワークのフレキシビリティを改善可能である。ＣＵ分離に基づくネットワーク・アーキテクチャは、コントロール・プレーン・ゲートウェイ（Control  Plane  Gateway，ＣＧＷ）及びユーザ・プレーン・ゲートウェイ（User  Plane  Gateway，ＵＧＷ）を含む。ＣＧＷは、モバイル・コントロール・プレーン（Mobile  Control  Plane，ＭＣＰ）に組み込まれ得る。ＭＣＰは、組み込まれたＣＧＷを使用することによって、転送規則をＵＧＷへ供給する。
【０００７】
ＤＣがシンクし、ゲートウェイが分散的にユーザのより近くに配置された後、ＵＥとエッジ・アプリケーションとの間のサービス接続がモバイル・ネットワーク内で起こる。ＵＥ及びエッジ・アプリケーションの動きは、位置の変化を生じさせる。モバイル・ネットワークは、ＵＥ及びエッジ・アプリケーションの動きによるモーション・イベントに直面する。しかし、先行技術は、各々の管理領域においてエンドポイント・デバイスのモビリティにしか焦点を当てず、２つのオブジェクトのモーション・イベントのための連関及び協調を欠き、それによって、２つのオブジェクト間のルーティング構成又は更新を導くことを困難にする。
【発明の概要】
【０００８】
本発明の実施形態は、ＵＥとアプリケーションとの間のルーティング構成を実装するようモバイル協働型コミュニケーション方法及び装置を提供する。
【０００９】
態様において、本発明の実施形態は、モバイル協働型コミュニケーション方法を提供し、当該方法は、ユニファイド・モビリティ・コーディネータＵＭＣユニットによって、ネットワーク・エッジに位置し、ユーザ機器ＵＥのためのアプリケーション・サービスを提供するために使用されるアプリケーションのアプリケーション・モーション・イベント情報を受信することと、前記ＵＭＣユニットによって、前記ＵＥのＵＥモーション・イベント情報を受信することと、前記ＵＭＣユニットによって、前記アプリケーション・モーション・イベント情報及び前記ＵＥモーション・イベント情報に基づき、前記ＵＥと前記アプリケーションとの間のパスを決定することとを含む。本発明のこの実施形態において、ＵＭＣユニットは、ＵＥとアプリケーションとの間のルーティング構成を実装するために、アプリケーションのアプリケーション・モーション・イベント情報及びＵＥのＵＥモーション・イベント情報に基づきＵＥとアプリケーションとの間のパスを決定することができる。
【００１０】
可能な設計において、前記ＵＥモーション・イベント情報は、ＵＥアタッチ・イベント情報であり、該ＵＥアタッチ・イベント情報は、前記ＵＥのＩＰアドレスと、現在アクセスされている基地局の位置情報とを含み、前記ＵＭＣユニットによって、前記アプリケーション・モーション・イベント情報及び前記ＵＥモーション・イベント情報に基づき、前記ＵＥと前記アプリケーションとの間のパスを決定することは、前記ＵＭＣユニットによって、前記ＵＥのＩＰアドレスと該ＵＥに割り当てられている第１ユーザ・プレーン・ゲートウェイＵＧＷのポートとの間の第１マッピング関係と、前記アプリケーションのＩＰアドレスと該アプリケーションによってアクセスされる第２ＵＧＷのポートとの間の第２マッピング関係とを決定し、前記第１ＵＧＷ及び前記第２ＵＧＷが同じＵＧＷ又は異なるＵＧＷであることと、前記ＵＭＣユニットによって、前記第１マッピング関係及び前記第２マッピング関係に基づき、前記ＵＥと前記アプリケーションとの間のパスを決定することとを含む。
【００１１】
可能な設計において、前記アプリケーション・モーション・イベント情報は、アプリケーション開始イベント情報であり、該アプリケーション開始イベント情報は、前記アプリケーションの識別子、前記アプリケーションのＩＰアドレス、及び前記アプリケーションの位置情報を含み、当該方法は、前記ＵＭＣユニットによって、前記モバイル・コミュニケーション・ネットワークのネットワーク・トポロジ及び前記アプリケーションの位置情報に基づき、前記第２ＵＧＷ及び該第２ＵＧＷのポートを前記アプリケーションに割り当てることと、前記ＵＭＣユニットによって、前記アプリケーション及び前記第２ＵＧＷを接続するために使用される第１要求メッセージをコントロール・プレーン・ゲートウェイＣＧＷへ送信することと、前記ＵＭＣユニットによって、前記アプリケーションから前記第２ＵＧＷへのパスを決定するためにクラウド・コントローラによって使用される第１アクセス規則を該クラウド・コントローラへ送信することとを更に含む。
【００１２】
可能な設計において、前記ＵＭＣユニットによって前記ＵＥアタッチ・イベント情報を受信することより前に、当該方法は、前記ＵＭＣユニットによって前記アプリケーションの前記アプリケーション・モーション・イベント情報を受信し、該アプリケーション・モーション・イベント情報は、アプリケーション開始イベント情報であり、該アプリケーション開始イベント情報は、前記アプリケーションの識別子、前記アプリケーションのＩＰアドレス、及び前記アプリケーションの位置を含み、該アプリケーションの位置は、エッジ・クラウド・サーバのエグレス・ゲートウェイのＩＰアドレス又はエッジ・クラウド・サーバの地理的座標であってよいことと、前記ＵＭＣユニットによって、前記アプリケーションに対して、第２ＵＧＷ及び該第２ＵＧＷにアクセスするためのポートを割り当てることと、前記ＵＭＣユニットによって、前記アプリケーションのＩＰアドレスと前記アプリケーションによってアクセスされる前記第２ＵＧＷのポートとの間のマッピング関係を記録することと、前記ＵＭＣユニットによって、前記アプリケーションによって前記第２ＵＧＷにアクセスするためのアクセス規則をクラウド・コントローラへ送信して、該クラウド・コントローラが、前記アクセス規則に基づき前記アプリケーションから前記第２ＵＧＷへのパスを確立するようにすることと、前記ＵＭＣユニットによって、前記第２ＵＧＷに対する前記アプリケーションのアクセス・ポート・ポリシーを構成するよう要求する第１要求メッセージをコントロール・プレーン・ゲートウェイＣＧＷへ送信して、該ＣＧＷが、前記第１要求メッセージに基づき第１構成メッセージを前記第２ＵＧＷへ供給し、前記第２ＵＧＷが、前記アプリケーションと前記第２ＵＧＷとを接続するために、前記第１構成メッセージに基づき前記第２ＵＧＷに対する前記アプリケーションの前記アクセス・ポート・ポリシーを構成するようにすることとを含む。
【００１３】
可能な設計において、前記ＵＭＣユニットによって前記アプリケーションのアプリケーション・モーション・イベント情報を受信することは、前記ＵＭＣユニットによって、前記クラウド・コントローラを使用することによって前記アプリケーション開始イベント情報を受信することを含み、前記ＵＭＣユニットによって、前記クラウド・コントローラを使用することによって前記アプリケーション開始イベント情報を受信することより前に、当該方法は、前記ＵＭＣユニットによって、前記アプリケーションを開始するよう要求するために使用される開始要求メッセージを前記クラウド・コントローラへ送信して、該クラウド・コントローラが、エッジ・クラウド・サーバに前記アプリケーションを開始するよう指示するために使用される開始コマンドを該エッジ・クラウド・サーバへ送信するようにすることを更に含む。
【００１４】
可能な設計において、前記ＵＭＣユニットによって前記第１マッピング関係を決定した後に、当該方法は、前記ＵＭＣユニットによって、前記ＣＧＷによって送信された第１通知メッセージを受信し、該第１通知メッセージは、前記ＵＥのユーザ・プレーン・サービス・パケットが到着することを示すために使用され、前記第１通知メッセージは、前記ユーザ・プレーン・サービス・パケットのフロー特性情報を運ぶことと、前記ＵＭＣユニットによって、前記フロー特性情報に基づき、前記ユーザ・プレーン・サービス・パケットは新しいサービスに関連したパケットであると決定し、前記ＵＥ及び前記アプリケーションに対応するサービス・コンテキストをセットアップすることとを更に含み、前記ＵＭＣユニットによって、前記第１マッピング関係及び前記第２マッピング関係に基づき、前記ＵＥと前記アプリケーションとの間のパスを決定することは、前記ＵＭＣユニットによって、前記第１マッピング関係、前記第２マッピング関係、及び前記ユーザ・プレーン・サービス・パケットの前記フロー特性情報に基づき、前記ＵＥと前記アプリケーションとの間の、ＵＧＷスイッチング・プレーン上のパスを決定することを含む。
【００１５】
可能な設計において、前記ＵＭＣユニットによって前記ＵＥと前記アプリケーションとの間のパスを決定した後に、当該方法は、前記ＵＭＣユニットによって、前記ＵＥと前記アプリケーションとの間のパスを伝える第１更新要求メッセージを前記ＣＧＷへ送信して、該ＣＧＷが、前記第１ＵＧＷにおける前記ＵＥのためのアクセス・ポートと前記第２ＵＧＷにおける前記アプリケーションのためのアクセス・ポートとの間のパスを確立するよう、前記ＵＥと前記アプリケーションとの間のパスに基づき、ユーザ・プレーン・パケット転送規則を前記第１ＵＧＷ及び前記第２ＵＧＷへ送るようにすることを更に含む。
【００１６】
可能な設計において、当該方法は、前記ＵＭＣユニットによって、前記アプリケーションのＩＰアドレス及び該アプリケーションの新しい位置情報を運ぶ、前記クラウド・コントローラによって送信された前記アプリケーション・モーション・イベント情報を受信することと、前記ＵＭＣユニットによって、前記アプリケーションのＩＰアドレス及び該アプリケーションの前記新しい位置情報に基づき、第３ＵＧＷ及び該第３ＵＧＷにアクセスするためのポートを前記アプリケーションに割り当てることと、前記ＵＭＣユニットによって、前記アプリケーションから前記第３ＵＧＷへのパスを構成するために前記クラウド・コントローラによって使用され、更には、前記アプリケーションから前記第２ＵＧＷへのパスを削除するために前記クラウド・コントローラによって使用される、前記アプリケーションによって前記第３ＵＧＷにアクセスするための第２アクセス規則を前記クラウド・コントローラへ送信することと、前記ＵＭＣユニットによって、前記アプリケーション及び前記第３ＵＧＷを接続するために使用される第２要求メッセージを前記ＣＧＷへ送信することとを更に含む。
【００１７】
可能な設計において、前記ＵＥアタッチ・イベント情報は、前記ＣＧＷを使用することによって受信される情報であり、前記ＣＧＷは、第２インターフェイスを使用することによって前記ＵＭＣユニットへ接続され、前記ＣＧＷは、ＭＭＥへ更に接続され、前記ＵＭＣユニットは、第１インターフェイスを使用することによって前記クラウド・コントローラへ接続され、あるいは、前記ＵＭＣユニットの機能ユニット及び前記ＣＧＷの機能ユニットは、一体化され、前記ＵＭＣユニットの機能ユニットは、第１インターフェイスを使用することによって前記クラウド・コントローラへ接続され、前記ＣＧＷの機能ユニットは、ｓ１１インターフェイスを使用することによって前記ＭＭＥへ接続され、前記ＵＭＣユニットによって、前記ＵＥのＩＰアドレスと該ＵＥに割り当てられている第１ユーザ・プレーン・ゲートウェイＵＧＷのポートとの間の第１マッピング関係を決定することは、前記ＵＭＣユニットによって、前記ＵＥのＩＰアドレス及び該ＵＥによってアクセスされる前記基地局のＩＰアドレスを前記ＣＧＷへ送信して、該ＣＧＷが、前記第１ＵＧＷ及び該第１ＵＧＷにアクセスするためのポートを前記ＵＥに割り当てるようにし、前記ＵＭＣユニットによって、前記ＣＧＷによって送信される、前記第１ＵＧＷにおけるポートを前記ＵＥへ割り当てる通知メッセージを受信することと、前記ＵＭＣユニットによって、前記第１ＵＧＷ及び該第１ＵＧＷにアクセスするためのポートを前記ＵＥに割り当てると決定し、前記ＵＭＣユニットによって、前記ＵＥに割り当てられた前記第１ＵＧＷにおけるポートに関する情報を前記ＣＧＷへ送信して、該ＣＧＷが、前記ＵＥのための前記第１ＵＧＷのベアラを確立するようにすることとを含む。
【００１８】
可能な設計において、当該方法は、前記ＵＭＣユニットによって、前記ＵＥのＩＰアドレス及び対象基地局のＩＰアドレスを運ぶ、前記ＣＧＷによって送信されたＵＥ位置モーション・イベント情報を受信することと、前記ＵＭＣユニットによって、前記ＵＥのＩＰアドレス及び前記対象基地局のＩＰアドレスに基づき、第４ＵＧＷを前記ＵＥに割り当てることと、前記ＵＭＣユニットによって、前記第４ＵＧＷのＩＰアドレスを運ぶゲートウェイ再選択要求メッセージを前記ＣＧＷへ送信して、該ＣＧＷが前記ＵＥ及び前記対象基地局を接続し、前記対象基地局と前記第４ＵＧＷとの間にＧＴＰトンネルを確立するようにすることと、前記ＵＭＣユニットによって、前記ＣＧＷによって送信される前記ＵＥのゲートウェイ再選択完了メッセージを受信することと、前記ＵＭＣユニットによって、前記ＵＥのＩＰアドレスとＵＧＷとの間のマッピング関係を更新することと、前記ＵＭＣユニットによって、セットアップされた前記ＵＥに対応するサービス・コンテキストに基づき、前記ＵＥと前記アプリケーションとの間の、前記ＵＧＷスイッチング・プレーン上のパスを再決定することと、前記ＵＭＣユニットによって、前記ＵＥと前記アプリケーションとの間の、前記ＵＧＷスイッチング・プレーン上の前記再決定されたパスを伝える、ユーザ・プレーン・パスを更新するための第２更新要求メッセージを前記ＣＧＷへ送信して、該ＣＧＷが、前記第４ＵＧＷにおける前記ＵＥのためのアクセス・ポートと前記アプリケーションのための前記ＵＧＷアクセス・ポートとの間のパスを確立し、前記第１ＵＧＷにおける前記ＵＥのためのアクセス・ポートと前記アプリケーションのための前記ＵＧＷアクセス・ポートとの間のパスを削除するために、前記ＵＥと前記アプリケーションとの間の、前記ＵＧＷスイッチング・プレーン上の前記再決定されたパスをユーザ・プレーン・パケット転送規則に変換するようにすることとを更に含む。
【００１９】
可能な設計において、前記ＵＥアタッチ・イベント情報は、ＭＭＥを使用することによって受信される情報であって、該ＭＭＥは、第３インターフェイスを使用することによって前記ＵＭＣユニットへ接続され、該ＵＭＣユニットは、第２インターフェイスを使用することによって前記ＣＧＷへ接続され、前記ＵＭＣユニットは、第１インターフェイスを使用することによって前記クラウド・コントローラへ接続され、あるいは、前記ＵＭＣユニットの機能ユニット及び前記ＭＭＥの機能ユニットは、一体化され、前記ＵＭＣユニットの機能ユニットは、第１インターフェイスを使用することによって前記クラウド・コントローラへ接続され、前記ＭＭＥの機能ユニットは、ｓ１１インターフェイスを使用することによって前記ＣＧＷへ接続され、あるいは、前記ＭＭＥの機能ユニット及び前記ＣＧＷの機能ユニットは、ＭＣＰにおいて一体化され、前記ＵＭＣユニットは、前記ＭＣＰにおいて組み込まれ、前記ＵＭＣユニットによって、前記ＵＥのＩＰアドレスと該ＵＥに割り当てられている第１ユーザ・プレーン・ゲートウェイＵＧＷのポートとの間の第１マッピング関係を決定することは、前記ＵＭＣユニットによって、前記第１ＵＧＷ及び該第１ＵＧＷにアクセスするためのポートを前記ＵＥに割り当てると決定し、前記ＵＭＣユニットによって、前記ＵＥに割り当てられた前記第１ＵＧＷにおけるポートに関する情報を前記ＭＭＥへ送信して、該ＭＭＥが、前記ＵＥのための前記第１ＵＧＷのベアラを確立するために前記ＣＧＷによって使用されるセッション生成要求を前記ＣＧＷへ送信するようにすること、又は前記ＵＭＣユニットによって、前記ＭＭＥによって前記ＵＥに割り当てられた前記第１ＵＧＷのポート・メッセージを運ぶ、前記ＭＭＥによって送信された前記ＵＥアタッチ・イベント情報を受信することを含む。
【００２０】
可能な設計において、当該方法は、前記ＵＭＣユニットによって、前記ＵＥのＩＰアドレス及び対象基地局のＩＰアドレスを運ぶ、前記ＭＭＥによって送信されたＵＥ位置モーション・イベント情報を受信することと、前記ＵＭＣユニットによって、前記ＵＥの前記対象基地局のＩＰアドレス及び前記ＵＥに関連したサービス・コンテキストに基づき、第４ＵＧＷを前記ＵＥに割り当てることと、前記ＵＭＣユニットによって、前記第４ＵＧＷのＩＰを運ぶゲートウェイ再選択要求メッセージを前記ＭＭＥへ送信して、該ＭＭＥが前記ＵＥ及び前記対象基地局を接続し、前記ＣＧＷを使用することによって前記対象基地局と前記第４ＵＧＷとの間にＧＴＰトンネルを確立するようにすることと、前記ＵＭＣユニットによって、前記ＭＭＥによって送信される前記ＵＥのゲートウェイ再選択完了メッセージを受信することと、前記ＵＭＣユニットによって、前記ＵＥのＩＰアドレスと前記第４ＵＧＷとの間のマッピング関係を更新することと、前記ＵＭＣユニットによって、セットアップされた前記ＵＥに対応する前記サービス・コンテキストに基づき、前記ＵＥと前記アプリケーションとの間の、前記ＵＧＷスイッチング・プレーン上のパスを再決定することと、前記ＵＭＣユニットによって、前記ＵＥと前記アプリケーションとの間の、前記ＵＧＷスイッチング・プレーン上の前記再決定されたパスを伝える、ユーザ・プレーン・パスを更新するための第３更新要求メッセージを前記ＣＧＷへ送信して、該ＣＧＷが、前記第４ＵＧＷにおける前記ＵＥのためのアクセス・ポートと前記アプリケーションのための前記ＵＧＷアクセス・ポートとの間のパスを確立し、前記第１ＵＧＷにおける前記ＵＥのためのアクセス・ポートと前記アプリケーションのための前記ＵＧＷアクセス・ポートとの間のパスを削除するために、前記ＵＥと前記アプリケーションとの間の、前記ＵＧＷスイッチング・プレーン上の前記再決定されたパスをユーザ・プレーン・パケット転送規則に変換するようにすることとを更に含む。
【００２１】
可能な設計において、前記ＵＭＣユニットによって前記ＵＥアタッチ・イベント情報を受信することは、前記ＵＭＣユニットによって、ＭＭＥによって送信された第１セッション生成要求メッセージを受信し、前記ＭＭＥが、Ｓ１１インターフェイスを使用することによって前記ＵＭＣユニットへ接続され、該ＵＭＣユニットが、第１インターフェイスを使用することによって前記クラウド・コントローラへ接続され、前記ＵＭＣユニットが、第２インターフェイスを使用することによって前記ＣＧＷへ接続されることと、前記ＵＭＣユニットによって、前記第１セッション生成要求メッセージに基づき、前記ＵＥアタッチ・イベント情報を取得することとを含み、前記ＵＭＣユニットによって、前記ＵＥのＩＰアドレスと該ＵＥに割り当てられている第１ユーザ・プレーン・ゲートウェイＵＧＷのポートとの間の第１マッピング関係を決定することは、前記ＵＭＣユニットによって、前記ＵＥによってアクセスされる基地局のＩＰアドレスに基づき、前記第１ＵＧＷ及び該第１ＵＧＷにアクセスするためのポートを前記ＵＥに割り当てることを含む。
【００２２】
可能な設計において、当該方法は、前記ＵＭＣユニットによって、前記ＭＭＥによって送信された第２セッション生成要求メッセージを受信し、該第２セッション生成要求メッセージは、前記ＭＭＥが前記ＵＥの前記ソース基地局からＵＥ基地局ハンドオーバー要求メッセージを受信した後に、前記ＵＭＣユニットへ送信されることと、前記ＵＭＣによって、前記ＵＥのＩＰアドレス及び対象基地局のＩＰアドレスを運ぶＵＥ位置モーション・イベント情報を、前記第２セッション生成要求メッセージに基づきパースすることと、前記ＵＭＣユニットによって、前記ＵＥのＩＰアドレス及び前記対象基地局のＩＰアドレスに基づき、第４ＵＧＷを前記ＵＥに割り当てることと、前記ＵＭＣユニットによって、前記第４ＵＧＷのＩＰを運ぶ第３セッション生成要求メッセージを前記ＣＧＷへ送信して、該ＣＧＷが前記ＵＥ及び前記対象基地局を接続し、前記対象基地局と前記第４ＵＧＷとの間にＧＴＰトンネルを確立するようにすることと、前記ＵＭＣユニットによって、前記ＣＧＷによって送信されたＵＥベアラ変更応答メッセージを受信することと、前記ＵＭＣユニットによって、前記ＵＥベアラ変更応答メッセージに基づき、前記ＵＥが前記第４ＵＧＷの再選択を完了すると決定することと、前記ＵＭＣユニットによって、前記ＵＥのＩＰアドレスと前記第４ＵＧＷとの間のマッピング関係を更新することと、前記ＵＭＣユニットによって、セットアップされた前記ＵＥに対応するサービス・コンテキストに基づき、前記ＵＥと前記アプリケーションとの間の、前記ＵＧＷスイッチング・プレーン上のパスを再決定することと、前記ＵＭＣユニットによって、前記ＵＥと前記アプリケーションとの間の、前記ＵＧＷスイッチング・プレーン上の前記再決定されたパスを伝える、ユーザ・プレーン・パスを更新するための第４更新要求メッセージを前記ＣＧＷへ送信して、該ＣＧＷが、前記第４ＵＧＷにおける前記ＵＥのためのアクセス・ポートと前記アプリケーションのための前記ＵＧＷアクセス・ポートとの間のパスを確立し、前記第１ＵＧＷにおける前記ＵＥのためのアクセス・ポートと前記アプリケーションのための前記ＵＧＷアクセス・ポートとの間のパスを削除するために、前記ＵＥと前記アプリケーションとの間の、前記ＵＧＷスイッチング・プレーン上の前記再決定されたパスをユーザ・プレーン・パケット転送規則に変換するようにすることとを更に含む。
【００２３】
可能な設計において、前記ＵＭＣユニットによって前記ＵＥアタッチ・イベント情報を受信することより前に、当該方法は、前記ＵＭＣユニットによって、前記ＣＧＷによって送信されたアプリケーション・アクセス・イベント情報を受信し、該アプリケーション・アクセス・イベント情報は、前記第２ＵＧＷからのアプリケーション・ユーザ・プレーン・データに基づき前記ＣＧＷによって取得され、前記アプリケーション・アクセス・イベント情報は、前記アプリケーションのＩＰアドレス及び前記第２ＵＧＷのポートＩＰを運ぶことと、前記ＵＭＣユニットが前記ＵＥアタッチ・イベント情報を受信した後に、前記ＵＭＣユニットによって、前記ＣＧＷによって送信された第２通知メッセージを受信し、該第２通知メッセージは、前記ＵＥのユーザ・プレーン・サービス・パケットが到着することを示すために使用され、前記第２通知メッセージは、前記ユーザ・プレーン・サービス・パケットのフロー識別子情報を運ぶことと、前記ＵＭＣユニットによって、前記フロー識別子情報に基づき、前記ユーザ・プレーン・サービス・パケットが新しいサービスに関連したパケットであると決定し、前記ＵＥ及び前記アプリケーションに対応するサービス・コンテキストをセットアップすることとを更に含み、前記ＵＭＣユニットによって、前記第１マッピング関係及び前記第２マッピング関係に基づき、前記ＵＥと前記アプリケーションとの間のパスを決定することは、前記ＵＭＣユニットによって、前記第１マッピング関係、前記第２マッピング関係、及び前記ユーザ・プレーン・サービス・パケットのフロー特性情報に基づき、前記ＵＥと前記アプリケーションとの間の、ＵＧＷスイッチング・プレーン上のパスを決定することを含む。
【００２４】
可能な設計において、当該方法は、前記ＵＭＣユニットによって、前記ＣＧＷによって送信された前記アプリケーション・モーション・イベント情報を受信し、該アプリケーション・モーション・イベント情報は、前記ＣＧＷが、転送規則が定義されていない、第３ＵＧＷによって送信される前記アプリケーションのデータ・パケットを受信し、且つ、予め設定された規則に基づき、前記アプリケーションがマイグレートされると決定した後に、送信され、前記アプリケーション・モーション・イベント情報は、前記アプリケーションのＩＰアドレスと、前記アプリケーションのデータ・パケットを受信する前記第３ＵＧＷのポートＩＰとを運ぶことと、前記ＵＭＣユニットによって、前記アプリケーションのＩＰアドレスと、前記アプリケーションのデータ・パケットを受信する前記第３ＵＧＷのポートＩＰとに基づき、前記アプリケーションが動くと決定することと、前記ＵＭＣユニットによって、前記アプリケーションのＩＰアドレスとＵＧＷにおけるポートとの間のマッピング関係を更新することと、前記ＵＭＣユニットによって、前記アプリケーションのＩＰアドレスと前記第３ＵＧＷにおけるポートとの間の第３マッピング関係と、前記ＵＥのＩＰアドレスと前記第１ＵＧＷとの間の前記第１マッピング関係とに基づき、前記ＵＥと前記アプリケーションとの間のパスを再決定することとを更に含む。
【００２５】
他の態様において、本発明の実施形態は、モバイル協働型コミュニケーション装置を提供する。当該モバイル協働型コミュニケーション装置は、前述の方法の例におけるＵＭＣユニットの挙動を実装する機能を有している。機能は、ハードウェアを使用することによって実装されてよく、あるいは、ハードウェアを使用することで対応するソフトウェアを実行することによって実装されてよく、ハードウェア又はソフトウェアは、前述の機能に対応する１つ以上のモジュールを含む。
【００２６】
可能な設計において、当該モバイル協働型コミュニケーション装置の構造は、処理モジュール及び通信モジュールを含む。前記処理モジュールは、前述の方法における対応する機能を実行することにおいてＵＭＣユニットをサポートするよう構成される。前記通信モジュールは、前記ＵＭＣユニットと他のデバイスとの間の通信をサポートするよう構成される。前記ＵＭＣユニットは、記憶ユニットを更に含んでよい。該記憶ユニットは、前記処理モジュールと結合されるよう構成され、前記ＵＭＣユニットに必要なプログラム命令及びデータを記憶する。一例において、前記処理モジュールはプロセッサであってよく、前記通信モジュールはトランシーバであってよく、前記記憶ユニットはメモリであってよい。
【００２７】
更なる他の態様において、本発明の実施形態は、ＭＭＥを提供し、該ＭＭＥは、前述の方法の例におけるＭＭＥの挙動を実装する機能を有している。機能は、ハードウェアを使用することによって実装されてよく、あるいは、ハードウェアを使用することで対応するソフトウェアを実行することによって実装されてよく、ハードウェア又はソフトウェアは、前述の機能に対応する１つ以上のモジュールを含む。
【００２８】
更なる他の態様において、本発明の実施形態は、ＵＧＷを提供し、該ＵＧＷは、前述の方法の例におけるＵＧＷの挙動を実装する機能を有している。機能は、ハードウェアを使用することによって実装されてよく、あるいは、ハードウェアを使用することで対応するソフトウェアを実行することによって実装されてよく、ハードウェア又はソフトウェアは、前述の機能に対応する１つ以上のモジュールを含む。
【００２９】
更なる他の態様において、本発明の実施形態は、ＣＧＷを提供し、該ＣＧＷは、前述の方法の例におけるＣＧＷの挙動を実装する機能を有している。機能は、ハードウェアを使用することによって実装されてよく、あるいは、ハードウェアを使用することで対応するソフトウェアを実行することによって実装されてよく、ハードウェア又はソフトウェアは、前述の機能に対応する１つ以上のモジュールを含む。
【００３０】
更なる他の態様において、本発明の実施形態は、通信システムを提供する。当該システムは、前述の態様におけるモバイル協働型コミュニケーション装置を含み、当該システムは、ＭＭＥ、ＵＧＷ、及びＣＧＷのうちの少なくとも１つのような、本発明の実施形態で提供される解決法において前記モバイル協働型コミュニケーション装置と相互に作用する他のデバイスを更に含んでよい。
【００３１】
更なる他の態様において、本発明の実施形態は、前述のモバイル協働型コミュニケーション装置によって使用されるコンピュータ・ソフトウェア命令を記憶するよう構成されたコンピュータ記憶媒体を提供し、前記コンピュータ・ソフトウェア命令は、前述の態様を実行するために使用されるプログラムを含む。
【００３２】
本発明の実施形態は、モバイル協働型コミュニケーション方法及び装置を提供する。適切なＵＧＷが、ＵＥ及びエッジ・アプリケーションのモーション・イベントに基づき、ＵＥ及びエッジ・アプリケーションのために選択され、そして、ＵＥとエッジ・アプリケーションとの間の転送パスは、ＵＥとエッジ・アプリケーションとの間の最適なルーティング構成を実装するよう、再計画され構成される。
【図面の簡単な説明】
【００３３】
本発明の実施形態における又は先行技術における技術的解決法をより明りょうに記載するよう、以下は、実施形態又は先行技術を記載するために必要とされる添付の図面について簡単に説明する。明らかに、以下の説明における添付の図面は、本発明の単なるいくつかの実施形態を示しており、当業者は、創造的な努力なしでそれらの添付の図面から他の図面を導き出し得る。
【００３４】
【図１】本発明の実施形態に従う可能なシステム・アーキテクチャの図を示す。
【図２】ＵＭＣユニットの接続の略構造図を示す。
【図３】本発明の実施形態に従うモバイル協働型コミュニケーション方法の略フローチャートである。
【図４】本発明の実施形態に従う他のモバイル協働型コミュニケーション方法の略フローチャートを示す。
【図５】本発明の実施形態に従う可能なシステム・アーキテクチャの図を示す。
【図６】本発明の実施形態に従って、ＵＥ及びエッジ・アプリケーションが最初にサービスを確立するアプリケーション・シナリオの図を示す。
【図７Ａ】本発明の実施形態に従って、ＵＥ及びエッジ・アプリケーションが最初にサービスを確立することの略通信図を示す。
【図７Ｂ】本発明の実施形態に従って、ＵＥ及びエッジ・アプリケーションが最初にサービスを確立することの略通信図を示す。
【図８Ａ】本発明の実施形態に従って、ＵＥがアクセスする必要があるエッジ・アプリケーションをパースする方法の略通信図を示す。
【図８Ｂ】本発明の実施形態に従って、ＵＥがアクセスする必要があるエッジ・アプリケーションをパースする方法の略通信図を示す。
【図９Ａ】本発明の実施形態に従って、ＵＥがアクセスする必要があるエッジ・アプリケーションをパースする他の方法の略通信図を示す。
【図９Ｂ】本発明の実施形態に従って、ＵＥがアクセスする必要があるエッジ・アプリケーションをパースする他の方法の略通信図を示す。
【図１０】本発明の実施形態に従って、ＵＥがエッジ・アプリケーションへ接続した後にＵＥのみが動く協働型コミュニケーションのアプリケーション・シナリオの図を示す。
【図１１Ａ】本発明の実施形態に従って、ＵＥがエッジ・アプリケーションへ接続した後にＵＥのみが動く協働型コミュニケーションの略通信図を示す。
【図１１Ｂ】本発明の実施形態に従って、ＵＥがエッジ・アプリケーションへ接続した後にＵＥのみが動く協働型コミュニケーションの略通信図を示す。
【図１１Ｃ】本発明の実施形態に従って、ＵＥがエッジ・アプリケーションへ接続した後にＵＥのみが動く協働型コミュニケーションの略通信図を示す。
【図１２】本発明の実施形態に従って、ＵＥが動いた後のＵＥとエッジ・アプリケーションとの間の協働型コミュニケーションのアプリケーション・シナリオの図を示す。
【図１３】本発明の実施形態に従って、ＵＥがエッジ・アプリケーションへ接続した後にエッジ・アプリケーションのみが動く協働型コミュニケーション・シナリオの図を示す。
【図１４】本発明の実施形態に従って、ＵＥがエッジ・アプリケーションへ接続した後にエッジ・アプリケーションのみが動く協働型コミュニケーションの略通信図を示す。
【図１５】本発明の実施形態に従って、エッジ・アプリケーションが動いた後のＵＥとエッジ・アプリケーションとの間の協働型コミュニケーションの目標シナリオの図を示す。
【図１６】本発明の実施形態に従って、ＵＥがエッジ・アプリケーションへ接続した後にＵＥが動き、エッジ・アプリケーションが追随する協働型コミュニケーションのアプリケーション・シナリオの図を示す。
【図１７Ａ】本発明の実施形態に従って、ＵＥが動き、エッジ・アプリケーションが追随する協働型コミュニケーションの略通信図を示す。
【図１７Ｂ】本発明の実施形態に従って、ＵＥが動き、エッジ・アプリケーションが追随する協働型コミュニケーションの略通信図を示す。
【図１７Ｃ】本発明の実施形態に従って、ＵＥが動き、エッジ・アプリケーションが追随する協働型コミュニケーションの略通信図を示す。
【図１７Ｄ】本発明の実施形態に従って、ＵＥが動き、エッジ・アプリケーションが追随する協働型コミュニケーションの略通信図を示す。
【図１８】本発明の実施形態に従って、ＵＥが動き、エッジ・アプリケーションが追随する協働型コミュニケーションの略効果図を示す。
【図１９】本発明の実施形態に従う他の可能なシステム・アーキテクチャの図を示す。
【図２０Ａ】本発明の実施形態に従って、ＵＥ及びエッジ・アプリケーションが最初にサービスを確立することの他の略通信図を示す。
【図２０Ｂ】本発明の実施形態に従って、ＵＥ及びエッジ・アプリケーションが最初にサービスを確立することの他の略通信図を示す。
【図２１Ａ】本発明の実施形態に従って、ＵＥがエッジ・アプリケーションへ接続した後にＵＥのみが動く協働型コミュニケーションの他の略通信図を示す。
【図２１Ｂ】本発明の実施形態に従って、ＵＥがエッジ・アプリケーションへ接続した後にＵＥのみが動く協働型コミュニケーションの他の略通信図を示す。
【図２１Ｃ】本発明の実施形態に従って、ＵＥがエッジ・アプリケーションへ接続した後にＵＥのみが動く協働型コミュニケーションの他の略通信図を示す。
【図２２Ａ】本発明の実施形態に従って、ＵＥがエッジ・アプリケーションへ接続した後にＵＥが動き、エッジ・アプリケーションが追随する協働型コミュニケーションの他の略通信図を示す。
【図２２Ｂ】本発明の実施形態に従って、ＵＥがエッジ・アプリケーションへ接続した後にＵＥが動き、エッジ・アプリケーションが追随する協働型コミュニケーションの他の略通信図を示す。
【図２２Ｃ】本発明の実施形態に従って、ＵＥがエッジ・アプリケーションへ接続した後にＵＥが動き、エッジ・アプリケーションが追随する協働型コミュニケーションの他の略通信図を示す。
【図２３】本発明の実施形態に従う更なる他の可能なシステム・アーキテクチャの図を示す。
【図２４Ａ】本発明の実施形態５に従って、ＵＥ及びエッジ・アプリケーションが最初にサービスを確立することの更なる他の略通信図を示す。
【図２４Ｂ】本発明の実施形態５に従って、ＵＥ及びエッジ・アプリケーションが最初にサービスを確立することの更なる他の略通信図を示す。
【図２５Ａ】本発明の実施形態に従って、ＵＥがエッジ・アプリケーションへ接続した後にＵＥのみが動く協働型コミュニケーションの更なる他の略通信図を示す。
【図２５Ｂ】本発明の実施形態に従って、ＵＥがエッジ・アプリケーションへ接続した後にＵＥのみが動く協働型コミュニケーションの更なる他の略通信図を示す。
【図２５Ｃ】本発明の実施形態に従って、ＵＥがエッジ・アプリケーションへ接続した後にＵＥのみが動く協働型コミュニケーションの更なる他の略通信図を示す。
【図２６Ａ】本発明の実施形態に従って、ＵＥがエッジ・アプリケーションへ接続した後にＵＥが動き、エッジ・アプリケーションが追随する協働型コミュニケーションの更なる他の略通信図を示す。
【図２６Ｂ】本発明の実施形態に従って、ＵＥがエッジ・アプリケーションへ接続した後にＵＥが動き、エッジ・アプリケーションが追随する協働型コミュニケーションの更なる他の略通信図を示す。
【図２６Ｃ】本発明の実施形態に従って、ＵＥがエッジ・アプリケーションへ接続した後にＵＥが動き、エッジ・アプリケーションが追随する協働型コミュニケーションの更なる他の略通信図を示す。
【図２７】本発明の実施形態に従う更なる他の可能なシステム・アーキテクチャの図を示す。
【図２８Ａ】本発明の実施形態に従って、ＵＥ及びエッジ・アプリケーションが最初にサービスを確立することの更なる他の略通信図を示す。
【図２８Ｂ】本発明の実施形態に従って、ＵＥ及びエッジ・アプリケーションが最初にサービスを確立することの更なる他の略通信図を示す。
【図２９】本発明の実施形態に従って、ＵＥがエッジ・アプリケーションへ接続した後にエッジ・アプリケーションのみが動く他の協働型コミュニケーション・シナリオの図を示す。
【図３０】本発明の実施形態に従う更なる他の可能なシステム・アーキテクチャの図を示す。
【図３１】本発明の実施形態に従う更なる他の可能なシステム・アーキテクチャの図を示す。
【図３２】本発明の実施形態に従う更なる他の可能なシステム・アーキテクチャの図を示す。
【図３３Ａ】前述の実施形態におけるＵＭＣユニットの可能な構造の概略図を示す。
【図３３Ｂ】前述の実施形態におけるＵＭＣユニットの他の可能な構造の概略図を示す。
【発明を実施するための形態】
【００３５】
本発明の実施形態の目的、技術的解決法、及び利点をより明らかにするよう、以下は、本発明の実施形態における添付の図面を参照して、本発明の実施形態の技術的解決法について記載する。
【００３６】
本発明の実施形態において記載されるネットワーク・アーキテクチャ及びサービス・シナリオは、本発明の実施形態における技術的解決法をより明りょうに説明するために使用され、本発明の実施形態において提供される技術的解決法への制限を構成しない。当業者は、本発明の実施形態において提供される技術的解決法が、ネットワーク・アーキテクチャが発達し且つ新しいサービス・シナリオが起こるにつれて同様の技術的問題にも適用可能であると理解し得る。
【００３７】
エッジ・アプリケーションがシンクし、ゲートウェイが分散的に配置されるシナリオにおいて、ＵＥ及びエッジ・アプリケーションのモーション・イベントのための連関及び協調を実装し、且つ、エンド・ツー・エンドのルーティング／転送パスの更新を導くために、本発明は、モバイル・コア・ネットワークにおけるＣＵ分離に基づくアーキテクチャを基にモバイル協働型コミュニケーション方法及び装置を提案する。図１は、本発明の実施形態に従う可能なシステム・アーキテクチャの図を示す。図１に示されるシステム・アーキテクチャにおいて、ユニファイド・スイッチング・プレーンは、ＵＧＷに基づき構成される。ＵＧＷは、ＵＥとエッジ・アプリケーションとの間のユニファイド・スイッチング・プレーンとして使用され、最終的に、ＵＥ及びエッジ・アプリケーションは、ＵＧＷにアクセスし、そして、ＵＧＷに基づき構成されたスイッチング・プレーンを使用することによってお互いに接続される。ＵＥとエッジ・アプリケーションとの間のエンド・ツー・エンドの（End  to  End，Ｅ２Ｅ）サービス接続は、３つの部分に分割可能であることが知られ得る。
【００３８】
（１）ＵＥからＵＧＷへのモバイル接続：例えば、ＵＥは、ＧＴＰ（GPRS  Tunneling  Protocol，ＧＰＲＳトンネリング・プロトコル）方法でＵＧＷにアクセスする。なお、ＧＰＲＳの英語のフルネームは、general  packet  radio  systemである。
【００３９】
（２）エッジ・アプリケーションからＵＧＷへの接続：例えば、エッジ・アプリケーションは、ＩＰ（Internet  Protocol，インターネット・プロトコル）、ＶＬＡＮ（Virtual  Local  Area  Network，仮想ローカル・エリア・ネットワーク）、又はＶｘＬＡＮ（Virtual  extensible  Local  Area  Network，仮想拡張可能ローカル・エリア・ネットワーク）のようなトンネリング方法でＵＧＷにアクセスする。
【００４０】
（３）ＵＥのためのＵＧＷにおける論理ポートとエッジ・アプリケーションのためのＵＧＷにおける論理ポートとの間のパケット転送パス。
【００４１】
サービスの前述の３つの部分は、ＵＭＣ（Unified  Mobility  Coordinator，ユニファイド・モビリティ・コーディネータ）ユニットによって主として実装される。ＵＭＣユニットは、モバイル・ネットワークのコントロール・レイヤで配置される。図２は、ＵＭＣユニットの接続の略構造図を示す。図２から明らかなように、ＵＭＣユニットは、ＭＣＰと、クラウド・コントロール・マネージメント・センター（又はクラウド・コントローラ（Cloud  Controller）と呼ばれる。）とを接続する。
【００４２】
図２に示されるように、一態様において、ＵＭＣユニットは、実時間において、位置変化イベント（アタッチ、移動、又は分離のようなイベントを含む。）及びＵＥのユーザ・プレーン・サービス接続セットアップ・イベントをＭＣＰから取得することができ、他の態様では、ＵＭＣユニットは、実時間において、エッジ・アプリケーションの位置変化イベント（アプリケーション開始、マイグレーション、終了を含む。）をクラウド・コントローラから取得することができる。これに基づき、ＵＭＣユニットは、２つのモバイル・オブジェクト、すなわち、ＵＥ及びエッジ・アプリケーションが独立して動くシナリオにおいて大域的な観点から２つのオブジェクトのモビリティを協調させ且つ管理することができ、そして、ＵＥ及びエッジ・アプリケーションが変化しないままであるときにＵＥとエッジ・アプリケーションとの間のサービス連続性を確かにすることができる。具体的な実施プロセスは：適切なＵＧＷを再選択するようＭＣＰに指示すること；ＵＥとエッジ・アプリケーションとの間のサービス連続性を確かにするよう、ＭＣＰに、ＵＧＷに対するパケット転送規則を更新するよう指示すること；エッジ・アプリケーションを適切なエッジ・クラウド・サーバへ移動させるようクラウド・コントローラに指示すること、又は対応するエッジ・アプリケーションを開始するようクラウド・コントローラに要求すること；エッジ・アプリケーションを指定されたＵＧＷに接続するようクラウド・コントローラに指示すること；及び同様のことを含む。例において、ＵＭＣユニットによって運ばれるサービスは：（１）トポロジ、サービス接続、及び構成された協調ポリシーに基づきＵＥ及びエッジ・アプリケーションのための適切なＵＧＷを選択し、ＵＥ／エッジ・アプリケーションのＩＰアドレスとＵＧＷとの間のマッピング関係を確立又は更新すること；（２）ＵＧＷにおけるＵＥのためのアクセス・ポートとエッジ・アプリケーションのためのアクセス・ポートとの間のパケット転送規則を確立又は更新すること、を主として含む。
【００４３】
１つのＵＥは、同時に複数のエッジ・アプリケーションにアクセスしてよく、１つのエッジ・アプリケーションは、同時に端末にサービスを提供してよい。すなわち、端末とエッジ・アプリケーションとの間の接続は多対多である。ＵＥが移動した後、ＵＭＣユニットは、ＵＧＷを正確に選択するために、ＵＥの現在のアクティビティのサービス接続と、サービス接続が起きるエッジ・アプリケーションの位置とを知る必要がある。本発明において、ＵＭＣユニットは、サービス接続コンテキストをセットアップするよう、ＭＣＰを使用することによってユーザ・プレーン・サービス接続を取得する必要があり、且つ、対応するサービス接続コンテキストを削除するよう、ＵＥがＵＧＷへの接続を切るイベント又はアプリケーション終了イベントを検知する必要がある。
【００４４】
本発明は、ＵＥ及びエッジ・アプリケーションの位置識別子としてＵＧＷの物理ポートを使用することを提案する。ＵＥ及びエッジ・アプリケーションが動くにつれて、ＵＭＣユニットは、ネットワーク・トポロジ、アクティビティのサービス接続、及び協調ポリシーに基づきＵＥ及びエッジ・アプリケーションのための適切なＵＧＷを選択し、ＩＰアドレスとＵＧＷとの間のマッピング関係を再確立し、ＵＧＷにおけるＵＥのためのアクセス・ポートとエッジ・アプリケーションのためのアクセス・ポートとの間のパケット転送規則をリフレッシュする。
【００４５】
本発明の実施形態における協調トリガ条件は：
（１）ＵＥアタッチ又は分離；
（２）ＵＥ移動；
（３）エッジ・アプリケーションの移動
を含む。
【００４６】
協調プロセスは、基地局、ＵＧＷ及びエッジ・クラウドの間のトポロジ関係に基づき全ての影響を受けるサービス・フローを解析することと、Ｅ２Ｅパス最適化の観点から協調ポリシー（例えば、最短経路優先、最短遅延優先、サービス・フローの優先順位を区別すること、及びアプリケーションがユーザの移動を追随することができるかどうか）に基づきＵＥ及びエッジ・アプリケーションのための適切なＵＧＷ（ポート）を選択することと、ＵＥとエッジ・アプリケーションとの間のパス（例えば、転送パス）を再計画することとである。ＵＭＣユニットの協調方法は：
（１）ＭＣＰに、ＵＥ及び新しいＵＧＷを接続し、ＵＥのＩＰアドレスとＵＧＷとの間のマッピング関係を更新するよう指示すること；
（２）クラウド・コントローラに、エッジ・アプリケーションを適切なエッジ・クラウド・サーバへ動かすか、又は指定された場所でエッジ・アプリケーションを開始するよう指示すること；
（３）クラウド・コントローラに、エッジ・アプリケーションと指定されたＵＧＷとを接続し、エッジ・アプリケーションのＩＰアドレスとＵＧＷとの間のマッピング関係を更新するよう指示すること；及び
（４）ＣＧＷに、ＵＧＷにおける転送ルートを更新し、ＵＥの位置とエッジ・アプリケーションの位置とを接続するよう指示すること
を含んでよい。
【００４７】
本発明の実施形態は、本発明の前述の共通態様に基づき以下で詳細に更に記載される。留意されるべきは、本発明のモバイル協働型コミュニケーション方法は、エッジ・アプリケーションがシンクし、分散的にモバイル・ネットワーク端に配置され、且つ、モバイル・ゲートウェイがシンクし、分散的に配置される通信シナリオに適用可能である点である。
【００４８】
本発明の実施形態は、モバイル協働型コミュニケーション方法、並びに方法に基づく装置及びシステムを提供する。方法において、ＵＭＣユニットは、ネットワーク端に位置し、ＵＥのためのアプリケーション／サービスを提供するために使用されるアプリケーションのアプリケーション・モーション・イベント情報及び／又はＵＥのＵＥモーション・イベント情報を受信し、アプリケーション・モーション・イベント情報及びＵＥモーション・イベント情報に基づきＵＥとエッジ・アプリケーションとの間のパスを決定する。ＵＭＣユニットは、モバイル・コミュニケーション・ネットワークのコントロール・プレーンに配置されてよい。アプリケーション・モーション・イベントは、アプリケーション開始、マイグレーション、及び同様のことを含んでよい。ＵＭＣユニットは、ＣＧＷ又はクラウド・コントローラのようなＭＣＰを使用することによって、アプリケーション・モーション・イベント情報を取得する。ＵＥモーション・イベントは、ＵＥアタッチ、マイグレーション、及び同様のことを含んでよい。ＵＭＣユニットは、ＣＧＷ又はＭＭＥのようなＭＣＰを使用することによって、ＵＥのＵＥモーション・イベント情報を取得する。例において、前述のアプリケーションはエッジ・アプリケーションであってよい。アプリケーションがエッジ・アプリケーションであることは、以下で説明のための例として使用される。例えば、図３は、本発明の実施形態に従うモバイル協働型コミュニケーション方法の略フローチャートである。方法は、次のプロシージャを含む。
【００４９】
Ｓ１０１．ＵＭＣは、エッジ・アプリケーションのアプリケーション・モーション・イベント情報を受信し、エッジ・アプリケーションは、ユーザ機器ＵＥがアクセスするよう求めるエッジ・アプリケーションである。
【００５０】
Ｓ１０２．ＵＭＣユニットは、ＵＥのＵＥモーション・イベント情報を受信する。
【００５１】
Ｓ１０３．ＵＭＣユニットは、アプリケーション・モーション・イベント情報及びＵＥモーション・イベント情報に基づき、ＵＥとエッジ・アプリケーションとの間の転送パスを決定する。
【００５２】
Ｓ１０１及びＳ１０２の実行シーケンスは制限されない。本発明のこの実施形態における解決法は、Ｓ１０３と、Ｓ１０１及びＳ１０２のうちの少なくとも１つとを含んでよい。
【００５３】
本発明のこの実施形態における解決法において、ＵＭＣユニットは、ＵＥとエッジ・アプリケーションとの間の最適なルーティング構成を実装するために、エッジ・アプリケーションのアプリケーション・モーション・イベント情報及びＵＥのＵＥモーション・イベント情報に基づき、ＵＥとエッジ・アプリケーションとの間の転送パスを決定することができる。
【００５４】
以下は、更なる添付の図面を参照して、本発明の実施形態について更に記載する。
【００５５】
図４は、本発明の実施形態に従う他のモバイル協働型コミュニケーション方法の略フローチャートを示す。図３に示される方法と同様又は同じ内容に関しては、図３に関連する詳細な説明を参照されたい。詳細はここでは記載されない。図４に示される方法は、次のステップを含む。
【００５６】
Ｓ２０１．ＵＭＣユニットは、エッジ・アプリケーションのアプリケーション・モーション・イベント情報を受信する。
【００５７】
任意に、アプリケーション・モーション・イベント情報は、アプリケーション開始イベント情報であり、アプリケーション開始イベント情報は、エッジ・アプリケーションの識別子、エッジ・アプリケーションのＩＰアドレス、及びエッジ・アプリケーションの位置情報を含む。
【００５８】
更には、ＵＭＣユニットが、クラウド・コントローラを使用することによってアプリケーション開始イベント情報を受信する前に、方法は、ＵＭＣユニットによって開始要求メッセージをクラウド・コントローラへ送信することを更に含み、開始要求メッセージは、エッジ・アプリケーションを開始するよう要求するために使用され、それにより、クラウド・コントローラは、開始コマンドをエッジ・クラウド・サーバへ送信し、開始コマンドは、エッジ・クラウド・サーバにエッジ・アプリケーションを開始するよう指示するために使用される。
【００５９】
Ｓ２０２．ＵＭＣユニットは、ＵＥのＵＥアタッチ・イベント情報を受信し、ＵＥアタッチ・イベント情報は、ＵＥのＩＰアドレスと、ＵＥによってアクセスされる基地局の位置情報とを運ぶ。
【００６０】
ＵＥアタッチ・イベント情報は、前述のＵＥモーション・イベント情報である。ＵＥによってアクセスされる基地局の位置情報は、基地局のＩＰアドレス、セル・アイデンティティ、座標位置、及び同様のものであってよい。
【００６１】
Ｓ２０３．ＵＭＣユニットは、ＵＥのＩＰアドレスとＵＥに割り当てられている第１ＵＧＷのポートとの間の第１マッピング関係と、エッジ・アプリケーションのＩＰアドレスとエッジ・アプリケーションによってアクセスされる第２ＵＧＷのポートとの間の第２マッピング関係とを決定する。
【００６２】
第１ＵＧＷ及び第２ＵＧＷは、同じＵＧＷ又は異なるＵＧＷである。ＵＭＣユニットは、更に、第１マッピング関係及び第２マッピング関係を記録してよい。第２マッピング関係を決定することは：ＵＭＣは、ＵＥのサブスクリプション情報を取得し、該サブスクリプション情報は、ＵＥがサブスクライブするエッジ・アプリケーションの識別子を運び、ＵＭＣは、ＵＥがサブスクライブするエッジ・アプリケーションの識別子に基づき、ＵＥがアクセスすることを求めるエッジ・アプリケーションが第２ＵＧＷにアクセスしたかどうかを判定すること；又はＵＭＣは、ＵＥのユーザ・プレーン・サービス・パケットを取得し、該ユーザ・プレーン・サービス・パケットは、ＵＥがアクセスすることを求めるエッジ・アプリケーションの識別子を運び、ＵＭＣは、ＵＥがアクセスすることを求めるエッジ・アプリケーションの識別子に基づき、ＵＥがアクセスすることを求めるエッジ・アプリケーションが第２ＵＧＷにアクセスしたかどうかを判定することを含む。
【００６３】
ＵＥがアクセスすることを求めるエッジ・アプリケーションが第２ＵＧＷにアクセスしていないと決定される場合に、方法は：ＵＭＣユニットは、モバイル・コミュニケーション・ネットワークのネットワーク・トポロジ構造及びエッジ・アプリケーションの位置情報に基づき第２ＵＧＷ及び第２ＵＧＷのポートをエッジ・アプリケーションに割り当て；ＵＭＣユニットは、第１要求メッセージをコントロール・プレーン・ゲートウェイＣＧＷへ送信し、第１要求メッセージは、エッジ・アプリケーションと第２ＵＧＷとを接続するために使用され；ＵＭＣユニットは、第１アクセス規則をクラウド・コントローラへ送信し、第１アクセス規則は、エッジ・アプリケーションから第２ＵＧＷへの転送パスを決定するためにクラウド・コントローラによって使用されることを更に含む。
【００６４】
留意されるべきは、エッジ・アプリケーションと第２ＵＧＷとを接続するステップは、Ｓ２０１とＳ２０３との間で実行され得るか、あるいは、ＵＭＣユニットが、Ｓ２０３で、ＵＥのＩＰアドレスとＵＥに割り当てられている第１ＵＧＷのポートとの間の第１マッピング関係を決定した後、且つ、ＵＭＣユニットが、エッジ・アプリケーションのＩＰアドレスとエッジ・アプリケーションによってアクセスされる第２ＵＧＷのポートとの間の第２マッピング関係を決定する前に実行され得る点である。
【００６５】
Ｓ２０４．ＵＭＣユニットは、第１マッピング関係及び第２マッピング関係に基づき、ＵＥとエッジ・アプリケーションとの間の転送パスを決定する。
【００６６】
ＵＭＣユニットが第１マッピング関係を決定した後、方法は：ＵＭＣユニットは、ＣＧＷによって送信された第１通知メッセージを受信し、第１通知メッセージは、ＵＥのユーザ・プレーン・サービス・パケットが到着することを示すために使用され、第１通知メッセージは、ユーザ・プレーン・サービス・パケットのフロー特性情報を運び；ＵＭＣユニットは、フロー特性情報に基づき、ユーザ・プレーン・サービス・パケットが新しいサービスに関連したパケットであると決定し、ＵＥ及びエッジ・アプリケーションに対応するサービス・コンテキストをセットアップすることを更に含む。Ｓ２０４は：ＵＭＣユニットが、第１マッピング関係、第２マッピング関係、及びユーザ・プレーン・サービス・パケットのフロー特性情報に基づき、ＵＥとエッジ・アプリケーションとの間の、ＵＧＷスイッチング・プレーン上の転送パスを決定することを含む。
【００６７】
任意に、Ｓ２０４の後に、方法は：ＵＭＣユニットは、第１更新要求メッセージをＣＧＷへ送信し、第１更新要求メッセージは、ＵＥとエッジ・アプリケーションとの間の転送パスを伝え、それにより、ＣＧＷは、第１ＵＧＷにおけるＵＥのためのアクセス・ポートと第２ＵＧＷにおけるアプリケーションのためのアクセス・ポートとの間のパスを確立するよう、ＵＥとエッジ・アプリケーションとの間の転送パスに基づき、ユーザ・プレーン・パケット転送規則を第１ＵＧＷ及び第２ＵＧＷへ送ることを更に含む。
【００６８】
本発明のこの実施形態において、ＵＥアタッチ及びアクセスの後に、ＵＭＣユニットは、ＵＥのＩＰアドレスと第１ＵＧＷとの間の第１マッピング関係と、エッジ・アプリケーションのＩＰアドレスと第２ＵＧＷとの間の第２マッピング関係とに基づき、ＵＥとエッジ・アプリケーションとの間の最適なパケット転送パスを構成することができる。
【００６９】
本発明において、ＵＭＣユニットは、ＣＧＷ又はＭＭＥを使用することによって、ＵＥアタッチ・イベント情報を取得してよい。本発明の実施形態における解決法は、ＵＥアタッチ・イベント情報をＵＭＣユニットへ報告する種々のオブジェクト、及びＵＥがアクセスすることを求めるエッジ・アプリケーションが、ＵＥアタッチ・イベント情報が受信された後に開始されたかどうか、のような種々の状況に基づき、以下で詳細に記載される。
【００７０】
図５は、本発明の実施形態に従う可能なシステム・アーキテクチャの図を示す。図５に示されるように、ＵＭＣユニットは、第２インターフェイス（又はｉｆ２インターフェイスと呼ばれる。）を使用することによってＣＧＷへ接続され、ＵＭＣユニットは、第１インターフェイス（又はｉｆ１インターフェイスと呼ばれる。）を使用することによってクラウド・コントローラへ接続され、ＭＭＥは、ＣＧＷへ接続されるが、ＵＭＣユニットへの接続を有していない。
【００７１】
図５に示されるように、ｉｆ１インターフェイスを使用することによってＵＭＣユニットによって実装される機能は、次を含む。
【００７２】
（１）ＵＭＣユニットが、クラウド・コントローラからエッジ・アプリケーションのマイグレーション・イベント情報を知る。エッジ・アプリケーションのマイグレーション・イベント情報は、エッジ・アプリケーションのマイグレーション・ステータス（例えば、エッジ・アプリケーションがマイグレーションを開始する、又はエッジ・アプリケーションがマイグレーションを完了する）、エッジ・アプリケーションのソース・エッジ・サーバの位置、及び対象エッジ・クラウド・サーバの位置を含む。具体的に、エッジ・クラウド・サーバの位置は、モバイル・ネットワーク内のエッジ・クラウド・サーバの地理的位置座標又はエグレスＩＰアドレスであってよい。
【００７３】
（２）ＵＭＣユニットが、クラウド・コントローラからエッジ・アプリケーションの作業ステータスの変化を知る。エッジ・クラウドの作業ステータスは、閉鎖状態、通常動作状態、及び同様のものを含む。
【００７４】
（３）ＵＭＣユニットが、エッジ・アプリケーション・モーション要求メッセージをクラウド・コントローラへ送る。エッジ・アプリケーション・モーション要求メッセージは、エッジ・アプリケーションの識別子と、エッジ・アプリケーションが移動した後の対象エッジ・クラウド・サーバの位置識別子とを運ぶ。エッジ・クラウド・サーバの位置は、モバイル・ネットワーク内のエッジ・クラウド・サーバの地理的位置座標又はエグレスＩＰアドレスであってよい。
【００７５】
（４）ＵＭＣユニットが、転送規則更新要求メッセージをクラウド・コントローラへ送る。
【００７６】
図５に示されるように、ｆ２インターフェイスを使用することによって実装される機能は、次を含む。
【００７７】
（１）ＣＧＷが、ＵＭＣユニットにユーザ・プレーン・データ・フロー情報を知らせる。ユーザ・プレーン・データ・フロー情報は、クインタプル（ＵＥのソースＩＰアドレス、ＵＥのあて先ＩＰアドレス、ソースＵＧＷポート番号、あて先ＵＧＷポート番号、及び上位層プロトコル・タイプ）のようなＵＥのサービス・フロー識別子又は完全なユーザ・プレーン・パケットを含む。
【００７８】
（２）ＵＭＣユニットが、ＣＧＷからＵＥモーション・イベント情報を知る。ＵＥモーション・イベント情報は、モーション・イベント・タイプ（例えば、アタッチメント、分離、ハンドオーバー、又はサービス要求）、現在アクセスされている基地局のＩＰ、及びそもそもアクセスされていた基地局のＩＰを含む。
【００７９】
（３）ＵＭＣユニットが、ゲートウェイＵＧＷ再選択要求メッセージをＣＧＷへ送る。ＵＧＷ再選択要求メッセージは、推奨されるＵＧＷを伝えてよい。
【００８０】
（４）ＵＭＣユニットが、ｉｆ２を使用することによってユーザ・プレーン接続変更要求メッセージをＣＧＷへ送る。ユーザ・プレーン接続変更要求メッセージは、新しいルーティング・メッセージを運ぶ。
【００８１】
図６は、本発明の実施形態に従って、ＵＥ及びエッジ・アプリケーションが最初にサービスを確立するアプリケーション・シナリオの図を示す。図６に示されるように、ＶＭ（Virtual  Machine，仮想マシン）は、モバイル・ネットワーク内に配置されているエッジ・クラウド内のハードウェア・デバイスにおいて配置される。エッジ・アプリケーションはＶＭで実行される。エッジ・クラウドは、モバイル・ネットワークの端に配置されているデータ・センターであってよい。図６に示されるように、ＵＥ及びエッジ・アプリケーションの両方がＵＧＷ１にアクセスし、転送パスはＵＥ＜−＞ＵＧＷ１＜−＞エッジ・アプリケーションであり、データはお互いと交換される。
【００８２】
図７Ａ及び図７Ｂは、本発明の実施形態に従って、ＵＥ及びエッジ・アプリケーションが最初にサービスを確立することの略通信図を示す。図７Ａ及び図７Ｂに示される方法は、図６に示されるシナリオに適用されてよい。ＵＭＣユニットがモバイル・ネットワーク内に導入された後に、モバイル・ネットワークは、ＵＥのためのエッジ・アプリケーションへのサービス接続を自動的に確立することができる。図７Ａ及び図７Ｂに示されるように、ＵＥ及びエッジ・アプリケーションがモバイル・ネットワークにアクセスするプロセスは、次のステップを含む。
【００８３】
Ｓ３０１．ＵＭＣユニットは、クラウド・コントローラによって送信されるエッジ・アプリケーションのアプリケーション開始イベント・メッセージを受信する。
【００８４】
エッジ・アプリケーションが初期化された後に、クラウド・コントローラは、ＵＭＣユニットにアプリケーション開始イベント・メッセージを知らせる。アプリケーション開始イベント・メッセージは、エッジ・アプリケーションの識別子、エッジ・アプリケーションのＩＰアドレス、及びエッジ・アプリケーションが位置するエッジ・クラウド・サーバの位置識別子のような情報を運ぶ。
【００８５】
Ｓ３０２．ＵＭＣユニットは、モバイル・スイッチング・プレーン上のエッジ・アプリケーションのアクセス位置として、モバイル・ネットワークのネットワーク・トポロジ及びエッジ・アプリケーションの位置に基づき近接の原理に従ってエッジ・アプリケーションのためのＵＧＷにおけるポート（図５におけるＵＧＷ１におけるポート）を選択し、そして、ＵＭＣユニットは、エッジ・アプリケーションのＩＰアドレスとＵＧＷ１におけるポートとの間のマッピング関係を記録する。
【００８６】
Ｓ３０３．ＵＭＣユニットは、エッジ・アプリケーションによってＵＧＷ１にアクセスするためのアクセス規則をクラウド・コントローラへ供給する。
【００８７】
Ｓ３０４．クラウド・コントローラは、エッジ・クラウド・サーバのネットワーク・エグレス転送規則を構成し、エッジ・クラウド・サーバからＵＧＷ１へのエッジ・アプリケーションの転送パスを確立し、転送パスは、ＩＰルーティング、Ｅｔｈｅｒｎｅｔスイッチング、トンネリング、及び同様のものであってよい。
【００８８】
Ｓ３０５．ＵＭＣユニットは、ＵＧＷ１の対応するポートに対するエッジ・アプリケーションのアクセス・ポート・ポリシーを構成するよう要求するための要求メッセージをＣＧＷへ送る。
【００８９】
Ｓ３０６．ＣＧＷは、ＵＧＷ１に対するエッジ・アプリケーションのアクセス・ポート・ポリシー（例えば、ＩＰルーティング方法、Ｅｔｈｅｒｎｅｔスイッチング方法、及びトンネリング方法）を構成するよう構成メッセージをＵＧＷ１へ供給し、エッジ・アプリケーションとＵＧＷ１とを接続する。
【００９０】
Ｓ３０７．ＭＭＥは、ＵＥがモバイル・ネットワークにアタッチされ、且つ、ＭＭＥがＲＲＣ接続確立、認証、ＮＡＳセキュリティ、及び位置更新のプロシージャを完了した後に、セッション生成要求メッセージをＣＧＷへ送る。
【００９１】
Ｓ３０８．セッション生成要求メッセージを受信した後、ＣＧＷは、パーシングを通じてＵＥアタッチ・イベントを取得し、ＵＭＣユニットにモーション（アタッチ）・イベントを知らせ、モーション・イベントは、ＵＥによってアクセスされるｅＮＢのＩＰアドレス及び同様のものを伝える。
【００９２】
Ｓ３０９．ＵＭＣユニットは、ＵＥに割り当てられるＵＧＷを決定し、選択されたＵＧＷに関する情報をＣＧＷへ送る。
【００９３】
ＵＭＣユニットがＵＧＷをＵＥに割り当てる方法に加えて、ＣＧＷがＵＧＷをＵＥに割り当ててよく、ＣＧＷは、ＵＥに割り当てられたＵＧＷに関する情報をＵＭＣユニットへ送る。
【００９４】
Ｓ３１０．ＵＭＣユニットは、ＵＥのＩＰアドレスとＵＧＷとの間のマッピング関係を記録する。
【００９５】
例えば、ＵＥに割り当てられたＵＧＷは、ＵＧＷ１におけるポートである。この場合に、ＵＭＣユニットは、ＵＥのＩＰアドレスとＵＧＷ１におけるポートとの間のマッピング関係を記録する。
【００９６】
Ｓ３１１．ＣＧＷは、ＧＴＰトンネリング規則をＵＧＷ１へ供給し、ＵＧＷ１は、ＵＧＷ１とＣＧＷとの間のＧＴＰトンネルを確立する。
【００９７】
Ｓ３１２．ＣＧＷは、セッション生成応答メッセージをＭＭＥへ送る。
【００９８】
Ｓ３１３．ＭＭＥは、アタッチ・アクセプト（Attach  accept）・メッセージをｅＮＢへ送り、コンテキスト・セットアップ要求を開始する。
【００９９】
ｅＮＢは、メッセージを受信した後にＲＲＣ接続を再構成する。モバイル・ネットワークは、ＵＥアタッチ・プロシージャを完了するよう、ＡＳセキュリティ及びベアラ更新のプロシージャを実行する。
【０１００】
Ｓ３１４．ＵＥは、データ接続要求を開始し、データパケットがＵＧＷ１に到着する場合に、ＵＧＷ１は対応する転送規則を有してないので、ＵＧＷ１は、ユーザ・プレーン・データ・フローが到着することを示すメッセージをＣＧＷに知らせる。ユーザ・プレーン・データ・フローが到着することを示すメッセージは、完全なユーザ・プレーン・パケットを運ぶ。
【０１０１】
Ｓ３１５．ユーザ・プレーン・データ・フローが到着することを示すメッセージをＣＧＷがパースし、接続が新しいサービス接続であると決定した後、ＣＧＷは、ＵＭＣユニットにユーザ・プレーン・サービス接続確立イベントを知らせる。イベントは、ソース／あて先ＩＰアドレス、ポート番号、及び上位層プロトコル・タイプのような、サービス識別情報を伝える。
【０１０２】
Ｓ３１６．ＵＭＣユニットは、新しいサービス接続が存在するとの決定後にサービス接続コンテキストをセットアップし、ＩＰとＵＧＷとの間の前に確立されたマッピング関係から、新しいサービスのソースＩＰアドレス及びあて先ＩＰアドレスに対応するＵＧＷを見つけ、ＵＥのためのアクセス・ポートからエッジ・アプリケーションのためのアクセス・ポートへのパスを計算する。
【０１０３】
Ｓ３１７．ＵＭＣユニットは、計算された転送パスをＣＧＷへ伝え、ＣＧＷに、ユーザ・プレーン転送パスを更新するよう要求する。
【０１０４】
Ｓ３１８．ＣＧＷは、ユーザ・プレーン転送パスをユーザ・プレーン・パケット転送規則に変換し、ユーザ・プレーン・パケット転送規則を対応するＵＧＷへ供給し、ＵＧＷは、ＵＥのためのアクセス・ポートからエッジ・アプリケーションのためのアクセス・ポートへの転送パスを確立するよう転送規則を構成する。
【０１０５】
前述のプロシージャにおいて、ＵＥがアクセスすることを期待するアプリケーションは、前もって開始されている。ＵＥがアタッチされるときに、アクセスされるアプリケーションがロードされていない場合には、ＵＭＣユニットは、図８Ａ及び図８Ｂ又は図９Ａ及び図９Ｂに示される解決法を使用することによって、ＵＥのためのアプリケーション・サーバを自動的にロードすることができる。
【０１０６】
図８Ａ及び図８Ｂは、本発明の実施形態に従って、ＵＥがアクセスする必要があるエッジ・アプリケーションをパースする方法の略通信図を示す。図８Ａ及び図８Ｂに示されるように、方法に従って、ＵＥがアクセスする必要があるアプリケーションは、コントロール・プレーン上でパースされ、例えば、アプリケーションは、ＡＰＮを使用することによってパースされる。具体的なプロシージャは、次を含む。
【０１０７】
Ｓ４０１．ＭＭＥは、ＵＥがモバイル・ネットワークにアタッチされ、且つ、ＭＭＥがＲＲＣ接続確立、認証、ＮＡＳセキュリティ、及び位置更新のプロシージャを完了した後に、セッション生成要求メッセージをＣＧＷへ送る。
【０１０８】
Ｓ４０２．セッション生成要求メッセージを受信した後、ＣＧＷは、パーシングを通じてＵＥアタッチ・イベントを取得し、ＵＭＣユニットにモーション（アタッチ）・イベントを知らせ、モーション・イベントは、ＵＥによってアクセスされるｅＮＢのＩＰアドレス及び同様のものを伝える。
【０１０９】
Ｓ４０３．ＵＭＣユニットは、ＵＥに割り当てられるＵＧＷを決定し、ＵＥのＩＰアドレスとＵＧＷとの間のマッピング関係を記録する。
【０１１０】
Ｓ４０４．ＵＭＣユニットは、選択されたＵＧＷに関する情報をＣＧＷへ送る。
【０１１１】
Ｓ４０５．ＵＭＣユニットは、例えば、ＵＥのＡＰＮ情報に基づき、ＵＥのアプリケーション要件を決定する。
【０１１２】
Ｓ４０６．ＵＭＣユニットは、対応するエッジ・アプリケーションを開始するよう要求するための要求メッセージをクラウド・コントローラへ送る。具体的に、要求メッセージは、ＵＭＣユニットが開始するよう要求するエッジ・アプリケーションのアプリケーション識別子及び仕様、エッジ・アプリケーションが位置するエッジ・クラウド・サーバの位置識別子、並びに同様のものを運ぶ。
【０１１３】
Ｓ４０７．クラウド・コントローラは、ＵＭＣユニットによって送信される、エッジ・アプリケーションを開始するよう要求するための要求メッセージに基づく仕様によりエッジ・アプリケーションを生成し、エッジ・アプリケーション開始コマンドをエッジ・クラウド・サーバへ供給し、エッジ・クラウド・サーバは、リソースを割り当て、アプリケーション・サービスを開始する。
【０１１４】
Ｓ４０８．ＣＧＷは、ＧＴＰトンネリング規則をＵＧＷ１へ供給し、ＵＧＷ１は、ＵＧＷ１とＣＧＷとの間のＧＴＰトンネルを確立する。
【０１１５】
Ｓ４０９．ＣＧＷは、セッション生成応答メッセージをＭＭＥへ送る。
【０１１６】
Ｓ４１０．ＭＭＥは、アタッチ・アクセプト（Attach  accept）・メッセージをｅＮＢへ送り、コンテキスト・セットアップ要求を開始し、ｅＮＢは、メッセージを受信した後にＲＲＣ接続を再構成し、モバイル・ネットワークは、ＵＥアタッチ・プロシージャを完了するよう、ＡＳセキュリティ及びベアラ更新のプロシージャを実行する。
【０１１７】
Ｓ４１１．エッジ・クラウド・サーバは、エッジ・アプリケーション開始完了メッセージをクラウド・コントローラへ送る。
【０１１８】
Ｓ４１２．クラウド・コントローラは、ＵＭＣユニットにアプリケーション開始イベントを知らせ、アプリケーション開始イベントは、アプリケーションの識別子及びＩＰアドレス、並びに（エッジ・クラウド）位置識別子のような、情報を伝える。
【０１１９】
Ｓ４１３．ＵＭＣユニットは、ＵＧＷ１の接続ポートをエッジ・アプリケーションに割り当て、エッジ・アプリケーションのＩＰとＵＧＷ１のポートとの間のマッピング関係を記録する。
【０１２０】
Ｓ４１４．ＵＭＣユニットは、エッジ・アプリケーションによってＵＧＷ１にアクセスするためのアクセス規則をクラウド・コントローラへ供給する。
【０１２１】
Ｓ４１５．クラウド・コントローラは、エッジ・クラウド・サーバのネットワーク・エグレス転送規則を構成し、エッジ・クラウド・サーバからＵＧＷ１へのエッジ・アプリケーションの転送パスを確立し、転送パスは、ＩＰルーティング、Ｅｔｈｅｒｎｅｔスイッチング、トンネリング、及び同様のものであってよい。
【０１２２】
Ｓ４１６．ＵＭＣユニットは、ＵＧＷ１の対応するポートに対するエッジ・アプリケーションのアクセス・ポート・ポリシーを構成するよう要求するための要求メッセージをＣＧＷへ送る。
【０１２３】
Ｓ４１７．ＣＧＷは、ＵＧＷ１に対するエッジ・アプリケーションのアクセス・ポート・ポリシー（例えば、ＩＰルーティング方法、Ｅｔｈｅｒｎｅｔスイッチング方法、及びトンネリング方法）を構成するよう構成メッセージをＵＧＷ１へ供給し、エッジ・アプリケーションとＵＧＷ１とを接続する。
【０１２４】
ＵＥがデータ接続要求を開始する場合に、ＵＥとエッジ・アプリケーションとの間の転送パスを確立する方法は、前述の方法と同じであり、詳細については再度記載されない。
【０１２５】
図９Ａ及び図９Ｂは、本発明の実施形態に従って、ＵＥがアクセスする必要があるエッジ・アプリケーションをパースする他の方法の略通信図を示す。図９Ａ及び図９Ｂに示される方法において、ＵＥがアクセスする必要があるエッジ・アプリケーションに関する情報は、ＵＥのアクセス要件を取得するよう、ＵＥによって送信されたユーザ・プレーン・パケットをパースすること、例えば、ＵＥによって送信されたＤＮＳメッセージをパースすることによって取得されてよい。図９Ａ及び図９Ｂに示される方法は、次のステップを含む。
【０１２６】
Ｓ５０１はＳ４０１と同じである。Ｓ５０２において、ＭＭＥは、セッション生成要求メッセージをＣＧＷへ送る。Ｓ５０３はＳ４０２と同じであり、詳細については再度記載されない。
【０１２７】
Ｓ５０４．ＵＭＣユニットは、ＵＥに割り当てられるＵＧＷを決定し、選択されたＵＧＷに関する情報をＣＧＷへ送る。
【０１２８】
ＵＭＣユニットがＵＧＷをＵＥに割り当てる方法に加えて、ＣＧＷがＵＧＷをＵＥに割り当ててよく、ＣＧＷは、ＵＥに割り当てられたＵＧＷに関する情報をＵＭＣユニットへ送る。
【０１２９】
Ｓ５０５．ＵＭＣユニットは、ＵＥのＩＰアドレスとＵＧＷとの間のマッピング関係を記録する。
【０１３０】
例えば、ＵＥに割り当てられたＵＧＷは、ＵＧＷ１におけるポートである。この場合に、ＵＭＣユニットは、ＵＥのＩＰアドレスとＵＧＷ１におけるポートとの間のマッピング関係を記録する。
【０１３１】
Ｓ５０６．ＣＧＷは、ＧＴＰトンネリング規則をＵＧＷ１へ供給し、ＵＧＷ１は、ＵＧＷ１とＣＧＷとの間のＧＴＰトンネルを確立する。
【０１３２】
Ｓ５０７．ＣＧＷは、セッション生成応答メッセージをＭＭＥへ送る。
【０１３３】
Ｓ５０８．ＭＭＥは、アタッチ・アクセプト（Attach  accept）・メッセージをｅＮＢへ送り、コンテキスト・セットアップ要求メッセージを送信する。
【０１３４】
Ｓ５０７．ｅＮＢは、コンテキスト・セットアップ要求メッセージを受信した後にＲＲＣ接続を再構成し、モバイル・ネットワークは、ＵＥアタッチ・プロシージャを完了するよう、ＡＳセキュリティ及びベアラ更新のプロシージャを実行する。
【０１３５】
Ｓ５０８．ＵＥは、データ接続要求を開始し、データパケットがＵＧＷ１に到着する場合に、ＵＧＷ１は対応する転送規則を有してないので、ＵＧＷ１は、ユーザ・プレーン・データ・フローが到着することを示すメッセージをＣＧＷに知らせる。ユーザ・プレーン・データ・フローが到着することを示すメッセージは、完全なユーザ・プレーン・パケットを運ぶ。
【０１３６】
Ｓ５１１．ユーザ・プレーン・データ・フローが到着することを示すメッセージをＣＧＷがパースし、接続が新しいサービス接続であると決定した後、ＣＧＷは、ＵＭＣユニットにユーザ・プレーン・サービス接続確立イベントを知らせる。イベントは、完全なユーザ・プレーン・パケットを伝える。
【０１３７】
Ｓ５１２．ＵＭＣユニットは、ＵＥによって送信されたユーザ・プレーン・パケットをパースし、ＵＥがアクセスする必要があるエッジ・アプリケーションを決定し、例えば、パケット・ペイロード内のドメイン名情報に基づき、ＵＥがアクセスする必要があるエッジ・アプリケーションを決定する。
【０１３８】
Ｓ５１３．ＵＭＣユニットは、対応するエッジ・アプリケーションを開始するよう要求するための要求メッセージをクラウド・コントローラへ送る。具体的に、要求メッセージは、ＵＭＣユニットが開始するよう要求するエッジ・アプリケーションのアプリケーション識別子及び仕様、エッジ・アプリケーションが位置するエッジ・クラウド・サーバの位置識別子、並びに同様のものを運ぶ。
【０１３９】
Ｓ５１４．クラウド・コントローラは、ＵＭＣユニットによって送信される、対応するエッジ・アプリケーションを開始するよう要求するための要求メッセージに基づく仕様によりエッジ・アプリケーションを生成し、エッジ・アプリケーション開始コマンドをエッジ・クラウド・サーバへ供給し、エッジ・クラウド・サーバは、エッジ・アプリケーション開始コマンドに基づきリソースを割り当て、アプリケーション・サービスを開始する。
【０１４０】
Ｓ５１５及びＳ５１６は、図８Ａ及び図８ＢにおけるＳ４１１及びＳ４１２と同じ又は同様である。詳細な説明については、図８Ａ及び図８Ｂにおける記載を参照されたい。詳細については再度記載されない。
【０１４１】
ステップＳ５１７：ＵＭＣユニットは、エッジ・アプリケーションのＩＰアドレスとＵＧＷとの間のマッピング関係を記録し、サービス接続コンテキストをセットアップする。
【０１４２】
ＵＭＣユニットは、ＩＰとＵＧＷとの間の前に確立されたマッピング関係から、新しいサービスのソースＩＰアドレス及びあて先ＩＰアドレスに対応するＵＧＷを見つけ、ＵＥのためのアクセス・ポートからエッジ・アプリケーションのためのアクセス・ポートへのパスを計算する。
【０１４３】
Ｓ５１８及びＳ５２１は、図８Ａ及び図８ＢにおけるＳ４１４及びＳ４１７と同じ又は同様である。詳細な説明については、図８Ａ及び図８Ｂにおける記載を参照されたい。詳細については再度記載されない。
【０１４４】
更には、ＵＭＣユニットは、ＵＥのためのアクセス・ポートからエッジ・アプリケーションのためのアクセス・ポートへの計算された転送パスをＣＧＷへ伝え、ＣＧＷに、ユーザ・プレーン転送パスを更新するよう要求する。ＣＧＷは、ユーザ・プレーン転送パスをユーザ・プレーン・パケット転送規則に変換し、ユーザ・プレーン・パケット転送規則を対応するＵＧＷへ供給する。ＵＧＷは、転送規則を構成し、ＵＥのためのアクセス・ポートからエッジ・アプリケーションのためのアクセス・ポートへの転送パスをクリアする。
【０１４５】
ＵＥ及びエッジ・アプリケーションが接続された後、方法のアプリケーション・シナリオは、ＵＥのみが動くか、又はエッジ・アプリケーションのみが動くか、又はＵＥ及びエッジ・アプリケーションの両方が動くシナリオを更に含む。
【０１４６】
エッジ・アプリケーションが動く場合に、方法は：
ＵＭＣは、クラウド・コントローラによって送信されたエッジ・アプリケーション・マイグレーション・イベント情報を受信し、エッジ・アプリケーション・マイグレーション・イベント情報は、エッジ・アプリケーションのＩＰアドレス及びエッジ・アプリケーションの新しい位置情報を運び；
ＵＭＣは、エッジ・アプリケーションのＩＰアドレス及びエッジ・アプリケーションの新しい位置情報に基づき、第３ＵＧＷ及び第３ＵＧＷにアクセスするためのポートをエッジ・アプリケーションに割り当て；
ＵＭＣは、エッジ・アプリケーションのＩＰアドレスと第３ＵＧＷにおけるポートとの間のマッピング関係を記録し；
ＵＭＣは、エッジ・アプリケーションによって第３ＵＧＷにアクセスするためのアクセス規則をクラウド・コントローラへ送り、アクセス規則は、エッジ・アプリケーションから第３ＵＧＷへの転送パスを構成するためにクラウド・コントローラによって使用され、更には、エッジ・アプリケーションから第２ＵＧＷへの転送パスを削除するためにクラウド・コントローラによって使用され；
ＵＭＣは、第３ＵＧＷに対するエッジ・アプリケーションのアクセス・ポート・ポリシーを構成するよう要求するための要求メッセージをＣＧＷへ送って、ＣＧＷが、第４要求メッセージに基づき構成メッセージを第３ＵＧＷへ供給し、第３ＵＧＷが、エッジ・アプリケーションと第３ＵＧＷとを接続するために、構成メッセージに基づき第３ＵＧＷに対するエッジ・アプリケーションのアクセス・ポート・ポリシーを構成するようにし、ＣＧＷは、更に、要求メッセージをＣＧＷに基づきＵＥのパケットのために第２ＵＧＷ及び第３ＵＧＷのユーザ・プレーン転送規則を更新する
ことを含む。
【０１４７】
ＵＥが動く場合に、方法は：
ＵＭＣは、ＣＧＷ又はＭＭＥによって送信されたＵＥ位置モーション・イベント情報を受信し、ＵＥ位置モーション・イベント情報は、ＵＥのＩＰアドレス及び対象基地局のＩＰアドレスを運び；
ＵＭＣは、ＵＥのＩＰアドレス及び対象基地局のＩＰアドレスに基づき、第４ＵＧＷをＵＥに割り当て；
ＵＭＣは、ゲートウェイ再選択要求メッセージをＣＧＷ又はＭＭＥへ送り、ゲートウェイ再選択要求メッセージは、第４ＵＧＷの識別子又はＩＰを運び、それにより、ＣＧＷは、ＵＥと対象基地局とを接続し、対象基地局と第４ＵＧＷとの間にＧＴＰトンネルを確立し；
ＵＭＣは、ＣＧＷによって送られるＵＥのゲートウェイ再選択完了メッセージを受信し；
ＵＭＣは、ＵＥのＩＰアドレスと第４ＵＧＷとの間のマッピング関係を更新し；
ＵＭＣは、セットアップされたＵＥに対応するサービス・コンテキストに基づき、ＵＥとエッジ・アプリケーションとの間の、ＵＧＷスイッチング・プレーンにおける転送パスを再決定し；
ＵＭＣは、ユーザ・プレーン転送パスを更新するための更新要求メッセージをＣＧＷへ送り、更新要求メッセージは、ＵＥとエッジ・アプリケーションとの間の、ＵＧＷスイッチング・プレーンにおける再決定された転送パスを伝え、それにより、ＣＧＷは、ＵＥとエッジ・アプリケーションとの間の、ＵＧＷスイッチング・プレーンにおける再決定された転送パスをユーザ・プレーン・パケット転送規則に変換し、ユーザ・プレーン・パケット転送規則をエッジ・アプリケーションに割り当てられているＵＥ及び第４ＵＧＷへ送って、エッジ・アプリケーションに割り当てられているＵＥ及び第４ＵＧＷが、第４ＵＧＷにおけるＵＥのためのアクセス・ポートとエッジ・アプリケーションのためのＵＧＷアクセス・ポートとの間の転送パスを確立するために、対応するパケット転送規則を構成するようにし、ＣＧＷは、更に、第１ＵＧＷにおけるＵＥのためのアクセス・ポートとエッジ・アプリケーションのためのＵＧＷアクセス・ポートとの間の転送パスを削除する
ことを含む。
【０１４８】
図１０は、本発明の実施形態に従って、ＵＥがエッジ・アプリケーションに接続した後にＵＥのみが動く協働型コミュニケーションのアプリケーション・シナリオの図を示す。図１０に示されるように、ＵＥがエッジ・アプリケーションに接続された後に、ＵＥとエッジ・アプリケーションとの間の転送パスは、ＵＥ＜−＞ＵＧＷ１＜−＞ＵＧＷ２＜−＞エッジ・アプリケーションである。ＵＥの位置が変化した後に、ＵＥとエッジ・アプリケーションとの間の前に構成された転送パスは、最適なパスでないことがある。この場合に、ＵＭＣユニットは、ＵＥが動いた後の位置に基づきＵＧＷゲートウェイをＵＥに割り当て直し、そして、ＵＥとエッジ・アプリケーションとの間の転送パスが最適な転送パスであることを確かにするために、ＵＥとエッジ・アプリケーションとの間の転送パスを再計算してよい。
【０１４９】
図１１Ａ乃至図１１Ｃは、本発明の実施形態に従って、ＵＥがエッジ・アプリケーションに接続した後にＵＥのみが動く協働型コミュニケーションの略通信図を示す。図１１Ａ乃至図１１Ｃに示されるように、方法の具体的なプロシージャは、次のステップを含む。
【０１５０】
Ｓ６０１．ＵＥは、異なるセルの信号長さを測定し、測定結果をソースｅＮＢに報告し、ソースｅＮＢは、ＵＥによって報告される各セルの信号長さに基づき、セル・ハンドオーバーを実行すると決定する。
【０１５１】
Ｓ６０２．ソースｅＮＢは、ＵＥのセル・ハンドオーバー要求メッセージをＭＭＥへ送る。
【０１５２】
Ｓ６０３．ＭＭＥは、ＵＥのためにＵＧＷ３を選択するようＣＧＷに要求するよう、セッション生成要求メッセージをＣＧＷへ送る。
【０１５３】
Ｓ６０４．ＣＧＷは、ＵＥモーション通知メッセージをＵＭＣユニットへ送り、通知メッセージは、ＵＥのＩＰアドレス及びアクセスされる対象ｅＮＢのＩＰアドレスのような、ＵＥの位置モーション・イベント情報を運ぶ。
【０１５４】
Ｓ６０５．ＵＭＣユニットは、ＵＥのモーション・イベントを取得した後にモバイル協調を実行する。
【０１５５】
例えば、ＵＭＣユニットは、ネットワーク・トポロジ、ＵＥサービス接続ステータス、及び協調ポリシーに基づき、ＵＥのための適切なＵＧＷを再選択する。
【０１５６】
Ｓ６０６．ＵＭＣユニットは、ゲートウェイＵＧＷ再選択要求メッセージをＣＧＷへ送り、ＵＧＷ再選択要求メッセージは、ＵＧＷ３のＩＰを運ぶ。
【０１５７】
Ｓ６０７．ＣＧＷは、対象ｅＮＢと対象ＵＧＷ３との間にＧＴＰトンネルを確立するよう、ＧＴＰトンネル確立規則をＵＧＷ３へ送る。
【０１５８】
Ｓ６０８．ＣＧＷは、セッション生成応答メッセージをＭＭＥへ送る。
【０１５９】
Ｓ６０９ａ．ＭＭＥは、ハンドオーバー（Handover）要求メッセージを対象ｅＮＢへ送り、ハンドオーバー要求メッセージは、ＵＧＷ３のＩＰアドレス及びＴＥＩＰを運ぶ。
【０１６０】
Ｓ６０９ｂ．対象ｅＮＢは、対象ｅＮＢとＵＧＷ３との間にＧＴＰベアラを確立し、ハンドオーバー（Handover）要求アクノリッジメント・メッセージをＭＭＥへ返す。
【０１６１】
Ｓ６１０．ＭＭＥは、間接データ転送トンネル確立プロシージャを開始し、データ転送トンネル、すなわち、ソースｅＮＢ＜−＞ＵＧＷ１＜−＞ＵＧＷ２＜−＞対象ｅＮＢを確立し、ソースｅＮＢによってバッファリングされているダウンリンク・ユーザ・データを対象ｅＮＢへ転送する。
【０１６２】
Ｓ６１１．ＭＭＥは、ＵＥハンドオーバー・コマンドをソースｅＮＢへ送る。
【０１６３】
Ｓ６１２．ソースｅＮＢは、ハンドオーバー・コマンドをＵＥへ送る。
【０１６４】
Ｓ６１３．ＵＥは、ソースｅＮＢへのＲＲＣ接続を切り、対象ｅＮＢへのＲＲＣ接続を確立し、ハンドオーバー・アクノリッジメント・メッセージを対象ｅＮＢへ送る。
【０１６５】
Ｓ６１４．対象ｅＮＢは、無線ハンドオーバー通知メッセージをＭＭＥへ送る。
【０１６６】
Ｓ６１５乃至Ｓ６１７において、ＭＭＥは、ＧＴＰトンネル更新プロシージャを開始し、ＵＧＷ３のトンネル転送規則を更新し、ＭＭＥと対象ｅＮＢとの間にＧＴＰトンネルを確立する。
【０１６７】
Ｓ６１８：ＣＧＷは、ＵＧＷ再選択が完了したことＵＭＣユニットに知らせる。
【０１６８】
Ｓ６１９．ＵＭＣユニットは、ＵＥのＩＰとＵＧＷとの間のマッピング関係を更新し、ＵＥに関連したサービス接続コンテキストをサービス接続記録から見つけ、ＵＥのためのＵＧＷスイッチング・プレーン上の転送パスを再計算する。
【０１６９】
Ｓ６２０．ＵＭＣユニットは、新しいパスをＣＧＷへ送り、ＣＧＷに、ＵＧＷパケット転送規則を更新するよう要求する。
【０１７０】
Ｓ６２１．ＣＧＷは、ＵＧＷ転送規則を更新し、ＵＧＷ３からＵＧＷ２への転送パスを確立し、ＵＧＷ１からＵＧＷ２への転送パスを削除する。
【０１７１】
Ｓ６２２．ＭＭＥは、ＴＡＵプロシージャを実行し、ソースｅＮＢとＵＧＷ１との間のベアラを削除し、間接転送トンネルを削除する。
【０１７２】
図１２は、本発明の実施形態に従って、ＵＥが動いた後のＵＥとエッジ・アプリケーションとの間の協働型コミュニケーションのアプリケーション・シナリオの図を示す。図１２から明らかなように、ＵＥが動いた後に、前述のモバイル協働型コミュニケーション方法に従って、新しいＵＧＷがＵＥに割り当てられ、そして、ＵＥとエッジ・アプリケーションとの間の転送パスは、ＵＥとエッジ・アプリケーションとの間の転送パスが最適なままであることを確かにし、エンド・ツー・エンドのサービス接続を最適化し、且つ、ビジネス連続性を維持するために、再計算される。
【０１７３】
図１３は、本発明の実施形態に従って、ＵＥがエッジ・アプリケーションに接続した後にエッジ・アプリケーションのみが動く協働型コミュニケーション・シナリオの図を示す。図１３に示されるように、エッジ・アプリケーションが動く前には、ＵＥとエッジ・アプリケーションとの間の転送パスは、ＵＥ＜−＞ＵＧＷ３＜−＞ＵＧＷ２＜−＞エッジ・アプリケーションである。エッジ・アプリケーションが動いた後に、ＵＥとエッジ・アプリケーションとの間の前に構成された転送パスは、最適なパスでないことがある。この場合に、ＵＭＣユニットは、エッジ・アプリケーションが動いた後の位置に基づきＵＧＷをエッジ・アプリケーションに割り当て直し、そして、ＵＥとエッジ・アプリケーションとの間の転送パスが最適な転送パスであることを確かにするために、ＵＥとエッジ・アプリケーションとの間の転送パスを再計算してよい。
【０１７４】
図１４は、本発明の実施形態に従って、ＵＥがエッジ・アプリケーションに接続した後にエッジ・アプリケーションのみが動く協働型コミュニケーションの略通信図を示す。図１４に示されるように、方法の具体的なプロシージャは、次を含む。
【０１７５】
Ｓ７０１．エッジ・アプリケーションがソース・エッジ・クラウド・サーバ（具体的に、ソースＶＭであってよい。）から対象エッジ・クラウド・サーバ（対象ＶＭ）へマイグレートした後に、クラウド・コントローラは、ＵＭＣユニットにエッジ・アプリケーション・モーション・イベントを通知する。通知メッセージは、エッジ・アプリケーションのＩＰアドレス及びエッジ・アプリケーションの新しい位置情報を運ぶ。
【０１７６】
Ｓ７０２．エッジ・アプリケーションが動いたと決定した後、ＵＭＣユニットは、モバイル協調を実行し、エッジ・アプリケーションのためにＵＧＷアクセス・ポートを再選択し、アクセス・ポリシーを割り当てる。
【０１７７】
Ｓ７０３．ＵＭＣユニットは、アクセス規則をクラウド・コントローラへ送る。
【０１７８】
Ｓ７０４．クラウド・コントローラは、エッジ・クラウドのネットワーク・エグレス転送規則を構成し、エッジ・クラウドからＵＧＷ３へのアプリケーションの転送パスを確立する。パスは、ＩＰ、Ｅｔｈｅｒｎｅｔ、トンネル、及び同様のものであってよい。
【０１７９】
Ｓ７０５．ＵＭＣユニットは、ＣＧＷに、ＵＧＷ３の対応するポートのアクセス・ポート・ポリシーと、ＵＧＷ２及びＵＧＷ３の転送規則とを構成するよう要求する。
【０１８０】
Ｓ７０６．ＣＧＷは、アクセス・ポート・ポリシー（例えば、ＩＰルーティング方法、Ｅｔｈｅｒｎｅｔスイッチング方法、及びトンネリング方法）を構成するよう構成をＵＧＷ３へ供給し、アプリケーションとＵＧＷ３とを接続し、ＵＧＷ２及びＵＧＷ３のパケット転送規則を更新する。
【０１８１】
図１５は、本発明の実施形態に従って、エッジ・アプリケーションが動いた後のＵＥとエッジ・アプリケーションとの間の協働型コミュニケーションの目標シナリオの図を示す。図１５から明らかなように、エッジ・アプリケーションが動いた後に、前述のモバイル協働型コミュニケーション方法に従って、新しいＵＧＷがエッジ・アプリケーションに割り当てられ、そして、ＵＥとエッジ・アプリケーションとの間の転送パスは、ＵＥとエッジ・アプリケーションとの間の転送パスが最適なままであることを確かにするために、再計算される。本発明のこの実施形態における方法に従って、ＵＭＣユニットが導入された後に、モバイル・ネットワークは、実時間においてエッジ・アプリケーションのマイグレーション・イベントを取得し、ユーザ・プレーン転送規則を自動的に調整し、それによって、ビジネス連続性を保つことができることが知られる。
【０１８２】
図１６は、本発明の実施形態に従って、ＵＥがエッジ・アプリケーションに接続した後にＵＥが動き、エッジ・アプリケーションが追随する協働型コミュニケーションのアプリケーション・シナリオの図を示す。図１６に示されるように、ＵＥが動く前には、ＵＥとエッジ・アプリケーションとの間の転送パスは、ＵＥ＜−＞ＵＧＷ１＜−＞エッジ・アプリケーションである。ＵＥが動いた後に、ＵＥとエッジ・アプリケーションとの間の前に構成された転送パスは、最適なパスでないことがある。この場合に、ＵＭＣユニットは、ＵＥとエッジ・アプリケーションとの間の転送パスが最適な転送パスであることを確かにするために、ＵＥの動きに基づきエッジ・アプリケーションの追随及びマイグレーションをトリガする。
【０１８３】
図１７Ａ乃至図１７Ｄは、本発明の実施形態に従って、ＵＥが動き、エッジ・アプリケーションが追随する協働型コミュニケーションの略通信図を示す。図１７Ａ乃至図１７Ｄに示されるように、プロシージャは次を含む。
【０１８４】
Ｓ８０１乃至Ｓ８０４は、Ｓ６０１乃至Ｓ６０４と同じである。詳細については再度記載されない。
【０１８５】
Ｓ８０５．ＵＭＣユニットは、ＵＥモーション・イベントを取得し、モバイル協調を実行し、具体的には、ＵＭＣユニットは、ＵＥのためにＵＧＷ（図１７ＡにおけるＵＧＷ２）を再選択し、ＵＥハンドオーバーが完了した後にエッジ・アプリケーションのためにＵＧＷ２の近くのエッジ・クラウド・サーバを選択する。
【０１８６】
Ｓ８０６乃至Ｓ８２０は、エッジ・アプリケーションのハンドオーバー・プロセスであり、Ｓ６０６乃至Ｓ６２０と同じ方法を使用することによって実行される。本発明のこの実施形態において、ＵＥは、ＵＧＷ１からＵＧＷ２へハンドオーバーされる。
【０１８７】
Ｓ８２１．ＣＧＷは、ＵＧＷ１及びＵＧＷ２の転送規則を更新する。
【０１８８】
Ｓ８２２．ＵＭＣユニットは、ＵＥモバイル・ハンドオーバーが完了したと決定し、エッジ・アプリケーション・モーション要求メッセージをクラウド・コントローラへ送り、エッジ・アプリケーション・モーション要求メッセージは、エッジ・アプリケーションのＩＰアドレス及び対象クラウド・サーバの位置情報を運ぶ。
【０１８９】
Ｓ８２３．エッジ・アプリケーションは、ソース・エッジ・クラウド・サーバから対象エッジ・クラウド・サーバへマイグレートする。
【０１９０】
Ｓ８２４．クラウド・コントローラは、エッジ・アプリケーション・モーション・イベントを公示し、イベントは、エッジ・アプリケーションのＩＰアドレス及び対象位置情報を伝える。
【０１９１】
Ｓ８２５．ＵＭＣユニットは、エッジ・アプリケーションのＩＰアドレスとＵＧＷとの間の対応を記録し、サービス接続コンテキストをセットアップし、ＵＥのためのアクセス・ポートからエッジ・アプリケーションのためのアクセス・ポートへのパスを計算する。
【０１９２】
Ｓ８２６．ＵＭＣユニットは、アクセス規則をクラウド・コントローラへ供給する。
【０１９３】
Ｓ８２７．クラウド・コントローラは、エッジ・クラウドのネットワーク・エグレス転送規則を構成し、エッジ・クラウドからＵＧＷ１へのアプリケーションの転送パスを確立し、パスは、ＩＰルーティング、Ｅｔｈｅｒｎｅｔスイッチング、トンネリング、及び同様のものであってよい。
【０１９４】
Ｓ８２８．ＵＭＣユニットは、ＣＧＷに、ＵＧＷ２の対応するポートのアクセス・ポート・ポリシー及び転送規則を構成するよう要求する。
【０１９５】
Ｓ８２９．ＣＧＷは、アクセス・ポート・ポリシー（例えば、ＩＰルーティング方法、Ｅｔｈｅｒｎｅｔスイッチング方法、及びトンネリング方法）を構成するよう構成をＵＧＷ２へ供給し、アプリケーションとＵＧＷ２とを接続し、ＵＥのためのアクセス・ポートからエッジ・アプリケーションのためのアクセス・ポートへの転送パスを構成する。
【０１９６】
図１８は、本発明の実施形態に従って、ＵＥが動き、エッジ・アプリケーションが追随する協働型コミュニケーションの略効果図を示す。図１８から明らかなように、ＵＥが新しい場所に移動した後に、ＵＭＣユニットはＵＥのためのＵＧＷを切り替え、エッジ・アプリケーションのマイグレーションをトリガし、エッジ・アプリケーションをＵＥのより近くの位置へ動かして、エッジ・アプリケーションがＵＥに追随することができるようにし、そして、サービス接続は最適化される。
【０１９７】
先行技術と比較して、本発明のこの実施形態における方法では、新しいネットワーク要素モビリティ・コーディネータＵＭＣユニットがモバイル・ネットワーク・コントロール・プレーンへ加えられ、ＵＭＣユニットは、クラウド・コンピューティング・マネージメント・センター内のクラウド・コントローラ及びＣＧＷへのシグナリング接続を確立し、実時間において２つのオブジェクト、すなわち、ＵＥ及びアプリケーションのモーション・イベントを検知し、サービス・フローの２つのエンドポイントの動きを協調させて、サービス接続が移動プロセスにおいて切断されないことを確かにする。
【０１９８】
本発明のこの実施形態に従って、エッジ・アプリケーションがシンクし、ゲートウェイがユーザのより近くに配置されるシナリオにおいて、２つのオブジェクト、すなわち、エッジ・アプリケーション及びＵＥのモーション・イベントは、１つのネットワーク素子上でコプロセスされる。これは、モバイル・コア・ネットワークがＵＥのみの動きを管理可能であり、クラウド・マネージメント・センターがアプリケーション及び仮想マシンのみのマイグレーションを管理可能であり、２つのオブジェクトのモーション・イベントが同時に管理され得ない、という従来のネットワークにおける欠点を解消する。本発明の実施形態では、ＵＥのＩＰアドレス及びエッジ・アプリケーションのＩＰアドレスが変化しないままであるときにサービスは中断されず、Ｅ２Ｅ転送パスは、最小限の遅延を実装するよう、必要に応じて最適化され得る。
【０１９９】
図１９は、本発明の実施形態に従う他の可能なシステム・アーキテクチャの図を示す。図１９に示されるように、ＵＭＣユニットは、ｉｆ２インターフェイスを使用することによってＣＧＷへ接続され、ＵＭＣユニットは、ｉｆ１インターフェイスを使用することによってクラウド・コントローラへ接続され、ＵＭＣユニットは、第３インターフェイス（又はｉｆ３インターフェイスと呼ばれる。）を使用することによってＭＭＥへ接続され、ＭＭＥは、ＣＧＷへ接続される。図１９に示されるシステム・アーキテクチャにおいて、図５に示されるシステム・アーキテクチャにおける内容と同じか又は類似している内容に関しては、図５に関連する詳細な記載を参照されたい。詳細はここでは記載されない。
【０２００】
図１９に示されるように、ｉｆ３インターフェイスを使用することによって実装される機能は、次を含む。
【０２０１】
（１）ＵＭＣユニットが、ＭＭＥからＵＥモーション・イベント情報を知る。ＵＥモーション・イベント情報は、モーション・イベント・タイプ（アタッチメント、分離、ハンドオーバー、又はサービス要求）、現在アクセスされている基地局のＩＰ、及びそもそもアクセスされていた基地局のＩＰを含む。
【０２０２】
（２）ＵＭＣユニットが、ゲートウェイＵＧＷ再選択要求メッセージをＭＭＥへ送る。ＵＧＷ再選択要求メッセージは、推奨されるＵＧＷを伝えてよい。
【０２０３】
図２０Ａ及び図２０Ｂは、本発明の実施形態に従って、ＵＥ及びエッジ・アプリケーションが最初にサービスを確立することの他の略通信図を示す。図２０Ａ及び図２０Ｂに示される方法は、図６に示されるシナリオにおいて実行されてよい。図２０Ａ及び図２０Ｂに示される方法は、図７Ａ及び図７Ｂに示される方法に類似している。図７Ａ及び図７Ｂに示されるＳ３０７及びＳ３０８がＳ９０７に変更されている点を除いて、図２０Ａ及び図２０Ｂにおけるプロシージャは、図７Ａ及び図７Ｂに示される、ＵＥ及びエッジ・アプリケーションが最初にサービスを確立する協働型コミュニケーション・プロシージャと同じである。詳細については再度記載されない。Ｓ９０７において、ＵＥがモバイル・ネットワークにアタッチされ、ＭＭＥがＲＲＣ接続確立、認証、ＮＡＳセキュリティ、及び位置更新のプロシージャを完了した後に、ＭＭＥは、ＵＭＣユニットにモーション（アタッチ）・イベントを通知し、モーション・イベントは、ＵＥによってアクセスされるｅＮＢのＩＰアドレス及び同様のものを伝える。
【０２０４】
図２０Ａ及び図２０Ｂに示される方法において、ＵＥがアクセスするよう要求するエッジ・アプリケーションは、前もって開始されている。ＵＥがアタッチされるときに、ＵＥがアクセスするよう要求するアプリケーションがロードされていない場合には、ＵＭＣユニットは、図８Ａ及び図８Ｂ又は図９Ａ及び図９Ｂに示される解決法を使用することによって、ＵＥのためのエッジ・アプリケーションを自動的にロードすることができる。具体的な実行プロセスでは、ＵＭＣユニットが、ＣＧＷよりむしろＭＭＥによってＵＥアタッチ・イベントを通知される点を除いて、プロシージャは、図８Ａ及び図８Ｂ並びに図９Ａ及び図９Ｂに示されるプロシージャと同じであり、詳細については再度記載されない。
【０２０５】
図２１Ａ乃至図２１Ｃは、本発明の実施形態に従って、ＵＥがエッジ・アプリケーションに接続した後にＵＥのみが動く協働型コミュニケーションの他の略通信図を示す。図２１Ａ乃至図２１Ｃに示される方法は、図１０に示されるシナリオにおいて実行されてよい。図２１Ａ乃至図２１Ｃに示される方法は、図１１Ａ乃至図１１Ｃに示される方法に類似し、次の変更が図１１Ａ乃至図１１Ｃに示される方法を基に行われる点を除いて、他のステップは図１１Ａ乃至図１１Ｃに記載されているものと同じである。詳細については再度記載されない。変更は、次を含む。
【０２０６】
図１１Ａ乃至図１１ＣにおけるＳ６０３及びＳ６０４はＳ１００３に変更される。ＭＭＥは、ＵＥモーション・イベント通知メッセージをＵＭＣユニットへ送り、通知メッセージは、ＵＥのＩＰアドレス及びアクセスされる対象ｅＮＢのＩＰアドレスのような、ＵＥの位置モーション・イベント情報を運ぶ。
【０２０７】
図１１Ａ乃至図１１ＣにおけるＳ６０６はＳ１００５に変更される。ＵＭＣユニットは、ゲートウェイＵＧＷ再選択要求メッセージをＭＭＥへ送り、ＵＧＷ再選択要求メッセージは、ＵＧＷ３のＩＰを運ぶ。
【０２０８】
ステップＳ１００６は、図１１Ａ乃至図１１Ｃに基づき付加される。Ｓ１００６で、ＭＭＥは、セッション生成要求メッセージをＣＧＷへ送る。
【０２０９】
図１１Ａ乃至図１１ＣにおけるＳ６１８はＳ１００８に変更される。ＭＭＥは、ＵＧＷ再選択完了メッセージをＵＭＣユニットへ送る。
【０２１０】
図１０に示されるシナリオが適用される場合に、ＵＥがエッジ・アプリケーションに接続した後にエッジ・アプリケーションのみが動くモバイル協働型コミュニケーション方法に関しては、図１４に示される方法を参照されたい。詳細については再度記載されない。
【０２１１】
図２２Ａ乃至図２２Ｃは、本発明の実施形態に従って、ＵＥがエッジ・アプリケーションに接続した後にＵＥが動き、エッジ・アプリケーションが追随する協働型コミュニケーションの他の略通信図を示す。図２２Ａ乃至図２２Ｃに示される方法は、図１７Ａ乃至図１７Ｄに示される方法に類似している。次の変更点を除く内容については、図１７Ａ乃至図１７Ｄに関連して詳細な記載を参照されたい。詳細については再度記載されない。
【０２１２】
図１７Ａ乃至図１７Ｄに示される通信プロシージャと比較して、変更は、次を含む。
【０２１３】
Ｓ８０３及びＳ８０４は、この実施形態ではＳ１１０３に変更される。Ｓ１１０３で、ＭＭＥは、モーション・イベント通知メッセージをＵＭＣユニットへ送り、通知メッセージは、ＵＥのＩＰアドレス、アクセスされる対象ｅＮＢのＩＰアドレス、及び同様のものを運ぶ。
【０２１４】
図１７Ａ乃至図１７Ｄに示される通信プロシージャにおけるＳ８０６は、この実施形態ではＳ１１０５に変更される。Ｓ１１０５で、ＵＭＣユニットは、ゲートウェイＵＧＷ再選択要求メッセージをＭＭＥへ送り、ＵＧＷ再選択要求メッセージは、選択されたＵＧＷのＩＰを運ぶ。
【０２１５】
Ｓ１１０６は、図１７Ａ乃至図１７Ｄに基づき付加される。Ｓ１１０６で、ＭＭＥは、セッション生成要求メッセージをＣＧＷへ送る。
【０２１６】
図１７Ａ乃至図１７ＤにおけるＳ８０８はＳ１１０８に変更される。ＣＧＷは、セッション生成応答メッセージをＭＭＥへ送る。
【０２１７】
Ｓ１１１０は、図１７Ａ乃至図１７ＤにおけるＳ８１０乃至Ｓ８１７に対応する。Ｓ１１１０は、間接データ転送トンネル確立、ｅＮＢハンドオーバー、ｅＮＢハンドオーバー、無線ベアラ確立、及びＧＴＰベアラ更新のプロシージャである。
【０２１８】
Ｓ１１１１：ＭＭＥは、ＵＧＷ再選択完了メッセージをＵＭＣユニットへ送る。
【０２１９】
Ｓ１１１２乃至Ｓ１１２２は、図１７Ａ乃至図１７ＤにおけるＳ８１９乃至Ｓ８２９に夫々対応している。詳細については再度記載されない。
【０２２０】
先行技術と比較して、本発明のこの実施形態における方法では、新しいネットワーク要素モビリティ・コーディネータＵＭＣユニットがモバイル・ネットワーク・コントロール・プレーンに加えられ、ＵＭＣユニットは、ＭＭＥ、ＣＧＷ、及びクラウド・コンピューティング・マネージメント・センター内のクラウド・コントローラへのシグナリング接続を確立し、実時間において２つのオブジェクト、すなわち、ＵＥ及びアプリケーションのモーション・イベントを決定し、サービス・フローの２つのエンドポイントの動きを協調させて、サービス接続が移動プロセスにおいて切断されないことを確かにする。
【０２２１】
図２３は、本発明の実施形態に従う更なる他の可能なシステム・アーキテクチャの図を示す。図２３から明らかなように、ＵＭＣユニットはＭＭＥとＣＧＷとの間に位置し、ＵＭＣユニットは、Ｓ１１インターフェイスを使用することによってＭＭＥへ接続され、且つ、Ｓ１１インターフェイスの拡張インターフェイスｉｆ２を使用することによってＣＧＷへ接続され、ＵＭＣユニットは、ｉｆ１インターフェイスを使用することによってクラウド・コントローラへ接続される。ＵＭＣユニットは、Ｓ１１インターフェイスを使用することによってＵＥのモーション・イベントをパースし、ＵＧＷを再選択すべきかどうか、及びどのＵＧＷが選択されるべきかを決定し、アプリケーション移動を開始すべきかどうかを決定する。図２３に示されるシステム・アーキテクチャにおいて、図５又は図１９に示されるシステム・アーキテクチャと同じか又は類似している内容については、図５又は図１９に関連した詳細な記載を参照されたい。詳細はここでは記載されない。
【０２２２】
図２４Ａ及び図２４Ｂは、本発明の実施形態５に従って、ＵＥ及びエッジ・アプリケーションが最初にサービスを確立することの更なる他の略通信図を示す。
【０２２３】
図２４Ａ及び図２４Ｂに示される、ＵＥ及びエッジ・アプリケーションが最初にサービスを確立する協働型コミュニケーション方法は、図６に示されるシナリオにおいて実行されてよい。図２４Ａ及び図２４Ｂに示されるプロシージャは、次を含む。
【０２２４】
Ｓ１２０１乃至Ｓ１２０６は、図７Ａ及び図７ＢにおけるＳ３０１乃至Ｓ３０６と同じである。
【０２２５】
Ｓ１２０７．ＭＭＥは、Ｓ１１インターフェイスを使用することによってセッション生成要求メッセージをＵＭＣユニットへ送る。
【０２２６】
Ｓ１２０８．ＵＭＣユニットは、受信されたセッション生成要求メッセージをパースし、ＵＥアタッチ・イベントを決定し、ＵＥのためのＵＧＷを選択する。
【０２２７】
Ｓ１２０９．ＵＭＣユニットは、セッション生成要求メッセージをＣＧＷへ送り、メッセージは、ＵＥに割り当てられたＵＧＷのＩＰアドレスを運ぶ。
【０２２８】
Ｓ１２１０．ＣＧＷは、ＧＴＰトンネリング規則をＵＧＷ１に供給し、ＵＧＷ１は、ＵＧＷ１とＣＧＷとの間でＧＴＰトンネルを確立する。
【０２２９】
Ｓ１２１１．ＣＧＷは、セッション生成応答メッセージをＵＭＣユニットへ送る。
【０２３０】
Ｓ１２１２．ＵＭＣユニットは、セッション生成応答メッセージに基づき、ＵＥのＩＰアドレスとＵＧＷ１のポートとの間のマッピング関係を記録する。
【０２３１】
Ｓ１２１３．ＵＭＣユニットは、セッション生成応答メッセージをＭＭＥへ送る。
【０２３２】
Ｓ１２１４乃至Ｓ１２１９は、図７Ａ及び図７ＢにおけるＳ３１３乃至Ｓ３１８に夫々対応している。詳細については再度記載されない。
【０２３３】
図２４Ａ及び図２４Ｂに示される方法において、ＵＥがアクセスするよう要求するエッジ・アプリケーションは、前もって開始されている。ＵＥがアタッチされるときに、ＵＥがアクセスするよう要求するアプリケーションがロードされていない場合には、ＵＭＣユニットは、実施形態３において図８Ａ及び図８Ｂ又は図９Ａ及び図９Ｂに示される解決法を使用することによって、ＵＥのためのエッジ・アプリケーションを自動的にロードすることができる。具体的なプロシージャは、図８Ａ及び図８Ｂ並びに図９Ａ及び図９Ｂに示されるプロシージャと同じであり、詳細については再度記載されない。
【０２３４】
図２５Ａ乃至図２５Ｃは、本発明の実施形態に従って、ＵＥがエッジ・アプリケーションに接続した後にＵＥのみが動く協働型コミュニケーションの更なる他の略通信図を示す。図２５Ａ乃至２５Ｃに示される方法は、図１０に示されるシナリオにおいて実行されてよい。図２５Ａ乃至２５Ｃに示される方法は、図２１Ａ乃至図２１Ｃに示される方法に類似し、図２１Ａ乃至図２１Ｃに示される方法との相違点は、次を含む。
【０２３５】
Ｓ１３０３．ＭＭＥは、Ｓ１１インターフェイスを使用することによってセッション生成要求メッセージをＵＭＣユニットへ送る。
【０２３６】
Ｓ１３０４．ＵＭＣユニットは、受信されたセッション生成要求メッセージをパースし、ＵＥモーション・イベントを決定し、モバイル協調を実行し、ＵＥのためのＵＧＷを選択する。
【０２３７】
Ｓ１３０５．ＵＭＣユニットは、セッション生成要求メッセージをＣＧＷへ送り、メッセージは、ＵＥのために再選択されたＵＧＷのＩＰアドレスを運ぶ。
【０２３８】
Ｓ１３１８．ＣＧＷは、ベアラ変更応答メッセージをＵＭＣユニットへ返す。
【０２３９】
Ｓ１３１９．ＵＭＣユニットは、ベアラ変更応答メッセージをパースし、ＵＧＷ再選択が完了したと決定し、ＵＥのＩＰアドレスとＵＧＷとの間のマッピング関係を更新し、ＵＥのためのアクセス・ポートからエッジ・アプリケーションのためのＵＧＷアクセス・ポートへの転送パスを再計算する。
【０２４０】
図２５Ａ乃至２５Ｃにおけるプロシージャ内の他のステップは、図２１Ａ乃至図２１Ｃにおけるステップと同じである。詳細については再度記載されない。
【０２４１】
この実施形態において、ＵＥがエッジ・アプリケーションに接続した後にエッジ・アプリケーションのみが動くシナリオにおける協働型コミュニケーション方法は、実施形態３における方法と同じである。詳細については再度記載されない。
【０２４２】
図２６Ａ乃至図２６Ｃは、本発明の実施形態に従って、ＵＥがエッジ・アプリケーションに接続した後にＵＥが動き、エッジ・アプリケーションが追随する協働型コミュニケーションの更なる他の略通信図を示す。図２５Ａ乃至２５Ｃに示される方法は、図２１Ａ乃至図２１Ｃに示される方法と類似し、図２２Ａ乃至図２２Ｃに示されるプロシージャからの相違点は、次を含む。
【０２４３】
Ｓ１４０３．ＭＭＥは、Ｓ１１インターフェイスを使用することによってセッション生成要求メッセージをＵＭＣユニットへ送る。
【０２４４】
Ｓ１４０４．ＵＭＣユニットは、受信されたセッション生成要求メッセージをパースし、ＵＥモーション・イベントを決定し、モバイル協調を実行し、ＵＥのためのＵＧＷを選択し、エッジ・アプリケーションが移動する対象の位置を決定する。
【０２４５】
Ｓ１４０５．ＵＭＣユニットは、セッション生成要求メッセージをＣＧＷへ送り、メッセージは、ＵＥのために再選択されたＵＧＷのＩＰアドレスを運ぶ。
【０２４６】
Ｓ１４１８．ＣＧＷは、ベアラ変更応答メッセージをＵＭＣユニットへ返す。
【０２４７】
Ｓ１４１９．ＵＭＣユニットは、ベアラ変更応答メッセージをパースし、ＵＧＷ再選択が完了したと決定し、ＵＥのＩＰアドレスとＵＧＷとの間のマッピング関係を更新し、ＵＥのためのアクセス・ポートからエッジ・アプリケーションのためのＵＧＷアクセス・ポートへの転送パスを再計算する。
【０２４８】
図２６Ａ乃至２６Ｃに示される他のステップは、図２２Ａ乃至図２２Ｃにおけるステップと同じである。詳細については再度記載されない。
【０２４９】
先行技術と比較して、本発明のこの実施形態における解決法では、新しいネットワーク要素モビリティ・コーディネータＵＭＣユニットが、モバイル・ネットワーク・コントロール・プレーンに加えられ、ＵＭＣユニットは、クラウド・コンピューティング・マネージメント・センター内のクラウド・コントローラ及びＣＧＷへのシグナリング接続を確立し、実時間において２つのオブジェクト、すなわち、ＵＥ及びエッジ・アプリケーションのモーション・イベントを決定し、サービス・フローの２つのエンドポイントの動きを協調させて、サービス接続が移動プロセスにおいて切断されないことを確かにする。これは、モバイル・コア・ネットワークがＵＥのみの動きを管理可能であり、クラウド・マネージメント・センターがアプリケーション及び仮想マシンのみのマイグレーションを管理可能であり、２つのオブジェクトのモーション・イベントが同時に管理され得ない、という従来のネットワークにおける欠点を解消する。本発明は、ＩＰアドレスが変更されないままであるときにサービスが中断されないことを確かにすることができ、Ｅ２Ｅ転送パスは、最小限の遅延を実装するよう、必要に応じて最適化され得る。
【０２５０】
図２７は、本発明の実施形態に従う更なる他の可能なシステム・アーキテクチャの図を示す。図２７から明らかなように、ＵＭＣユニットは、ｉｆ２インターフェイスを使用することによってＣＧＷへ接続される。実施形態３からの相違点は、ＵＭＣユニットがコントロール・プレーンを使用することによってエッジ・アプリケーションの位置情報を取得することができず、且つ、エッジ・アプリケーションの移動を開始することができない点にある。このシナリオにおいて、ＵＭＣユニットは、サービス連続性を保つために、ＵＧＷに対する転送規則を更新するよう、エッジ・アプリケーションによって送信されたパケットに基づきエッジ・アプリケーションの位置変更を決定してよい。図２７に示されるシステム・アーキテクチャにおいて、図５、図１９、又は図２３に示されるシステム・アーキテクチャと同じか又は類似する内容については、図５、図１９、又は図２３に関連した詳細な記載を参照されたい。詳細はここでは記載されない。
【０２５１】
図２７に示されるように、ｉｆ２インターフェイスを使用することによってＵＭＣユニットによって実装される機能は、次を含む。
【０２５２】
（１）ＣＧＷが、ＵＭＣユニットにユーザ・プレーン・データ・フロー情報を通知する。ユーザ・プレーン・データ・フロー情報は、クインタプル（ＵＥのソースＩＰアドレス、ＵＥのあて先ＩＰアドレス、ソースＵＧＷポート番号、あて先ＵＧＷポート番号、及び上位層プロトコル・タイプ）のようなＵＥのサービス・フロー識別子又は完全なユーザ・プレーン・パケットを含む。
【０２５３】
（２）ＵＭＣユニットが、ＣＧＷからＵＥモーション・イベント情報を知る。ＵＥモーション・イベント情報は、モーション・イベント・タイプ（例えば、アタッチメント、分離、ハンドオーバー、又はサービス要求）、現在アクセスされている基地局のＩＰ、及びそもそもアクセスされていた基地局のＩＰを含む。
【０２５４】
（３）ＵＭＣユニットが、ゲートウェイＵＧＷ再選択要求メッセージをＣＧＷへ送る。ＵＧＷ再選択要求メッセージは、推奨されるＵＧＷを伝えてよい。
【０２５５】
（４）ＵＭＣユニットが、ｉｆ２を使用することによってユーザ・プレーン接続変更要求メッセージをＣＧＷへ送る。ユーザ・プレーン接続変更要求メッセージは、新しいルーティング・メッセージを運ぶ。
【０２５６】
（５）ＣＧＷが、ＵＭＣユニットに、エッジ・アプリケーションのマイグレーション・イベントを通知する。マイグレーション・イベントは、エッジ・アプリケーションの位置変更に主に関係がある。具体的なパラメータは、エッジ・アプリケーションのＩＰアドレスと、エッジ・アプリケーションからパケットを受信するＵＧＷのＩＰとを含む。
【０２５７】
図２８Ａ及び図２８Ｂは、本発明の実施形態に従って、ＵＥ及びエッジ・アプリケーションが最初にサービスを確立することの更なる他の略通信図を示す。図２８Ａ及び図２８Ｂに示される方法は、図６に示されるシナリオにおいて実行されてよい。方法は、具体的に、次を含む。
【０２５８】
Ｓ１５０１．転送規則が定義されてないエッジ・アプリケーションからデータ・パケットを受信した後、ＵＧＷ１は、エッジ・アプリケーションのデータ・フローが到着することを示す通知メッセージをＣＧＷへ送る。
【０２５９】
Ｓ１５０２．ＣＧＷが、予めセットされた規則に基づき、新しいエッジ・アプリケーションがアクセスを実行すると決定する場合に、ＣＧＷは、エッジ・アプリケーションがアクセスを実行することを示す通知メッセージをＵＭＣユニットへ送り、通知メッセージは、エッジ・アプリケーションのＩＰアドレスと、データ・フローを受信するＵＧＷのポートＩＰとを伝える。
【０２６０】
Ｓ１５０３．ＵＭＣユニットは、エッジ・アプリケーションのＩＰアドレスとＵＧＷとの間のマッピング関係を記録する。
【０２６１】
この実施形態における他のステップは、図７Ａ及び図７Ｂにおけるステップと同じである。詳細については再度記載されない。
【０２６２】
図２９は、本発明の実施形態に従って、ＵＥがエッジ・アプリケーションに接続した後にエッジ・アプリケーションのみが動く他の協働型コミュニケーション・シナリオの図を示す。図２９に示されるように、方法の処理プロセスは、次を含む。
【０２６３】
Ｓ１６０１．エッジ・アプリケーションがソース・エッジ・クラウド・サーバから対象エッジ・クラウド・サーバへマイグレートし、エッジ・アプリケーションが対象エッジ・クラウド・サーバで成功裏に開始された後に、エッジ・アプリケーションは、データ・パケットをＵＧＷへ能動的に送る。データ・パケットは、ＵＥと交換されるデータ又はＡＲＰであってよい。
【０２６４】
Ｓ１６０２．ＵＧＷは、転送規則が定義されていないデータ・パケットを受信し、エッジ・アプリケーションのデータ・フローが到着することを示す通知メッセージをＣＧＷへ送る。
【０２６５】
Ｓ１６０３．ＣＧＷが、予め設定された規則に基づき、エッジ・アプリケーションの位置が変化すると決定する場合に、ＣＧＷは、エッジ・アプリケーションが動くことを示す通知メッセージをＵＭＣユニットへ送る。通知メッセージは、エッジ・アプリケーションのＩＰアドレスと、データ・フローとを受信するＵＧＷのポートＩＰとを伝える。
【０２６６】
Ｓ１６０４．ＵＭＣユニットがエッジ・アプリケーションのマイグレーション・イベントを決定した後に、ＵＭＣユニットは、エッジ・アプリケーションのＩＰアドレスとＵＧＷとの間のマッピング関係を更新することを含むモバイル協調を実行し、ＵＥのアクセス位置からエッジ・アプリケーションのアクセス位置への転送パスを再計算する。
【０２６７】
先行技術と比較して、本発明のこの実施形態における解決法では、新しいネットワーク要素モビリティ・コーディネータＵＭＣユニットが、モバイル・ネットワーク・コントロール・プレーンに加えられ、ＵＭＣユニットは、ＣＧＷへのシグナリング接続を確立し、実時間において２つのオブジェクト、すなわち、ＵＥ及びエッジ・アプリケーションのモーション・イベントを決定し、サービス・フローの２つのエンドポイントの動きを協調させて、サービス接続が移動プロセスにおいて切断されないことを確かにする。この実施形態における方法に従って、２つのオブジェクト、すなわち、エッジ・アプリケーション及びＵＥのモーション・イベントは、１つのネットワーク素子上でコプロセスされ、そして、モバイル・コア・ネットワークがＵＥのみの動きを管理可能であり、クラウド・マネージメント・センターがアプリケーション及び仮想マシンのみのマイグレーションを管理可能であり、２つのオブジェクトのモーション・イベントが同時に管理され得ない、という従来のネットワークにおける欠点は、解消される。本発明は、ＩＰアドレスが変化しないままであるときにサービスは中断されないことを確かにすることができ、Ｅ２Ｅ転送パスは、最小限の遅延を実装するよう、必要に応じて最適化され得る。
【０２６８】
図３０は、本発明の実施形態に従う更なる他の可能なシステム・アーキテクチャの図を示す。図５に示されるシステム・アーキテクチャと比較して、ＵＭＣユニット及びＣＧＷは、図３０では一体化されている。
【０２６９】
図３０に示されるシステム構造図でサポートされるモバイル協働型コミュニケーション方法は、図５乃至図１８に示される解決法に類似する。詳細については、図５乃至図１８における詳細な説明を参照されたく、詳細は再度記載されない。
【０２７０】
図３１は、本発明の実施形態に従う更なる他の可能なシステム・アーキテクチャの図を示す。図１９に示されるシステム・アーキテクチャと比較して、図３１では、ＵＭＣユニット及びＭＭＥは、モバイル協調及びＵＧＷ選択機能を完了するよう一体化されている。ＭＭＥとクラウド・コントローラとの間にはインターフェイスが存在し、モーション・イベント情報、アプリケーション・モーション命令、及び同様のものを交換するために使用される。ＭＭＥとＣＧＷとの間ではＳ１１の拡張インターフェイスが使用される（図１９に示されるアーキテクチャにおけるｉｆ２インターフェイスの機能が付加される。）。
【０２７１】
シグナリング・プロシージャについては、図２０Ａ乃至図２２Ｃに示される解決法を参照されたく、ｉｆ３インターフェイス・メッセージは可視的でなく、ｉｆ２インターフェイス情報はＳ１１インターフェイスと組み合わされる。
【０２７２】
図３２は、本発明の実施形態に従う更なる他の可能なシステム・アーキテクチャの図を示す。図３２に示されるように、ＭＭＥ及びＣＧＷはＭＣＰに組み込まれ、ＵＭＣユニットの機能はＭＣＰと一体化され、クラウド・コントローラへ接続するために使用されるｉｆ１のみが存在する。シグナリング・プロシージャについては、図２０Ａ乃至図２２Ｃに示される解決法を参照されたい。
【０２７３】
本発明の実施形態における方法は、アプリケーションがモバイル・ネットワーク端にシンクし、ゲートウェイが将来のモバイル・ネットワークにおいて分散されるところのシナリオにおいて、ＵＥ及びエッジ・アプリケーションの二元的なモビリティによって引き起こされるルート最適化及びサービス連続性における問題を解消する。協調機能的ネットワーク要素、すなわち、ＵＭＣユニットが、２つのモーション・イベント、すなわち、ＵＥの移動及びエッジ・アプリケーションの移動を実時間において検知し、そしてコプロセスするよう付加され、それによって、シナリオにおけるエンド・ツー・エンドのモビリティ管理機能の欠如を満たすとともに、ゲートウェイ再選択機能を拡張する。方法は、ネットワーク柔軟性を高めながら、ＵＥ及びエッジ・アプリケーションの独立した又は同時発生的な移動をサポートすることができる。
【０２７４】
上記は、ネットワーク要素間のインタラクションの観点から本発明の実施形態において提供される解決法について主に記載する。前述の機能を実装するよう、ＣＧＷ、ＵＧＷ、又はＵＭＣユニットのような各ネットワーク要素は、機能を実行するための対応するハードウェア構造及び／又はソフトウェア・モジュールを含むことが理解され得る。当業者は、この特許出願が、本明細書の開示されている実施形態の例におけるユニット、アルゴリズム、及びステップを参照して、ハードウェア又はハードウェアとコンピュータ・ソフトウェアとの組み合わせの形で実装され得ると容易に気付き得る。機能がハードウェア又はコンピュータ・ソフトウェアによって駆動されるハードウェアによって実行されるかどうかは、技術的解決法の特定の用途及び設計制約条件に依存する。当業者は、記載される機能を夫々の特定の用途のために実装するために種々の方法を使用し得るが、実装は本発明の適用範囲を超えると考えられるべきではない。
【０２７５】
本発明の実施形態は、前述の方法の例に従ってＭＭＥ、ＣＧＷ、ＵＧＷ、及びＵＭＣユニットにおいて機能モジュール分割を実行してよい。例えば、各機能モジュールは、夫々の機能のために分割可能であり、あるいは、２つ以上の機能は、１つの処理モジュールに一体化可能である。一体化されたモジュールは、ハードウェアの形で実装されてよく、あるいは、ソフトウェア機能モジュールの形で実装されてよい。留意されるべきは、本発明の実施形態におけるモジュールの分割は一例であって、端に論理的な機能分割であり、実際の用途では他の分割方法が存在してよい点である。
【０２７６】
一体化されたモジュールが使用される場合に、図３３Ａは、前述の実施形態におけるＵＭＣユニットの可能な構造の概略図を示す。ＵＭＣユニット１０００は、処理モジュール１００２及び通信モジュール１００３を含む。処理モジュール１００２は、ＵＭＣユニット１０００の動作を制御及び管理するよう構成される。例えば、処理モジュール１００２は、図３におけるモバイル協働型コミュニケーション方法、図４におけるモバイル協働型コミュニケーション方法、図７Ａ及び図７Ｂにおける、ＵＥ及びエッジ・アプリケーションが最初にサービスを確立する通信プロセス、図８Ａ及び図８Ｂ並びに図９Ａ及び図９Ｂにおける、ＵＥがアクセスする必要があるエッジ・アプリケーションをパースする方法での通信プロセス、図１１Ａ乃至図１１Ｃにおける、ＵＥがエッジ・アプリケーションに接続した後にＵＥのみが動く協働型コミュニケーションの通信プロセス、図１４における、ＵＥがエッジ・アプリケーションに接続した後にエッジ・アプリケーションのみが動く協働型コミュニケーションの通信プロセス、図１７Ａ乃至図１７Ｄにおける、ＵＥが動き、エッジ・アプリケーションが追随する協働型コミュニケーションの通信プロセス、図２０Ａ及び図２０Ｂにおける、ＵＥ及びエッジ・アプリケーションが最初にサービスを確立する通信プロセス、図２１Ａ乃至図２１Ｃにおける、ＵＥがエッジ・アプリケーションに接続した後にＵＥのみが動く協働型コミュニケーションの通信プロセス、図２２Ａ乃至図２２Ｃにおける、ＵＥがエッジ・アプリケーションに接続した後にＵＥが動き、エッジ・アプリケーションが追随する協働型コミュニケーションの通信プロセス、図２４Ａ及び図２４Ｂにおける、ＵＥ及びエッジ・アプリケーションが最初にサービスを確立する通信プロセス、図２５Ａ乃至２５Ｃにおける、ＵＥがエッジ・アプリケーションに接続した後にＵＥのみが動く協働型コミュニケーションの通信プロセス、図２６Ａ乃至図２６Ｃにおける、ＵＥがエッジ・アプリケーションに接続した後にＵＥが動き、エッジ・アプリケーションが追随する協働型コミュニケーションの通信プロセス、図２８Ａ及び図２８Ｂにおける、ＵＥ及びエッジ・アプリケーションが最初にサービスを確立する通信プロセス、及び／又は本明細書で記載される技術の他のプロセスを実行することにおいてＵＭＣユニット１０００をサポートするよう構成される。通信モジュール１００３は、ＵＧＷ、ＭＭＥ、ＣＧＷ、クラウド・コントローラ、及び同様のものとの通信のような、ＵＭＣユニット１０００と他のネットワーク・エンティティとの間の通信をサポートするよう構成される。ＵＭＣユニット１０００は、ＵＭＣユニットのプログラム・コード及びデータを記憶するよう構成された記憶モジュール１００１を更に含んでよい。
【０２７７】
処理モジュール１００２は、中央演算処理装置（Central  Processing  Unit，略してＣＰＵ）、汎用プロセッサ、デジタル信号プロセッサ（Digital  Signal  Processor，略してＤＳＰ）、特定用途向け集積回路（Application-Specific  Integrated  Circuit，略してＡＳＩＣ）、フィールド・プログラマブル・ゲート・アレイ（Field  Programmable  Gate  Array，略してＦＰＧＡ）若しくは他のプログラム可能な論理デバイス、トランジスタ論理デバイス、ハードウェア部品、又はそれらのあらゆる組み合わせのような、プロセッサ又はコントローラであってよい。処理モジュール１００２は、本発明における開示されている内容を参照して記載される様々な実例となる論理ブロック、モジュール、及び回路を実装又は実行することができる。プロセッサはまた、１つ以上のマイクロプロセッサの組み合わせ、ＤＳＰとマイクロプロセッサとの組み合わせ、及び同様のもののような、コンピューティング機能の組み合わせであってもよい。通信モジュール１００３は、トランシーバ、トランシーバ回路、通信インターフェイス、又は同様のものであってよい。記憶モジュール１００１は、メモリであってよい。
【０２７８】
処理モジュール１００２がプロセッサであり、通信モジュール１００３がトランシーバであり、記憶モジュール１００１がメモリであるときに、本発明の実施形態におけるＵＭＣユニットは、図３３Ｂに示されるＵＭＣユニットであってよい。図３３Ｂは、前述の実施形態におけるＵＭＣユニットの他の可能な構造の概略図を示す。
【０２７９】
図３３Ｂに示されるように、ＵＭＣユニット１０１０は、プロセッサ１０１２、トランシーバ１０１３、及びメモリ１０１１を含む。任意に、ＵＭＣユニット１０１０は、バス１０１４を更に含んでよい。トランシーバ１０１３、プロセッサ１０１２、及びメモリ１０１１は、バス１０１４を使用することによって相互接続される。バス１０１４は、ペリフェラル・コンポーネント・インターコネクト（Peripheral  Component  Interconnect，略してＰＣＩ）バス、拡張業界標準アーキテクチャ（Extended  Industry  Standard  Architecture  bus，略してＥＩＳＡ）バス、又は同様のものであってよい。バス１０１４は、アドレス・バス、データ・バス、コントロール・バス、及び同様のものに分類され得る。表現の簡単のために、１つの太線しか、図３３Ｂではバスを表すために使用されないが、これは、ただ１つのバス又はただ１つの種類のバスしか存在しないことを意味するものではない。
【０２８０】
本発明の実施形態は、前述の方法の例におけるＭＭＥ、ＣＧＷ、及びＵＧＷを実装することができる装置を更に提供する。それらの装置は、前述の方法におけるＭＭＥ、ＣＧＷ、及びＵＧＷに対応する機能を夫々実行することができる。それらの装置は、図３３Ａ又は図３３Ｂに示される構造と同様の構造を有する。詳細はここでは再度記載されない。
【０２８１】
本発明で開示される内容と組み合わせて記載される方法又はアルゴリズム・ステップは、ハードウェアによって実装されてよく、あるいは、ソフトウェア命令を実行することでプロセッサによって実装されてよい。ソフトウェア命令は、対応するソフトウェア・モジュールを含んでよい。ソフトウェア・モジュールは、ランダム・アクセス・メモリ（Random  Access  Memory，略してＲＡＭ）、フラッシュ・メモリ、リード・オンリー・メモリ（Read  Only  Memory，ＲＯＭ）、消去可能なプログラム可能リード・オンリー・メモリ（Erasable  Programmable  ROM，ＥＰＲＯＭ）、電気的消去可能なプログラム可能リード・オンリー・メモリ（Electrically  EPROM，ＥＥＰＲＯＭ）、レジスタ、ハード・ディスク、モバイル・ハード・ディスク、コンパクト・ディスク・リード・オンリー・メモリ（ＣＤ−ＲＯＭ）、又は当該技術でよく知られているその他形態の記憶媒体において記憶されてよい。例えば、記憶媒体はプロセッサへ結合され、それにより、プロセッサは、記憶媒体から情報を読み出し、あるいは、情報を記憶媒体に書き込むことができる。確かに、記憶媒体は、プロセッサのコンポーネントであってよい。プロセッサ及び記憶媒体は、ＡＳＩＣに位置してよい。その上、ＡＳＩＣは、コア・ネットワーク・インターフェイス・デバイスに位置してよい。確かに、プロセッサ及び記憶媒体は、ディスクリート部品としてコア・ネットワーク・インターフェイス・デバイスにおいて存在してよい。
【０２８２】
当業者は、前述の１つ以上の例において、本発明において記載される機能がハードウェア、ソフトウェア、ファームウェア、又はそれらのあらゆる組み合わせによって実装されてよいと気付くはずである。本発明がソフトウェアによって実装される場合に、前述の機能は、コンピュータ読出可能な媒体に記憶されるか、あるいは、１つ以上の命令又はコードとしてコンピュータ読出可能な媒体において送信されてよい。コンピュータ読出可能な媒体は、コンピュータ記憶媒体及び通信媒体を含み、通信媒体は、コンピュータ・プログラムが１つの場所から他へ送信されることを可能にする如何なる媒体も含む。記憶媒体は、汎用又は専用のコンピュータがアクセス可能である如何なる利用可能な媒体であってもよい。
【０２８３】
本発明の目的、技術的解決法、及び利点は、前述の具体的な実施形態において詳細に更に記載される。前述の記載は、本発明の具体的な実施形態にすぎず、本発明の保護範囲を制限するよう意図されない点が理解されるべきである。本発明の精神及び原理の範囲内で行われる如何なる変更、等価な置換、又は改善も、本発明の保護範囲内にあるべきである。
【図１】
2019511177.tif 000003
【図２】
2019511177.tif 000004
【図３】
2019511177.tif 000005
【図４】
2019511177.tif 000006
【図５】
2019511177.tif 000007
【図６】
2019511177.tif 000008
【図７Ａ】
2019511177.tif 000009
【図７Ｂ】
2019511177.tif 000010
【図８Ａ】
2019511177.tif 000011
【図８Ｂ】
2019511177.tif 000012
【図９Ａ】
2019511177.tif 000013
【図９Ｂ】
2019511177.tif 000014
【図１０】
2019511177.tif 000015
【図１１Ａ】
2019511177.tif 000016
【図１１Ｂ】
2019511177.tif 000017
【図１１Ｃ】
2019511177.tif 000018
【図１２】
2019511177.tif 000019
【図１３】
2019511177.tif 000020
【図１４】
2019511177.tif 000021
【図１５】
2019511177.tif 000022
【図１６】
2019511177.tif 000023
【図１７Ａ】
2019511177.tif 000024
【図１７Ｂ】
2019511177.tif 000025
【図１７Ｃ】
2019511177.tif 000026
【図１７Ｄ】
2019511177.tif 000027
【図１８】
2019511177.tif 000028
【図１９】
2019511177.tif 000029
【図２０Ａ】
2019511177.tif 000030
【図２０Ｂ】
2019511177.tif 000031
【図２１Ａ】
2019511177.tif 000032
【図２１Ｂ】
2019511177.tif 000033
【図２１Ｃ】
2019511177.tif 000034
【図２２Ａ】
2019511177.tif 000035
【図２２Ｂ】
2019511177.tif 000036
【図２２Ｃ】
2019511177.tif 000037
【図２３】
2019511177.tif 000038
【図２４Ａ】
2019511177.tif 000039
【図２４Ｂ】
2019511177.tif 000040
【図２５Ａ】
2019511177.tif 000041
【図２５Ｂ】
2019511177.tif 000042
【図２５Ｃ】
2019511177.tif 000043
【図２６Ａ】
2019511177.tif 000044
【図２６Ｂ】
2019511177.tif 000045
【図２６Ｃ】
2019511177.tif 000046
【図２７】
2019511177.tif 000047
【図２８Ａ】
2019511177.tif 000048
【図２８Ｂ】
2019511177.tif 000049
【図２９】
2019511177.tif 000050
【図３０】
2019511177.tif 000051
【図３１】
2019511177.tif 000052
【図３２】
2019511177.tif 000053
【図３３Ａ】
2019511177.tif 000054
【図３３Ｂ】
2019511177.tif 000055
【手続補正書】
【提出日】平成30年10月30日(2018.10.30)
【手続補正１】
【補正対象書類名】特許請求の範囲
【補正対象項目名】全文
【補正方法】変更
【補正の内容】
【特許請求の範囲】
【請求項１】
モバイル協働型コミュニケーション方法であって、
ユニファイド・モビリティ・コーディネータ（ＵＭＣ）ユニットによって、ネットワーク・エッジに位置し、ユーザ機器（ＵＥ）のためのアプリケーション・サービスを提供するために使用されるアプリケーションのアプリケーション・モーション・イベント情報を受信することと、
前記ＵＭＣユニットによって、前記ＵＥのＵＥモーション・イベント情報を受信することと、
前記ＵＭＣユニットによって、前記アプリケーション・モーション・イベント情報及び前記ＵＥモーション・イベント情報に基づき、前記ＵＥと前記アプリケーションとの間のパスを決定することと
を有する方法。
【請求項２】
前記アプリケーション・モーション・イベント情報は、前記アプリケーションのＩＰアドレスを有し、前記ＵＥモーション・イベント情報は、ＵＥアタッチ・イベント情報であり、該ＵＥアタッチ・イベント情報は、前記ＵＥのＩＰアドレスを有し、
前記ＵＭＣユニットによって、前記アプリケーション・モーション・イベント情報及び前記ＵＥモーション・イベント情報に基づき、前記ＵＥと前記アプリケーションとの間のパスを決定することは、
前記ＵＭＣユニットによって、前記ＵＥのＩＰアドレスと該ＵＥに割り当てられている第１ユーザ・プレーン・ゲートウェイ（ＵＧＷ）のポートとの間の第１マッピング関係と、前記アプリケーションのＩＰアドレスと該アプリケーションによってアクセスされる第２ＵＧＷのポートとの間の第２マッピング関係とを決定し、前記第１ＵＧＷ及び前記第２ＵＧＷが同じＵＧＷ又は異なるＵＧＷであることと、
前記ＵＭＣユニットによって、前記第１マッピング関係及び前記第２マッピング関係に基づき、前記ＵＥと前記アプリケーションとの間のパスを決定することと
を有する、
請求項１に記載の方法。
【請求項３】
前記アプリケーション・モーション・イベント情報は、アプリケーション開始イベント情報であり、該アプリケーション開始イベント情報は、前記アプリケーションの識別子、前記アプリケーションのＩＰアドレス、及び前記アプリケーションの位置情報を有し、当該方法は、
前記ＵＭＣユニットによって、前記アプリケーションの位置情報に基づき、前記第２ＵＧＷ及び該第２ＵＧＷのポートを前記アプリケーションに割り当てることと、
前記ＵＭＣユニットによって、前記アプリケーション及び前記第２ＵＧＷを接続するために使用される第１要求メッセージをコントロール・プレーン・ゲートウェイ（ＣＧＷ）へ送信することと、
前記ＵＭＣユニットによって、前記アプリケーションから前記第２ＵＧＷへのパスを決定するためにクラウド・コントローラによって使用される第１アクセス規則を該クラウド・コントローラへ送信することと
を更に有する、
請求項２に記載の方法。
【請求項４】
前記ＵＭＣユニットによってアプリケーションのアプリケーション・モーション・イベント情報を受信することは、
前記ＵＭＣユニットによって、前記クラウド・コントローラによって送信された前記アプリケーション開始イベント情報を受信すること
を有し、
前記ＵＭＣユニットによって、前記クラウド・コントローラによって送信された前記アプリケーション開始イベント情報を受信することより前に、当該方法は、
前記ＵＭＣユニットによって、前記アプリケーションを開始するよう要求するために使用される開始要求メッセージを前記クラウド・コントローラへ送信して、該クラウド・コントローラが、エッジ・クラウド・サーバに前記アプリケーションを開始するよう指示するために使用される開始コマンドを該エッジ・クラウド・サーバへ送信するようにすること
を更に有する、
請求項３に記載の方法。
【請求項５】
前記ＵＭＣユニットによって第１マッピング関係を決定した後に、当該方法は、
前記ＵＭＣユニットによって、前記ＣＧＷによって送信された第１通知メッセージを受信すること
を更に有し、
前記第１通知メッセージは、前記ＵＥのユーザ・プレーン・サービス・パケットが到着することを示すために使用され、前記第１通知メッセージは、前記ユーザ・プレーン・サービス・パケットのフロー特性情報を運び、
前記ＵＭＣユニットによって、前記第１マッピング関係及び前記第２マッピング関係に基づき、前記ＵＥと前記アプリケーションとの間のパスを決定することは、
前記ＵＭＣユニットによって、前記第１マッピング関係、前記第２マッピング関係、及び前記ユーザ・プレーン・サービス・パケットの前記フロー特性情報に基づき、前記ＵＥと前記アプリケーションとの間の、ＵＧＷスイッチング・プレーン上のパスを決定すること
を有する、
請求項３又は４に記載の方法。
【請求項６】
前記ＵＭＣユニットによって前記ＵＥと前記アプリケーションとの間のパスを決定した後に、当該方法は、
前記ＵＭＣユニットによって、前記ＵＥと前記アプリケーションとの間のパスを伝える第１更新要求メッセージを前記ＣＧＷへ送信して、該ＣＧＷが、前記第１ＵＧＷにおける前記ＵＥのためのアクセス・ポートと前記第２ＵＧＷにおける前記アプリケーションのためのアクセス・ポートとの間のパスを確立するよう、前記ＵＥと前記アプリケーションとの間のパスに基づき、ユーザ・プレーン・パケット転送規則を前記第１ＵＧＷ及び前記第２ＵＧＷへ送るようにすること
を更に有する、
請求項３乃至５のうちいずれか一項に記載の方法。
【請求項７】
当該方法は、
前記ＵＭＣユニットによって、前記アプリケーションのＩＰアドレス及び該アプリケーションの新しい位置情報を運ぶ、前記クラウド・コントローラによって送信された前記アプリケーション・モーション・イベント情報を受信することと、
前記ＵＭＣユニットによって、前記アプリケーションのＩＰアドレス及び該アプリケーションの前記新しい位置情報に基づき、第３ＵＧＷ及び該第３ＵＧＷにアクセスするためのポートを前記アプリケーションに割り当てることと、
前記ＵＭＣユニットによって、前記アプリケーションから前記第３ＵＧＷへのパスを構成するために前記クラウド・コントローラによって使用され、更には、前記アプリケーションから前記第２ＵＧＷへのパスを削除するために前記クラウド・コントローラによって使用される、前記アプリケーションによって前記第３ＵＧＷにアクセスするための第２アクセス規則を前記クラウド・コントローラへ送信することと、
前記ＵＭＣユニットによって、前記アプリケーション及び前記第３ＵＧＷを接続するために使用される第２要求メッセージを前記ＣＧＷへ送信することと
を更に有する、
請求項３乃至６のうちいずれか一項に記載の方法。
【請求項８】
前記ＵＥアタッチ・イベント情報は、前記ＣＧＷを使用することによって受信される情報であり、前記ＵＥアタッチ・イベント情報は、前記ＵＥによってアクセスされる基地局のＩＰアドレスを更に有し、前記ＣＧＷは、第２インターフェイスを使用することによって前記ＵＭＣユニットへ接続され、前記ＣＧＷは、ＭＭＥへ更に接続され、前記ＵＭＣユニットは、第１インターフェイスを使用することによって前記クラウド・コントローラへ接続され、あるいは、
前記ＵＭＣユニットの機能ユニット及び前記ＣＧＷの機能ユニットは、一体化され、前記ＵＭＣユニットの機能ユニットは、第１インターフェイスを使用することによって前記クラウド・コントローラへ接続され、前記ＣＧＷの機能ユニットは、Ｓ１１インターフェイスを使用することによって前記ＭＭＥへ接続され、
前記ＵＭＣユニットによって、前記ＵＥのＩＰアドレスと該ＵＥに割り当てられている第１ユーザ・プレーン・ゲートウェイ（ＵＧＷ）のポートとの間の第１マッピング関係を決定することは、
前記ＵＭＣユニットによって、前記ＵＥのＩＰアドレス及び該ＵＥによってアクセスされる前記基地局のＩＰアドレスを前記ＣＧＷへ送信して、該ＣＧＷが、前記第１ＵＧＷ及び該第１ＵＧＷにアクセスするためのポートを前記ＵＥに割り当てるようにすること、及び
前記ＵＭＣユニットによって、前記ＣＧＷによって送信される、前記第１ＵＧＷにおけるポートを前記ＵＥへ割り当てる通知メッセージを受信すること、
又は
前記ＵＭＣユニットによって、前記第１ＵＧＷ及び該第１ＵＧＷにアクセスするためのポートを前記ＵＥに割り当てると決定すること、及び
前記ＵＭＣユニットによって、前記ＵＥに割り当てられた前記第１ＵＧＷにおけるポートに関する情報を前記ＣＧＷへ送信して、該ＣＧＷが、前記ＵＥのための前記第１ＵＧＷのベアラを確立するようにすること
を有する、
請求項３乃至７のうちいずれか一項に記載の方法。
【請求項９】
当該方法は、
前記ＵＭＣユニットによって、前記ＵＥのＩＰアドレス及び対象基地局のＩＰアドレスを運ぶ、前記ＣＧＷによって送信されたＵＥ位置モーション・イベント情報を受信することと、
前記ＵＭＣユニットによって、前記ＵＥのＩＰアドレス及び前記対象基地局のＩＰアドレスに基づき、第４ＵＧＷを前記ＵＥに割り当てることと、
前記ＵＭＣユニットによって、前記第４ＵＧＷのＩＰアドレスを運ぶゲートウェイ再選択要求メッセージを前記ＣＧＷへ送信して、該ＣＧＷが前記ＵＥ及び前記対象基地局を接続し、前記対象基地局と前記第４ＵＧＷとの間にＧＴＰトンネルを確立するようにすることと、
前記ＵＭＣユニットによって、前記ＣＧＷによって送信される前記ＵＥのゲートウェイ再選択完了メッセージを受信することと、
前記ＵＭＣユニットによって、前記ＵＥのＩＰアドレスと前記第４ＵＧＷとの間のマッピング関係を更新することと、
前記ＵＭＣユニットによって、セットアップされた前記ＵＥに対応するサービス・コンテキストに基づき、前記ＵＥと前記アプリケーションとの間の、ＵＧＷスイッチング・プレーン上のパスを再決定することと、
前記ＵＭＣユニットによって、前記ＵＥと前記アプリケーションとの間の、前記ＵＧＷスイッチング・プレーン上の前記再決定されたパスを伝える、ユーザ・プレーン・パスを更新するための第２更新要求メッセージを前記ＣＧＷへ送信して、該ＣＧＷが、前記第４ＵＧＷにおける前記ＵＥのためのアクセス・ポートと前記アプリケーションのためのＵＧＷアクセス・ポートとの間のパスを確立し、前記第１ＵＧＷにおける前記ＵＥのためのアクセス・ポートと前記アプリケーションのための前記ＵＧＷアクセス・ポートとの間のパスを削除するために、前記ＵＥと前記アプリケーションとの間の、前記ＵＧＷスイッチング・プレーン上の前記再決定されたパスをユーザ・プレーン・パケット転送規則に変換するようにすることと
を更に有する、
請求項８に記載の方法。
【請求項１０】
前記ＵＥアタッチ・イベント情報は、ＭＭＥを使用することによって受信される情報であって、該ＭＭＥは、第３インターフェイスを使用することによって前記ＵＭＣユニットへ接続され、該ＵＭＣユニットは、第２インターフェイスを使用することによって前記ＣＧＷへ接続され、前記ＵＭＣユニットは、第１インターフェイスを使用することによって前記クラウド・コントローラへ接続され、あるいは、
前記ＵＭＣユニットの機能ユニット及び前記ＭＭＥの機能ユニットは、一体化され、前記ＵＭＣユニットの機能ユニットは、第１インターフェイスを使用することによって前記クラウド・コントローラへ接続され、前記ＭＭＥの機能ユニットは、Ｓ１１インターフェイスを使用することによって前記ＣＧＷへ接続され、あるいは、
前記ＭＭＥの機能ユニット及び前記ＣＧＷの機能ユニットは、ＭＣＰにおいて一体化され、前記ＵＭＣユニットは、前記ＭＣＰにおいて組み込まれ、
前記ＵＭＣユニットによって、前記ＵＥのＩＰアドレスと該ＵＥに割り当てられている第１ユーザ・プレーン・ゲートウェイ（ＵＧＷ）のポートとの間の第１マッピング関係を決定することは、
前記ＵＭＣユニットによって、前記第１ＵＧＷ及び該第１ＵＧＷにアクセスするためのポートを前記ＵＥに割り当てると決定すること、及び
前記ＵＭＣユニットによって、前記ＵＥに割り当てられた前記第１ＵＧＷにおけるポートに関する情報を前記ＭＭＥへ送信して、該ＭＭＥが、前記ＵＥのための前記第１ＵＧＷのベアラを確立するために前記ＣＧＷによって使用されるセッション生成要求を前記ＣＧＷへ送信するようにすること、
又は
前記ＵＭＣユニットによって、前記ＭＭＥによって前記ＵＥに割り当てられた前記第１ＵＧＷのポート・メッセージを運ぶ、前記ＭＭＥによって送信された前記ＵＥアタッチ・イベント情報を受信すること
を有する、
請求項３乃至７のうちいずれか一項に記載の方法。
【請求項１１】
当該方法は、
前記ＵＭＣユニットによって、前記ＵＥのＩＰアドレス及び対象基地局のＩＰアドレスを運ぶ、前記ＭＭＥによって送信されたＵＥ位置モーション・イベント情報を受信することと、
前記ＵＭＣユニットによって、前記ＵＥの前記対象基地局のＩＰアドレス及び前記ＵＥに関連したサービス・コンテキストに基づき、第４ＵＧＷを前記ＵＥに割り当てることと、
前記ＵＭＣユニットによって、前記第４ＵＧＷのＩＰアドレスを運ぶゲートウェイ再選択要求メッセージを前記ＭＭＥへ送信して、該ＭＭＥが前記ＵＥ及び前記対象基地局を接続し、前記ＣＧＷを使用することによって前記対象基地局と前記第４ＵＧＷとの間にＧＴＰトンネルを確立するようにすることと、
前記ＵＭＣユニットによって、前記ＭＭＥによって送信される前記ＵＥのゲートウェイ再選択完了メッセージを受信することと、
前記ＵＭＣユニットによって、前記ＵＥのＩＰアドレスと前記第４ＵＧＷとの間のマッピング関係を更新することと、
前記ＵＭＣユニットによって、セットアップされた前記ＵＥに対応する前記サービス・コンテキストに基づき、前記ＵＥと前記アプリケーションとの間の、ＵＧＷスイッチング・プレーン上のパスを再決定することと、
前記ＵＭＣユニットによって、前記ＵＥと前記アプリケーションとの間の、前記ＵＧＷスイッチング・プレーン上の前記再決定されたパスを伝える、ユーザ・プレーン・パスを更新するための第３更新要求メッセージを前記ＣＧＷへ送信して、該ＣＧＷが、前記第４ＵＧＷにおける前記ＵＥのためのアクセス・ポートと前記アプリケーションのためのＵＧＷアクセス・ポートとの間のパスを確立し、前記第１ＵＧＷにおける前記ＵＥのためのアクセス・ポートと前記アプリケーションのための前記ＵＧＷアクセス・ポートとの間のパスを削除するために、前記ＵＥと前記アプリケーションとの間の、前記ＵＧＷスイッチング・プレーン上の前記再決定されたパスをユーザ・プレーン・パケット転送規則に変換するようにすることと
を更に有する、
請求項１０に記載の方法。
【請求項１２】
前記ＵＭＣユニットによって前記ＵＥアタッチ・イベント情報を受信することは、
前記ＵＭＣユニットによって、ＭＭＥによって送信された第１セッション生成要求メッセージを受信し、前記ＭＭＥが、Ｓ１１インターフェイスを使用することによって前記ＵＭＣユニットへ接続され、該ＵＭＣユニットが、第１インターフェイスを使用することによって前記クラウド・コントローラへ接続され、前記ＵＭＣユニットが、第２インターフェイスを使用することによって前記ＣＧＷへ接続されることと、
前記ＵＭＣユニットによって、前記第１セッション生成要求メッセージに基づき、前記ＵＥアタッチ・イベント情報を取得することと
を有し、
前記ＵＭＣユニットによって、前記ＵＥのＩＰアドレスと該ＵＥに割り当てられている第１ユーザ・プレーン・ゲートウェイ（ＵＧＷ）のポートとの間の第１マッピング関係を決定することは、
前記ＵＭＣユニットによって、前記ＵＥによってアクセスされる基地局のＩＰアドレスに基づき、前記第１ＵＧＷ及び該第１ＵＧＷにアクセスするためのポートを前記ＵＥに割り当てること
を有する、
請求項３乃至７のうちいずれか一項に記載の方法。
【請求項１３】
当該方法は、
前記ＵＭＣユニットによって、前記ＭＭＥによって送信された第２セッション生成要求メッセージを受信し、該第２セッション生成要求メッセージは、前記ＭＭＥが前記ＵＥによってアクセスされる前記基地局から基地局ハンドオーバー要求メッセージを受信した後に、前記ＵＭＣユニットへ送信されることと、
前記ＵＭＣによって、前記ＵＥのＩＰアドレス及び対象基地局のＩＰアドレスを運ぶＵＥ位置モーション・イベント情報を、前記第２セッション生成要求メッセージに基づきパースすることと、
前記ＵＭＣユニットによって、前記ＵＥのＩＰアドレス及び前記対象基地局のＩＰアドレスに基づき、第４ＵＧＷを前記ＵＥに割り当てることと、
前記ＵＭＣユニットによって、前記第４ＵＧＷのＩＰアドレスを運ぶ第３セッション生成要求メッセージを前記ＣＧＷへ送信して、該ＣＧＷが前記ＵＥ及び前記対象基地局を接続し、前記対象基地局と前記第４ＵＧＷとの間にＧＴＰトンネルを確立するようにすることと、
前記ＵＭＣユニットによって、前記ＣＧＷによって送信されたＵＥベアラ変更応答メッセージを受信することと、
前記ＵＭＣユニットによって、前記ＵＥベアラ変更応答メッセージに基づき、前記ＵＥが前記第４ＵＧＷの再選択を完了すると決定することと、
前記ＵＭＣユニットによって、前記ＵＥのＩＰアドレスと前記第４ＵＧＷとの間のマッピング関係を更新することと、
前記ＵＭＣユニットによって、セットアップされた前記ＵＥに対応するサービス・コンテキストに基づき、前記ＵＥと前記アプリケーションとの間の、ＵＧＷスイッチング・プレーン上のパスを再決定することと、
前記ＵＭＣユニットによって、前記ＵＥと前記アプリケーションとの間の、前記ＵＧＷスイッチング・プレーン上の前記再決定されたパスを伝える、ユーザ・プレーン・パスを更新するための第４更新要求メッセージを前記ＣＧＷへ送信して、該ＣＧＷが、前記第４ＵＧＷにおける前記ＵＥのためのアクセス・ポートと前記アプリケーションのためのＵＧＷアクセス・ポートとの間のパスを確立し、前記第１ＵＧＷにおける前記ＵＥのためのアクセス・ポートと前記アプリケーションのための前記ＵＧＷアクセス・ポートとの間のパスを削除するために、前記ＵＥと前記アプリケーションとの間の、前記ＵＧＷスイッチング・プレーン上の前記再決定されたパスをユーザ・プレーン・パケット転送規則に変換するようにすることと
を更に有する、
請求項１２に記載の方法。
【請求項１４】
前記ＵＭＣユニットによって前記ＵＥアタッチ・イベント情報を受信することより前に、
前記ＵＭＣユニットによって、前記ＣＧＷによって送信されたアプリケーション・アクセス・イベント情報を受信し、該アプリケーション・アクセス・イベント情報は、前記第２ＵＧＷからのアプリケーション・ユーザ・プレーン・データに基づき前記ＣＧＷによって取得され、前記アプリケーション・アクセス・イベント情報は、前記アプリケーションのＩＰアドレス及び前記第２ＵＧＷのポートＩＰアドレスを運ぶことと、
前記ＵＭＣユニットが前記ＵＥアタッチ・イベント情報を受信した後に、前記ＵＭＣユニットによって、前記ＣＧＷによって送信された第２通知メッセージを受信し、該第２通知メッセージは、前記ＵＥのユーザ・プレーン・サービス・パケットが到着することを示すために使用され、前記第２通知メッセージは、前記ユーザ・プレーン・サービス・パケットのフロー識別子情報を運ぶことと、
前記ＵＭＣユニットによって、前記フロー識別子情報に基づき、前記ユーザ・プレーン・サービス・パケットが新しいサービスに関連したパケットであると決定し、前記ＵＥ及び前記アプリケーションに対応するサービス・コンテキストをセットアップすることと
を更に有し、
前記ＵＭＣユニットによって、前記第１マッピング関係及び前記第２マッピング関係に基づき、前記ＵＥと前記アプリケーションとの間のパスを決定することは、
前記ＵＭＣユニットによって、前記第１マッピング関係、前記第２マッピング関係、及び前記ユーザ・プレーン・サービス・パケットの前記フロー識別子情報に基づき、前記ＵＥと前記アプリケーションとの間の、ＵＧＷスイッチング・プレーン上のパスを決定すること
を有する、
請求項２に記載の方法。
【請求項１５】
当該方法は、
前記ＵＭＣユニットによって、前記ＣＧＷによって送信された前記アプリケーション・モーション・イベント情報を受信し、該アプリケーション・モーション・イベント情報は、前記ＣＧＷが、転送規則が定義されていない、第３ＵＧＷによって送信される前記アプリケーションのデータ・パケットを受信し、且つ、予め設定された規則に基づき、前記アプリケーションがマイグレートされると決定した後に、送信され、前記アプリケーション・モーション・イベント情報は、前記アプリケーションのＩＰアドレスと、前記アプリケーションのデータ・パケットを受信する前記第３ＵＧＷのポートＩＰアドレスとを運ぶことと、
前記ＵＭＣユニットによって、前記アプリケーションのＩＰアドレスと、前記アプリケーションのデータ・パケットを受信する前記第３ＵＧＷのポートＩＰアドレスとに基づき、前記アプリケーションが動くと決定することと、
前記ＵＭＣユニットによって、前記アプリケーションのＩＰアドレスと前記第３ＵＧＷにおけるポートとの間のマッピング関係を更新することと、
前記ＵＭＣユニットによって、前記アプリケーションのＩＰアドレスと前記第３ＵＧＷにおけるポートとの間の第３マッピング関係と、前記ＵＥのＩＰアドレスと前記第１ＵＧＷのポートとの間の前記第１マッピング関係とに基づき、前記ＵＥと前記アプリケーションとの間のパスを再決定することと
を更に有する、
請求項１４に記載の方法。
【請求項１６】
モバイル協働型コミュニケーション装置であって、
処理モジュール及び通信モジュールを有し、
前記処理モジュールは、
ネットワーク・エッジに位置し、ユーザ機器（ＵＥ）のためのアプリケーション・サービスを提供するために使用されるアプリケーションのアプリケーション・モーション・イベント情報を、前記通信モジュールを使用することによって受信し、
前記ＵＥのＵＥモーション・イベント情報を、前記通信モジュールを使用することによって受信し、
前記アプリケーション・モーション・イベント情報及び前記ＵＥモーション・イベント情報に基づき、前記ＵＥと前記アプリケーションとの間のパスを決定する
するよう構成される、
装置。
【請求項１７】
前記アプリケーション・モーション・イベント情報は、前記アプリケーションのＩＰアドレスを有し、前記ＵＥモーション・イベント情報は、ＵＥアタッチ・イベント情報であり、該ＵＥアタッチ・イベント情報は、前記ＵＥのＩＰアドレスを有し、
前記処理モジュールは、
前記ＵＥのＩＰアドレスと該ＵＥに割り当てられている第１ユーザ・プレーン・ゲートウェイ（ＵＧＷ）のポートとの間の第１マッピング関係と、前記アプリケーションのＩＰアドレスと該アプリケーションによってアクセスされる第２ＵＧＷのポートとの間の第２マッピング関係とを決定し、前記第１ＵＧＷ及び前記第２ＵＧＷが同じＵＧＷ又は異なるＵＧＷであり、
前記第１マッピング関係及び前記第２マッピング関係に基づき、前記ＵＥと前記アプリケーションとの間のパスを決定する
よう特に構成される、
請求項１６に記載の装置。
【請求項１８】
前記アプリケーション・モーション・イベント情報は、アプリケーション開始イベント情報であり、該アプリケーション開始イベント情報は、前記アプリケーションの識別子、前記アプリケーションのＩＰアドレス、及び前記アプリケーションの位置情報を有し、
前記処理モジュールは、
前記アプリケーションの位置情報に基づき、前記第２ＵＧＷ及び該第２ＵＧＷのポートを前記アプリケーションに割り当て、
前記アプリケーション及び前記第２ＵＧＷを接続するために使用される第１要求メッセージを、前記通信モジュールを使用することによって、コントロール・プレーン・ゲートウェイ（ＣＧＷ）へ送信し、
前記アプリケーションから前記第２ＵＧＷへのパスを決定するためにクラウド・コントローラによって使用される第１アクセス規則を、前記通信モジュールを使用することによって、前記クラウド・コントローラへ送信する
よう更に構成される、
請求項１７に記載の装置。
【請求項１９】
前記処理モジュールは、前記クラウド・コントローラによって送信された前記アプリケーション開始イベント情報を、前記通信モジュールを使用することによって受信するよう特に構成され、
前記処理モジュールは、前記アプリケーションを開始するよう要求するために使用される開始要求メッセージを、前記通信モジュールを使用することによって、前記クラウド・コントローラへ送信して、該クラウド・コントローラが、エッジ・クラウド・サーバに前記アプリケーションを開始するよう指示するために使用される開始コマンドを該エッジ・クラウド・サーバへ送信するようにするよう更に構成される、
請求項１８に記載の装置。
【請求項２０】
前記処理モジュールは、前記ＣＧＷによって送信された第１通知メッセージを、前記通信モジュールを使用することによって受信するよう更に構成され、
前記第１通知メッセージは、前記ＵＥのユーザ・プレーン・サービス・パケットが到着することを示すために使用され、前記第１通知メッセージは、前記ユーザ・プレーン・サービス・パケットのフロー特性情報を運び、
前記処理モジュールは、前記第１マッピング関係、前記第２マッピング関係、及び前記ユーザ・プレーン・サービス・パケットの前記フロー特性情報に基づき、前記ＵＥと前記アプリケーションとの間の、ＵＧＷスイッチング・プレーン上のパスを決定するよう特に構成される、
請求項１８又は１９に記載の装置。
【請求項２１】
前記処理モジュールは、
前記ＵＥと前記アプリケーションとの間のパスを伝える第１更新要求メッセージを、前記通信モジュールを使用することによって、前記ＣＧＷへ送信して、該ＣＧＷが、前記第１ＵＧＷにおける前記ＵＥのためのアクセス・ポートと前記第２ＵＧＷにおける前記アプリケーションのためのアクセス・ポートとの間のパスを確立するよう、前記ＵＥと前記アプリケーションとの間のパスに基づき、ユーザ・プレーン・パケット転送規則を前記第１ＵＧＷ及び前記第２ＵＧＷへ送るようにする
よう更に構成される、
請求項１８乃至２０のうちいずれか一項に記載の装置。
【請求項２２】
前記処理モジュールは、
前記アプリケーションのＩＰアドレス及び該アプリケーションの新しい位置情報を運ぶ、前記クラウド・コントローラによって送信された前記アプリケーション・モーション・イベント情報を、前記通信モジュールを使用することによって受信し、
前記アプリケーションのＩＰアドレス及び該アプリケーションの前記新しい位置情報に基づき、第３ＵＧＷ及び該第３ＵＧＷにアクセスするためのポートを前記アプリケーションに割り当て、
前記アプリケーションから前記第３ＵＧＷへのパスを構成するために前記クラウド・コントローラによって使用され、更には、前記アプリケーションから前記第２ＵＧＷへのパスを削除するために前記クラウド・コントローラによって使用される、前記アプリケーションによって前記第３ＵＧＷにアクセスするための第２アクセス規則を、前記通信モジュールを使用することによって、前記クラウド・コントローラへ送信し、
前記アプリケーション及び前記第３ＵＧＷを接続するために使用される第２要求メッセージを、前記通信モジュールを使用することによって、前記ＣＧＷへ送信する
よう更に構成される、
請求項１８乃至２１のうちいずれか一項に記載の装置。
【請求項２３】
前記ＵＥアタッチ・イベント情報は、前記ＣＧＷを使用することによって受信される情報であり、前記ＵＥアタッチ・イベント情報は、前記ＵＥによってアクセスされる基地局のＩＰアドレスを更に有し、前記ＣＧＷは、第２インターフェイスを使用することによって当該装置へ接続され、前記ＣＧＷは、ＭＭＥへ更に接続され、当該装置は、第１インターフェイスを使用することによって前記クラウド・コントローラへ接続され、あるいは、
当該装置の機能ユニット及び前記ＣＧＷの機能ユニットは、一体化され、当該装置の機能ユニットは、第１インターフェイスを使用することによって前記クラウド・コントローラへ接続され、前記ＣＧＷの機能ユニットは、Ｓ１１インターフェイスを使用することによって前記ＭＭＥへ接続され、
前記処理モジュールは、
前記ＵＥのＩＰアドレス及び該ＵＥによってアクセスされる前記基地局のＩＰアドレスを、前記通信モジュールを使用することによって、前記ＣＧＷへ送信して、該ＣＧＷが、前記第１ＵＧＷ及び該第１ＵＧＷにアクセスするためのポートを前記ＵＥに割り当てるようにし、
前記ＣＧＷによって送信される、前記第１ＵＧＷにおけるポートを前記ＵＥへ割り当てる通知メッセージを受信する
よう特に構成され、あるいは、
前記処理モジュールは、
前記第１ＵＧＷ及び該第１ＵＧＷにアクセスするためのポートを前記ＵＥに割り当てると決定し、
前記ＵＥに割り当てられた前記第１ＵＧＷにおけるポートに関する情報を、前記通信モジュールを使用することによって、前記ＣＧＷへ送信して、該ＣＧＷが、前記ＵＥのための前記第１ＵＧＷのベアラを確立するようにする
よう特に構成される、
請求項１８乃至２２のうちいずれか一項に記載の装置。
【請求項２４】
前記処理モジュールは、
前記ＵＥのＩＰアドレス及び対象基地局のＩＰアドレスを運ぶ、前記ＣＧＷによって送信されたＵＥ位置モーション・イベント情報を、前記通信モジュールを使用することによって受信し、
前記ＵＥのＩＰアドレス及び前記対象基地局のＩＰアドレスに基づき、第４ＵＧＷを前記ＵＥに割り当て、
前記第４ＵＧＷのＩＰアドレスを運ぶゲートウェイ再選択要求メッセージを、前記通信モジュールを使用することによって、前記ＣＧＷへ送信して、該ＣＧＷが前記ＵＥ及び前記対象基地局を接続し、前記対象基地局と前記第４ＵＧＷとの間にＧＴＰトンネルを確立するようにし、
前記ＣＧＷによって送信される前記ＵＥのゲートウェイ再選択完了メッセージを、前記通信モジュールを使用することによって受信し、
前記ＵＥのＩＰアドレスと第４ＵＧＷとの間のマッピング関係を更新し、
セットアップされた前記ＵＥに対応するサービス・コンテキストに基づき、前記ＵＥと前記アプリケーションとの間の、ＵＧＷスイッチング・プレーン上のパスを再決定し、
前記ＵＥと前記アプリケーションとの間の、前記ＵＧＷスイッチング・プレーン上の前記再決定されたパスを伝える、ユーザ・プレーン・パスを更新するための第２更新要求メッセージを、前記通信モジュールを使用することによって、前記ＣＧＷへ送信して、該ＣＧＷが、前記第４ＵＧＷにおける前記ＵＥのためのアクセス・ポートと前記アプリケーションのためのＵＧＷアクセス・ポートとの間のパスを確立し、前記第１ＵＧＷにおける前記ＵＥのためのアクセス・ポートと前記アプリケーションのための前記ＵＧＷアクセス・ポートとの間のパスを削除するために、前記ＵＥと前記アプリケーションとの間の、前記ＵＧＷスイッチング・プレーン上の前記再決定されたパスをユーザ・プレーン・パケット転送規則に変換するようにする
よう更に構成される、
請求項２３に記載の装置。
【請求項２５】
前記ＵＥアタッチ・イベント情報は、ＭＭＥを使用することによって受信される情報であって、該ＭＭＥは、第３インターフェイスを使用することによって当該装置へ接続され、当該装置は、第２インターフェイスを使用することによって前記ＣＧＷへ接続され、当該装置は、第１インターフェイスを使用することによって前記クラウド・コントローラへ接続され、あるいは、
当該装置の機能ユニット及び前記ＭＭＥの機能ユニットは、一体化され、当該装置の機能ユニットは、第１インターフェイスを使用することによって前記クラウド・コントローラへ接続され、前記ＭＭＥの機能ユニットは、Ｓ１１インターフェイスを使用することによって前記ＣＧＷへ接続され、あるいは、
前記ＭＭＥの機能ユニット及び前記ＣＧＷの機能ユニットは、ＭＣＰにおいて一体化され、当該装置は、前記ＭＣＰにおいて組み込まれ、
前記処理モジュールは、
前記第１ＵＧＷ及び該第１ＵＧＷにアクセスするためのポートを前記ＵＥに割り当てると決定し、
前記ＵＥに割り当てられた前記第１ＵＧＷにおけるポートに関する情報を、前記通信モジュールを使用することによって、前記ＭＭＥへ送信して、該ＭＭＥが、前記ＵＥのための前記第１ＵＧＷのベアラを確立するために前記ＣＧＷによって使用されるセッション生成要求を前記ＣＧＷへ送信するようにする
よう特に構成され、あるいは、
前記処理モジュールは、前記ＭＭＥによって前記ＵＥに割り当てられた前記第１ＵＧＷのポート・メッセージを運ぶ、前記ＭＭＥによって送信された前記ＵＥアタッチ・イベント情報を、前記通信モジュールを使用することによって受信するよう特に構成される、
請求項１８至２２のうちいずれか一項に記載の装置。
【請求項２６】
前記処理モジュールは、
前記ＵＥのＩＰアドレス及び対象基地局のＩＰアドレスを運ぶ、前記ＭＭＥによって送信されたＵＥ位置モーション・イベント情報を、前記通信モジュールを使用することによって受信し、
前記ＵＥの前記対象基地局のＩＰアドレス及び前記ＵＥに関連したサービス・コンテキストに基づき、第４ＵＧＷを前記ＵＥに割り当て、
前記第４ＵＧＷのＩＰアドレスを運ぶゲートウェイ再選択要求メッセージを、前記通信モジュールを使用することによって、前記ＭＭＥへ送信して、該ＭＭＥが前記ＵＥ及び前記対象基地局を接続し、前記ＣＧＷを使用することによって前記対象基地局と前記第４ＵＧＷとの間にＧＴＰトンネルを確立するようにし、
前記ＭＭＥによって送信される前記ＵＥのゲートウェイ再選択完了メッセージを、前記通信モジュールを使用することによって受信し、
前記ＵＥのＩＰアドレスと前記第４ＵＧＷとの間のマッピング関係を更新し、
セットアップされた前記ＵＥに対応する前記サービス・コンテキストに基づき、前記ＵＥと前記アプリケーションとの間の、ＵＧＷスイッチング・プレーン上のパスを再決定し、
前記ＵＥと前記アプリケーションとの間の、前記ＵＧＷスイッチング・プレーン上の前記再決定されたパスを伝える、ユーザ・プレーン・パスを更新するための第３更新要求メッセージを、前記通信モジュールを使用することによって、前記ＣＧＷへ送信して、該ＣＧＷが、前記第４ＵＧＷにおける前記ＵＥのためのアクセス・ポートと前記アプリケーションのためのＵＧＷアクセス・ポートとの間のパスを確立し、前記第１ＵＧＷにおける前記ＵＥのためのアクセス・ポートと前記アプリケーションのための前記ＵＧＷアクセス・ポートとの間のパスを削除するために、前記ＵＥと前記アプリケーションとの間の、前記ＵＧＷスイッチング・プレーン上の前記再決定されたパスをユーザ・プレーン・パケット転送規則に変換するようにする
よう更に構成される、
請求項２５に記載の装置。
【請求項２７】
前記処理モジュールは、
ＭＭＥによって送信された第１セッション生成要求メッセージを、前記通信モジュールを使用することによって受信し、前記ＭＭＥが、Ｓ１１インターフェイスを使用することによって前記ＵＭＣユニットへ接続され、当該装置が、第１インターフェイスを使用することによって前記クラウド・コントローラへ接続され、当該装置が、第２インターフェイスを使用することによって前記ＣＧＷへ接続され、
前記第１セッション生成要求メッセージに基づき、前記ＵＥアタッチ・イベント情報を取得し、
前記ＵＥによってアクセスされる基地局のＩＰアドレスに基づき、前記第１ＵＧＷ及び該第１ＵＧＷにアクセスするためのポートを前記ＵＥに割り当てる
よう特に構成される、
請求項１８乃至２２のうちいずれか一項に記載の装置。
【請求項２８】
前記処理モジュールは、
前記ＭＭＥによって送信された第２セッション生成要求メッセージを、前記通信モジュールを使用することによって受信し、該第２セッション生成要求メッセージは、前記ＭＭＥが前記ＵＥによってアクセスされる前記基地局からＵＥ基地局ハンドオーバー要求メッセージを受信した後に、当該装置へ送信され、
前記ＵＥのＩＰアドレス及び対象基地局のＩＰアドレスを運ぶＵＥ位置モーション・イベント情報を、前記第２セッション生成要求メッセージに基づきパースし、
前記ＵＥのＩＰアドレス及び前記対象基地局のＩＰアドレスに基づき、第４ＵＧＷを前記ＵＥに割り当て、
前記第４ＵＧＷのＩＰアドレスを運ぶ第３セッション生成要求メッセージを、前記通信モジュールを使用することによって、前記ＣＧＷへ送信して、該ＣＧＷが前記ＵＥ及び前記対象基地局を接続し、前記対象基地局と前記第４ＵＧＷとの間にＧＴＰトンネルを確立するようにし、
前記ＣＧＷによって送信されたＵＥベアラ変更応答メッセージを、前記通信モジュールを使用することによって受信し、
前記ＵＥベアラ変更応答メッセージに基づき、前記ＵＥが前記第４ＵＧＷの再選択を完了すると決定し、
前記ＵＥのＩＰアドレスと前記第４ＵＧＷとの間のマッピング関係を更新し、
セットアップされた前記ＵＥに対応するサービス・コンテキストに基づき、前記ＵＥと前記アプリケーションとの間の、ＵＧＷスイッチング・プレーン上のパスを再決定し、
前記ＵＥと前記アプリケーションとの間の、前記ＵＧＷスイッチング・プレーン上の前記再決定されたパスを伝える、ユーザ・プレーン・パスを更新するための第４更新要求メッセージを、前記通信モジュールを使用することによって前記ＣＧＷへ送信して、該ＣＧＷが、前記第４ＵＧＷにおける前記ＵＥのためのアクセス・ポートと前記アプリケーションのためのＵＧＷアクセス・ポートとの間のパスを確立し、前記第１ＵＧＷにおける前記ＵＥのためのアクセス・ポートと前記アプリケーションのための前記ＵＧＷアクセス・ポートとの間のパスを削除するために、前記ＵＥと前記アプリケーションとの間の、前記ＵＧＷスイッチング・プレーン上の前記再決定されたパスをユーザ・プレーン・パケット転送規則に変換するようにする
よう更に構成される、
請求項２７に記載の装置。
【請求項２９】
前記処理モジュールは、
前記ＣＧＷによって送信されたアプリケーション・アクセス・イベント情報を、前記通信モジュールを使用することによって受信し、該アプリケーション・アクセス・イベント情報は、前記第２ＵＧＷからのアプリケーション・ユーザ・プレーン・データに基づき前記ＣＧＷによって取得され、前記アプリケーション・アクセス・イベント情報は、前記アプリケーションのＩＰアドレス及び前記第２ＵＧＷのポートＩＰアドレスを運び、
前記ＣＧＷによって送信された第２通知メッセージを、前記通信モジュールを使用することによって受信し、該第２通知メッセージは、前記ＵＥのユーザ・プレーン・サービス・パケットが到着することを示すために使用され、前記第２通知メッセージは、前記ユーザ・プレーン・サービス・パケットのフロー識別子情報を運び、
前記フロー識別子情報に基づき、前記ユーザ・プレーン・サービス・パケットが新しいサービスに関連したパケットであると決定し、前記ＵＥ及び前記アプリケーションに対応するサービス・コンテキストをセットアップする
よう更に構成され、
前記処理モジュールは、前記第１マッピング関係、前記第２マッピング関係、及び前記ユーザ・プレーン・サービス・パケットのフロー特性情報に基づき、前記ＵＥと前記アプリケーションとの間の、ＵＧＷスイッチング・プレーン上のパスを決定するよう特に構成される、
請求項１７に記載の装置。
【請求項３０】
前記処理モジュールは、
前記ＣＧＷによって送信された前記アプリケーション・モーション・イベント情報を、前記通信モジュールを使用することによって受信し、該アプリケーション・モーション・イベント情報は、前記ＣＧＷが、転送規則が定義されていない、第３ＵＧＷによって送信される前記アプリケーションのデータ・パケットを受信し、且つ、予め設定された規則に基づき、前記アプリケーションがマイグレートされると決定した後に、送信され、前記アプリケーション・モーション・イベント情報は、前記アプリケーションのＩＰアドレスと、前記アプリケーションのデータ・パケットを受信する前記第３ＵＧＷのポートＩＰアドレスとを運び、
前記アプリケーションのＩＰアドレスと、前記アプリケーションのデータ・パケットを受信する前記第３ＵＧＷのポートＩＰアドレスとに基づき、前記アプリケーションが動くと決定し、
前記アプリケーションのＩＰアドレスと前記第３ＵＧＷにおけるポートとの間のマッピング関係を更新し、
前記アプリケーションのＩＰアドレスと前記第３ＵＧＷにおけるポートとの間の第３マッピング関係と、前記ＵＥのＩＰアドレスと前記第１ＵＧＷとの間の前記第１マッピング関係とに基づき、前記ＵＥと前記アプリケーションとの間のパスを再決定する
よう更に構成される、
請求項２９に記載の装置。
【請求項３１】
請求項１乃至１５のうちいずれか一項に記載の方法をコンピュータに実行させるプログラム。
【手続補正２】
【補正対象書類名】明細書
【補正対象項目名】００１７
【補正方法】変更
【補正の内容】
【００１７】
可能な設計において、前記ＵＥアタッチ・イベント情報は、前記ＣＧＷを使用することによって受信される情報であり、前記ＣＧＷは、第２インターフェイスを使用することによって前記ＵＭＣユニットへ接続され、前記ＣＧＷは、ＭＭＥへ更に接続され、前記ＵＭＣユニットは、第１インターフェイスを使用することによって前記クラウド・コントローラへ接続され、あるいは、前記ＵＭＣユニットの機能ユニット及び前記ＣＧＷの機能ユニットは、一体化され、前記ＵＭＣユニットの機能ユニットは、第１インターフェイスを使用することによって前記クラウド・コントローラへ接続され、前記ＣＧＷの機能ユニットは、Ｓ１１インターフェイスを使用することによって前記ＭＭＥへ接続され、前記ＵＭＣユニットによって、前記ＵＥのＩＰアドレスと該ＵＥに割り当てられている第１ユーザ・プレーン・ゲートウェイＵＧＷのポートとの間の第１マッピング関係を決定することは、前記ＵＭＣユニットによって、前記ＵＥのＩＰアドレス及び該ＵＥによってアクセスされる前記基地局のＩＰアドレスを前記ＣＧＷへ送信して、該ＣＧＷが、前記第１ＵＧＷ及び該第１ＵＧＷにアクセスするためのポートを前記ＵＥに割り当てるようにし、前記ＵＭＣユニットによって、前記ＣＧＷによって送信される、前記第１ＵＧＷにおけるポートを前記ＵＥへ割り当てる通知メッセージを受信することと、前記ＵＭＣユニットによって、前記第１ＵＧＷ及び該第１ＵＧＷにアクセスするためのポートを前記ＵＥに割り当てると決定し、前記ＵＭＣユニットによって、前記ＵＥに割り当てられた前記第１ＵＧＷにおけるポートに関する情報を前記ＣＧＷへ送信して、該ＣＧＷが、前記ＵＥのための前記第１ＵＧＷのベアラを確立するようにすることとを含む。
【手続補正３】
【補正対象書類名】明細書
【補正対象項目名】００１９
【補正方法】変更
【補正の内容】
【００１９】
可能な設計において、前記ＵＥアタッチ・イベント情報は、ＭＭＥを使用することによって受信される情報であって、該ＭＭＥは、第３インターフェイスを使用することによって前記ＵＭＣユニットへ接続され、該ＵＭＣユニットは、第２インターフェイスを使用することによって前記ＣＧＷへ接続され、前記ＵＭＣユニットは、第１インターフェイスを使用することによって前記クラウド・コントローラへ接続され、あるいは、前記ＵＭＣユニットの機能ユニット及び前記ＭＭＥの機能ユニットは、一体化され、前記ＵＭＣユニットの機能ユニットは、第１インターフェイスを使用することによって前記クラウド・コントローラへ接続され、前記ＭＭＥの機能ユニットは、Ｓ１１インターフェイスを使用することによって前記ＣＧＷへ接続され、あるいは、前記ＭＭＥの機能ユニット及び前記ＣＧＷの機能ユニットは、ＭＣＰにおいて一体化され、前記ＵＭＣユニットは、前記ＭＣＰにおいて組み込まれ、前記ＵＭＣユニットによって、前記ＵＥのＩＰアドレスと該ＵＥに割り当てられている第１ユーザ・プレーン・ゲートウェイＵＧＷのポートとの間の第１マッピング関係を決定することは、前記ＵＭＣユニットによって、前記第１ＵＧＷ及び該第１ＵＧＷにアクセスするためのポートを前記ＵＥに割り当てると決定し、前記ＵＭＣユニットによって、前記ＵＥに割り当てられた前記第１ＵＧＷにおけるポートに関する情報を前記ＭＭＥへ送信して、該ＭＭＥが、前記ＵＥのための前記第１ＵＧＷのベアラを確立するために前記ＣＧＷによって使用されるセッション生成要求を前記ＣＧＷへ送信するようにすること、又は前記ＵＭＣユニットによって、前記ＭＭＥによって前記ＵＥに割り当てられた前記第１ＵＧＷのポート・メッセージを運ぶ、前記ＭＭＥによって送信された前記ＵＥアタッチ・イベント情報を受信することを含む。
【手続補正４】
【補正対象書類名】明細書
【補正対象項目名】００２０
【補正方法】変更
【補正の内容】
【００２０】
可能な設計において、当該方法は、前記ＵＭＣユニットによって、前記ＵＥのＩＰアドレス及び対象基地局のＩＰアドレスを運ぶ、前記ＭＭＥによって送信されたＵＥ位置モーション・イベント情報を受信することと、前記ＵＭＣユニットによって、前記ＵＥの前記対象基地局のＩＰアドレス及び前記ＵＥに関連したサービス・コンテキストに基づき、第４ＵＧＷを前記ＵＥに割り当てることと、前記ＵＭＣユニットによって、前記第４ＵＧＷのＩＰアドレスを運ぶゲートウェイ再選択要求メッセージを前記ＭＭＥへ送信して、該ＭＭＥが前記ＵＥ及び前記対象基地局を接続し、前記ＣＧＷを使用することによって前記対象基地局と前記第４ＵＧＷとの間にＧＴＰトンネルを確立するようにすることと、前記ＵＭＣユニットによって、前記ＭＭＥによって送信される前記ＵＥのゲートウェイ再選択完了メッセージを受信することと、前記ＵＭＣユニットによって、前記ＵＥのＩＰアドレスと前記第４ＵＧＷとの間のマッピング関係を更新することと、前記ＵＭＣユニットによって、セットアップされた前記ＵＥに対応する前記サービス・コンテキストに基づき、前記ＵＥと前記アプリケーションとの間の、前記ＵＧＷスイッチング・プレーン上のパスを再決定することと、前記ＵＭＣユニットによって、前記ＵＥと前記アプリケーションとの間の、前記ＵＧＷスイッチング・プレーン上の前記再決定されたパスを伝える、ユーザ・プレーン・パスを更新するための第３更新要求メッセージを前記ＣＧＷへ送信して、該ＣＧＷが、前記第４ＵＧＷにおける前記ＵＥのためのアクセス・ポートと前記アプリケーションのための前記ＵＧＷアクセス・ポートとの間のパスを確立し、前記第１ＵＧＷにおける前記ＵＥのためのアクセス・ポートと前記アプリケーションのための前記ＵＧＷアクセス・ポートとの間のパスを削除するために、前記ＵＥと前記アプリケーションとの間の、前記ＵＧＷスイッチング・プレーン上の前記再決定されたパスをユーザ・プレーン・パケット転送規則に変換するようにすることとを更に含む。
【手続補正５】
【補正対象書類名】明細書
【補正対象項目名】００２２
【補正方法】変更
【補正の内容】
【００２２】
可能な設計において、当該方法は、前記ＵＭＣユニットによって、前記ＭＭＥによって送信された第２セッション生成要求メッセージを受信し、該第２セッション生成要求メッセージは、前記ＭＭＥが前記ＵＥの前記ソース基地局からＵＥ基地局ハンドオーバー要求メッセージを受信した後に、前記ＵＭＣユニットへ送信されることと、前記ＵＭＣによって、前記ＵＥのＩＰアドレス及び対象基地局のＩＰアドレスを運ぶＵＥ位置モーション・イベント情報を、前記第２セッション生成要求メッセージに基づきパースすることと、前記ＵＭＣユニットによって、前記ＵＥのＩＰアドレス及び前記対象基地局のＩＰアドレスに基づき、第４ＵＧＷを前記ＵＥに割り当てることと、前記ＵＭＣユニットによって、前記第４ＵＧＷのＩＰアドレスを運ぶ第３セッション生成要求メッセージを前記ＣＧＷへ送信して、該ＣＧＷが前記ＵＥ及び前記対象基地局を接続し、前記対象基地局と前記第４ＵＧＷとの間にＧＴＰトンネルを確立するようにすることと、前記ＵＭＣユニットによって、前記ＣＧＷによって送信されたＵＥベアラ変更応答メッセージを受信することと、前記ＵＭＣユニットによって、前記ＵＥベアラ変更応答メッセージに基づき、前記ＵＥが前記第４ＵＧＷの再選択を完了すると決定することと、前記ＵＭＣユニットによって、前記ＵＥのＩＰアドレスと前記第４ＵＧＷとの間のマッピング関係を更新することと、前記ＵＭＣユニットによって、セットアップされた前記ＵＥに対応するサービス・コンテキストに基づき、前記ＵＥと前記アプリケーションとの間の、前記ＵＧＷスイッチング・プレーン上のパスを再決定することと、前記ＵＭＣユニットによって、前記ＵＥと前記アプリケーションとの間の、前記ＵＧＷスイッチング・プレーン上の前記再決定されたパスを伝える、ユーザ・プレーン・パスを更新するための第４更新要求メッセージを前記ＣＧＷへ送信して、該ＣＧＷが、前記第４ＵＧＷにおける前記ＵＥのためのアクセス・ポートと前記アプリケーションのための前記ＵＧＷアクセス・ポートとの間のパスを確立し、前記第１ＵＧＷにおける前記ＵＥのためのアクセス・ポートと前記アプリケーションのための前記ＵＧＷアクセス・ポートとの間のパスを削除するために、前記ＵＥと前記アプリケーションとの間の、前記ＵＧＷスイッチング・プレーン上の前記再決定されたパスをユーザ・プレーン・パケット転送規則に変換するようにすることとを更に含む。
【手続補正６】
【補正対象書類名】明細書
【補正対象項目名】００２３
【補正方法】変更
【補正の内容】
【００２３】
可能な設計において、前記ＵＭＣユニットによって前記ＵＥアタッチ・イベント情報を受信することより前に、当該方法は、前記ＵＭＣユニットによって、前記ＣＧＷによって送信されたアプリケーション・アクセス・イベント情報を受信し、該アプリケーション・アクセス・イベント情報は、前記第２ＵＧＷからのアプリケーション・ユーザ・プレーン・データに基づき前記ＣＧＷによって取得され、前記アプリケーション・アクセス・イベント情報は、前記アプリケーションのＩＰアドレス及び前記第２ＵＧＷのポートＩＰアドレスを運ぶことと、前記ＵＭＣユニットが前記ＵＥアタッチ・イベント情報を受信した後に、前記ＵＭＣユニットによって、前記ＣＧＷによって送信された第２通知メッセージを受信し、該第２通知メッセージは、前記ＵＥのユーザ・プレーン・サービス・パケットが到着することを示すために使用され、前記第２通知メッセージは、前記ユーザ・プレーン・サービス・パケットのフロー識別子情報を運ぶことと、前記ＵＭＣユニットによって、前記フロー識別子情報に基づき、前記ユーザ・プレーン・サービス・パケットが新しいサービスに関連したパケットであると決定し、前記ＵＥ及び前記アプリケーションに対応するサービス・コンテキストをセットアップすることとを更に含み、前記ＵＭＣユニットによって、前記第１マッピング関係及び前記第２マッピング関係に基づき、前記ＵＥと前記アプリケーションとの間のパスを決定することは、前記ＵＭＣユニットによって、前記第１マッピング関係、前記第２マッピング関係、及び前記ユーザ・プレーン・サービス・パケットのフロー特性情報に基づき、前記ＵＥと前記アプリケーションとの間の、ＵＧＷスイッチング・プレーン上のパスを決定することを含む。
【手続補正７】
【補正対象書類名】明細書
【補正対象項目名】００２４
【補正方法】変更
【補正の内容】
【００２４】
可能な設計において、当該方法は、前記ＵＭＣユニットによって、前記ＣＧＷによって送信された前記アプリケーション・モーション・イベント情報を受信し、該アプリケーション・モーション・イベント情報は、前記ＣＧＷが、転送規則が定義されていない、第３ＵＧＷによって送信される前記アプリケーションのデータ・パケットを受信し、且つ、予め設定された規則に基づき、前記アプリケーションがマイグレートされると決定した後に、送信され、前記アプリケーション・モーション・イベント情報は、前記アプリケーションのＩＰアドレスと、前記アプリケーションのデータ・パケットを受信する前記第３ＵＧＷのポートＩＰアドレスとを運ぶことと、前記ＵＭＣユニットによって、前記アプリケーションのＩＰアドレスと、前記アプリケーションのデータ・パケットを受信する前記第３ＵＧＷのポートＩＰアドレスとに基づき、前記アプリケーションが動くと決定することと、前記ＵＭＣユニットによって、前記アプリケーションのＩＰアドレスとＵＧＷにおけるポートとの間のマッピング関係を更新することと、前記ＵＭＣユニットによって、前記アプリケーションのＩＰアドレスと前記第３ＵＧＷにおけるポートとの間の第３マッピング関係と、前記ＵＥのＩＰアドレスと前記第１ＵＧＷとの間の前記第１マッピング関係とに基づき、前記ＵＥと前記アプリケーションとの間のパスを再決定することとを更に含む。
【手続補正８】
【補正対象書類名】明細書
【補正対象項目名】００３４
【補正方法】変更
【補正の内容】
【００３４】
【図１】本発明の実施形態に従う可能なシステム・アーキテクチャの図を示す。
【図２】ＵＭＣユニットの接続の略構造図を示す。
【図３】本発明の実施形態に従うモバイル協働型コミュニケーション方法の略フローチャートである。
【図４】本発明の実施形態に従う他のモバイル協働型コミュニケーション方法の略フローチャートを示す。
【図５】本発明の実施形態に従う可能なシステム・アーキテクチャの図を示す。
【図６】本発明の実施形態に従って、ＵＥ及びエッジ・アプリケーションが最初にサービスを確立するアプリケーション・シナリオの図を示す。
【図７Ａ】本発明の実施形態に従って、ＵＥ及びエッジ・アプリケーションが最初にサービスを確立することの略通信図を示す。
【図７Ｂ】本発明の実施形態に従って、ＵＥ及びエッジ・アプリケーションが最初にサービスを確立することの略通信図を示す。
【図８Ａ】本発明の実施形態に従って、ＵＥがアクセスする必要があるエッジ・アプリケーションをパースする方法の略通信図を示す。
【図８Ｂ】本発明の実施形態に従って、ＵＥがアクセスする必要があるエッジ・アプリケーションをパースする方法の略通信図を示す。
【図９Ａ】本発明の実施形態に従って、ＵＥがアクセスする必要があるエッジ・アプリケーションをパースする他の方法の略通信図を示す。
【図９Ｂ】本発明の実施形態に従って、ＵＥがアクセスする必要があるエッジ・アプリケーションをパースする他の方法の略通信図を示す。
【図１０】本発明の実施形態に従って、ＵＥがエッジ・アプリケーションへ接続した後にＵＥのみが動く協働型コミュニケーションのアプリケーション・シナリオの図を示す。
【図１１Ａ】本発明の実施形態に従って、ＵＥがエッジ・アプリケーションへ接続した後にＵＥのみが動く協働型コミュニケーションの略通信図を示す。
【図１１Ｂ】本発明の実施形態に従って、ＵＥがエッジ・アプリケーションへ接続した後にＵＥのみが動く協働型コミュニケーションの略通信図を示す。
【図１１Ｃ】本発明の実施形態に従って、ＵＥがエッジ・アプリケーションへ接続した後にＵＥのみが動く協働型コミュニケーションの略通信図を示す。
【図１２】本発明の実施形態に従って、ＵＥが動いた後のＵＥとエッジ・アプリケーションとの間の協働型コミュニケーションのアプリケーション・シナリオの図を示す。
【図１３】本発明の実施形態に従って、ＵＥがエッジ・アプリケーションへ接続した後にエッジ・アプリケーションのみが動く協働型コミュニケーション・シナリオの図を示す。
【図１４】本発明の実施形態に従って、ＵＥがエッジ・アプリケーションへ接続した後にエッジ・アプリケーションのみが動く協働型コミュニケーションの略通信図を示す。
【図１５】本発明の実施形態に従って、エッジ・アプリケーションが動いた後のＵＥとエッジ・アプリケーションとの間の協働型コミュニケーションの目標シナリオの図を示す。
【図１６】本発明の実施形態に従って、ＵＥがエッジ・アプリケーションへ接続した後にＵＥが動き、エッジ・アプリケーションが追随する協働型コミュニケーションのアプリケーション・シナリオの図を示す。
【図１７Ａ】本発明の実施形態に従って、ＵＥが動き、エッジ・アプリケーションが追随する協働型コミュニケーションの略通信図を示す。
【図１７Ｂ】本発明の実施形態に従って、ＵＥが動き、エッジ・アプリケーションが追随する協働型コミュニケーションの略通信図を示す。
【図１７Ｃ】本発明の実施形態に従って、ＵＥが動き、エッジ・アプリケーションが追随する協働型コミュニケーションの略通信図を示す。
【図１７Ｄ】本発明の実施形態に従って、ＵＥが動き、エッジ・アプリケーションが追随する協働型コミュニケーションの略通信図を示す。
【図１８】本発明の実施形態に従って、ＵＥが動き、エッジ・アプリケーションが追随する協働型コミュニケーションの略効果図を示す。
【図１９】本発明の実施形態に従う他の可能なシステム・アーキテクチャの図を示す。
【図２０Ａ】本発明の実施形態に従って、ＵＥ及びエッジ・アプリケーションが最初にサービスを確立することの他の略通信図を示す。
【図２０Ｂ】本発明の実施形態に従って、ＵＥ及びエッジ・アプリケーションが最初にサービスを確立することの他の略通信図を示す。
【図２１Ａ】本発明の実施形態に従って、ＵＥがエッジ・アプリケーションへ接続した後にＵＥのみが動く協働型コミュニケーションの他の略通信図を示す。
【図２１Ｂ】本発明の実施形態に従って、ＵＥがエッジ・アプリケーションへ接続した後にＵＥのみが動く協働型コミュニケーションの他の略通信図を示す。
【図２１Ｃ】本発明の実施形態に従って、ＵＥがエッジ・アプリケーションへ接続した後にＵＥのみが動く協働型コミュニケーションの他の略通信図を示す。
【図２２Ａ】本発明の実施形態に従って、ＵＥがエッジ・アプリケーションへ接続した後にＵＥが動き、エッジ・アプリケーションが追随する協働型コミュニケーションの他の略通信図を示す。
【図２２Ｂ】本発明の実施形態に従って、ＵＥがエッジ・アプリケーションへ接続した後にＵＥが動き、エッジ・アプリケーションが追随する協働型コミュニケーションの他の略通信図を示す。
【図２２Ｃ】本発明の実施形態に従って、ＵＥがエッジ・アプリケーションへ接続した後にＵＥが動き、エッジ・アプリケーションが追随する協働型コミュニケーションの他の略通信図を示す。
【図２３】本発明の実施形態に従う更なる他の可能なシステム・アーキテクチャの図を示す。
【図２４Ａ】本発明の実施形態に従って、ＵＥ及びエッジ・アプリケーションが最初にサービスを確立することの更なる他の略通信図を示す。
【図２４Ｂ】本発明の実施形態に従って、ＵＥ及びエッジ・アプリケーションが最初にサービスを確立することの更なる他の略通信図を示す。
【図２５Ａ】本発明の実施形態に従って、ＵＥがエッジ・アプリケーションへ接続した後にＵＥのみが動く協働型コミュニケーションの更なる他の略通信図を示す。
【図２５Ｂ】本発明の実施形態に従って、ＵＥがエッジ・アプリケーションへ接続した後にＵＥのみが動く協働型コミュニケーションの更なる他の略通信図を示す。
【図２５Ｃ】本発明の実施形態に従って、ＵＥがエッジ・アプリケーションへ接続した後にＵＥのみが動く協働型コミュニケーションの更なる他の略通信図を示す。
【図２６Ａ】本発明の実施形態に従って、ＵＥがエッジ・アプリケーションへ接続した後にＵＥが動き、エッジ・アプリケーションが追随する協働型コミュニケーションの更なる他の略通信図を示す。
【図２６Ｂ】本発明の実施形態に従って、ＵＥがエッジ・アプリケーションへ接続した後にＵＥが動き、エッジ・アプリケーションが追随する協働型コミュニケーションの更なる他の略通信図を示す。
【図２６Ｃ】本発明の実施形態に従って、ＵＥがエッジ・アプリケーションへ接続した後にＵＥが動き、エッジ・アプリケーションが追随する協働型コミュニケーションの更なる他の略通信図を示す。
【図２７】本発明の実施形態に従う更なる他の可能なシステム・アーキテクチャの図を示す。
【図２８Ａ】本発明の実施形態に従って、ＵＥ及びエッジ・アプリケーションが最初にサービスを確立することの更なる他の略通信図を示す。
【図２８Ｂ】本発明の実施形態に従って、ＵＥ及びエッジ・アプリケーションが最初にサービスを確立することの更なる他の略通信図を示す。
【図２９】本発明の実施形態に従って、ＵＥがエッジ・アプリケーションへ接続した後にエッジ・アプリケーションのみが動く他の協働型コミュニケーション・シナリオの図を示す。
【図３０】本発明の実施形態に従う更なる他の可能なシステム・アーキテクチャの図を示す。
【図３１】本発明の実施形態に従う更なる他の可能なシステム・アーキテクチャの図を示す。
【図３２】本発明の実施形態に従う更なる他の可能なシステム・アーキテクチャの図を示す。
【図３３Ａ】前述の実施形態におけるＵＭＣユニットの可能な構造の概略図を示す。
【図３３Ｂ】前述の実施形態におけるＵＭＣユニットの他の可能な構造の概略図を示す。
【手続補正９】
【補正対象書類名】明細書
【補正対象項目名】００４３
【補正方法】変更
【補正の内容】
【００４３】
１つのＵＥは、同時に複数のエッジ・アプリケーションにアクセスしてよく、１つのエッジ・アプリケーションは、同時に複数の端末にサービスを提供してよい。すなわち、端末とエッジ・アプリケーションとの間の接続は多対多である。ＵＥが移動した後、ＵＭＣユニットは、ＵＧＷを正確に選択するために、ＵＥの現在のアクティビティのサービス接続と、サービス接続が起きるエッジ・アプリケーションの位置とを知る必要がある。本発明において、ＵＭＣユニットは、サービス接続コンテキストをセットアップするよう、ＭＣＰを使用することによってユーザ・プレーン・サービス接続を取得する必要があり、且つ、対応するサービス接続コンテキストを削除するよう、ＵＥがＵＧＷへの接続を切るイベント又はアプリケーション終了イベントを検知する必要がある。
【手続補正１０】
【補正対象書類名】明細書
【補正対象項目名】００６２
【補正方法】変更
【補正の内容】
【００６２】
第１ＵＧＷ及び第２ＵＧＷは、同じＵＧＷ又は異なるＵＧＷである。ＵＭＣユニットは、更に、第１マッピング関係及び第２マッピング関係を記録してよい。第２マッピング関係を決定することは：ＵＭＣユニットは、ＵＥのサブスクリプション情報を取得し、該サブスクリプション情報は、ＵＥがサブスクライブするエッジ・アプリケーションの識別子を運び、ＵＭＣユニットは、ＵＥがサブスクライブするエッジ・アプリケーションの識別子に基づき、ＵＥがアクセスすることを求めるエッジ・アプリケーションが第２ＵＧＷにアクセスしたかどうかを判定すること；又はＵＭＣユニットは、ＵＥのユーザ・プレーン・サービス・パケットを取得し、該ユーザ・プレーン・サービス・パケットは、ＵＥがアクセスすることを求めるエッジ・アプリケーションの識別子を運び、ＵＭＣユニットは、ＵＥがアクセスすることを求めるエッジ・アプリケーションの識別子に基づき、ＵＥがアクセスすることを求めるエッジ・アプリケーションが第２ＵＧＷにアクセスしたかどうかを判定することを含む。
【手続補正１１】
【補正対象書類名】明細書
【補正対象項目名】００７３
【補正方法】変更
【補正の内容】
【００７３】
（２）ＵＭＣユニットが、クラウド・コントローラからエッジ・アプリケーションの作業ステータスの変化を知る。エッジ・アプリケーションの作業ステータスは、閉鎖状態、通常動作状態、及び同様のものを含む。
【手続補正１２】
【補正対象書類名】明細書
【補正対象項目名】００７６
【補正方法】変更
【補正の内容】
【００７６】
図５に示されるように、ｉｆ２インターフェイスを使用することによって実装される機能は、次を含む。
【手続補正１３】
【補正対象書類名】明細書
【補正対象項目名】００７８
【補正方法】変更
【補正の内容】
【００７８】
（２）ＵＭＣユニットが、ＣＧＷからＵＥモーション・イベント情報を知る。ＵＥモーション・イベント情報は、モーション・イベント・タイプ（例えば、アタッチメント、分離、ハンドオーバー、又はサービス要求）、現在アクセスされている基地局のＩＰアドレス、及びそもそもアクセスされていた基地局のＩＰアドレスを含む。
【手続補正１４】
【補正対象書類名】明細書
【補正対象項目名】００９９
【補正方法】変更
【補正の内容】
【００９９】
ｅＮＢは、メッセージを受信した後にＲＲＣ接続を再構成する。モバイル・ネットワークは、ＵＥアタッチ・プロシージャを完了するよう、ＮＡＳセキュリティ及びベアラ更新のプロシージャを実行する。
【手続補正１５】
【補正対象書類名】明細書
【補正対象項目名】０１０２
【補正方法】変更
【補正の内容】
【０１０２】
Ｓ３１６．ＵＭＣユニットは、新しいサービス接続が存在するとの決定後にサービス接続コンテキストをセットアップし、ＩＰアドレスとＵＧＷとの間の前に確立されたマッピング関係から、新しいサービスのソースＩＰアドレス及びあて先ＩＰアドレスに対応するＵＧＷを見つけ、ＵＥのためのアクセス・ポートからエッジ・アプリケーションのためのアクセス・ポートへのパスを計算する。
【手続補正１６】
【補正対象書類名】明細書
【補正対象項目名】０１１６
【補正方法】変更
【補正の内容】
【０１１６】
Ｓ４１０．ＭＭＥは、アタッチ・アクセプト（Attach  accept）・メッセージをｅＮＢへ送り、コンテキスト・セットアップ要求を開始し、ｅＮＢは、メッセージを受信した後にＲＲＣ接続を再構成し、モバイル・ネットワークは、ＵＥアタッチ・プロシージャを完了するよう、ＮＡＳセキュリティ及びベアラ更新のプロシージャを実行する。
【手続補正１７】
【補正対象書類名】明細書
【補正対象項目名】０１１９
【補正方法】変更
【補正の内容】
【０１１９】
Ｓ４１３．ＵＭＣユニットは、ＵＧＷ１の接続ポートをエッジ・アプリケーションに割り当て、エッジ・アプリケーションのＩＰアドレスとＵＧＷ１のポートとの間のマッピング関係を記録する。
【手続補正１８】
【補正対象書類名】明細書
【補正対象項目名】０１２６
【補正方法】変更
【補正の内容】
【０１２６】
Ｓ５０１において、ＵＥは、モバイルネットワークへアタッチされ、ＭＭＥは、ＲＲＣ接続確立、認証、ＮＡＳセキュリティ、及び位置更新のプロシージャを完了する。Ｓ５０２において、ＭＭＥは、セッション生成要求メッセージをＣＧＷへ送る。Ｓ５０３はＳ４０２と同じであり、詳細については再度記載されない。
【手続補正１９】
【補正対象書類名】明細書
【補正対象項目名】０１３４
【補正方法】変更
【補正の内容】
【０１３４】
Ｓ５０７．ｅＮＢは、コンテキスト・セットアップ要求メッセージを受信した後にＲＲＣ接続を再構成し、モバイル・ネットワークは、ＵＥアタッチ・プロシージャを完了するよう、ＮＡＳセキュリティ及びベアラ更新のプロシージャを実行する。
【手続補正２０】
【補正対象書類名】明細書
【補正対象項目名】０１４２
【補正方法】変更
【補正の内容】
【０１４２】
ＵＭＣユニットは、ＩＰアドレスとＵＧＷとの間の前に確立されたマッピング関係から、新しいサービスのソースＩＰアドレス及びあて先ＩＰアドレスに対応するＵＧＷを見つけ、ＵＥのためのアクセス・ポートからエッジ・アプリケーションのためのアクセス・ポートへのパスを計算する。
【手続補正２１】
【補正対象書類名】明細書
【補正対象項目名】０１４３
【補正方法】変更
【補正の内容】
【０１４３】
Ｓ５１８乃至Ｓ５２１は、図８Ａ及び図８ＢにおけるＳ４１４乃至Ｓ４１７と同じ又は同様である。詳細な説明については、図８Ａ及び図８Ｂにおける記載を参照されたい。詳細については再度記載されない。
【手続補正２２】
【補正対象書類名】明細書
【補正対象項目名】０１４６
【補正方法】変更
【補正の内容】
【０１４６】
エッジ・アプリケーションが動く場合に、方法は：
ＵＭＣユニットは、クラウド・コントローラによって送信されたエッジ・アプリケーション・マイグレーション・イベント情報を受信し、エッジ・アプリケーション・マイグレーション・イベント情報は、エッジ・アプリケーションのＩＰアドレス及びエッジ・アプリケーションの新しい位置情報を運び；
ＵＭＣユニットは、エッジ・アプリケーションのＩＰアドレス及びエッジ・アプリケーションの新しい位置情報に基づき、第３ＵＧＷ及び第３ＵＧＷにアクセスするためのポートをエッジ・アプリケーションに割り当て；
ＵＭＣユニットは、エッジ・アプリケーションのＩＰアドレスと第３ＵＧＷにおけるポートとの間のマッピング関係を記録し；
ＵＭＣユニットは、エッジ・アプリケーションによって第３ＵＧＷにアクセスするためのアクセス規則をクラウド・コントローラへ送り、アクセス規則は、エッジ・アプリケーションから第３ＵＧＷへの転送パスを構成するためにクラウド・コントローラによって使用され、更には、エッジ・アプリケーションから第２ＵＧＷへの転送パスを削除するためにクラウド・コントローラによって使用され；
ＵＭＣユニットは、第３ＵＧＷに対するエッジ・アプリケーションのアクセス・ポート・ポリシーを構成するよう要求するための要求メッセージをＣＧＷへ送って、ＣＧＷが、要求メッセージに基づき構成メッセージを第３ＵＧＷへ供給し、第３ＵＧＷが、エッジ・アプリケーションと第３ＵＧＷとを接続するために、構成メッセージに基づき第３ＵＧＷに対するエッジ・アプリケーションのアクセス・ポート・ポリシーを構成するようにし、ＣＧＷは、更に、要求メッセージをＣＧＷに基づきＵＥのパケットのために第２ＵＧＷ及び第３ＵＧＷのユーザ・プレーン転送規則を更新する
ことを含む。
【手続補正２３】
【補正対象書類名】明細書
【補正対象項目名】０１４７
【補正方法】変更
【補正の内容】
【０１４７】
ＵＥが動く場合に、方法は：
ＵＭＣユニットは、ＣＧＷ又はＭＭＥによって送信されたＵＥ位置モーション・イベント情報を受信し、ＵＥ位置モーション・イベント情報は、ＵＥのＩＰアドレス及び対象基地局のＩＰアドレスを運び；
ＵＭＣユニットは、ＵＥのＩＰアドレス及び対象基地局のＩＰアドレスに基づき、第４ＵＧＷをＵＥに割り当て；
ＵＭＣユニットは、ゲートウェイ再選択要求メッセージをＣＧＷ又はＭＭＥへ送り、ゲートウェイ再選択要求メッセージは、第４ＵＧＷの識別子又はＩＰアドレスを運び、それにより、ＣＧＷは、ＵＥと対象基地局とを接続し、対象基地局と第４ＵＧＷとの間にＧＴＰトンネルを確立し；
ＵＭＣユニットは、ＣＧＷによって送られるＵＥのゲートウェイ再選択完了メッセージを受信し；
ＵＭＣユニットは、ＵＥのＩＰアドレスと第４ＵＧＷとの間のマッピング関係を更新し；
ＵＭＣは、セットアップされたＵＥに対応するサービス・コンテキストに基づき、ＵＥとエッジ・アプリケーションとの間の、ＵＧＷスイッチング・プレーンにおける転送パスを再決定し；
ＵＭＣユニットは、ユーザ・プレーン転送パスを更新するための更新要求メッセージをＣＧＷへ送り、更新要求メッセージは、ＵＥとエッジ・アプリケーションとの間の、ＵＧＷスイッチング・プレーンにおける再決定された転送パスを伝え、それにより、ＣＧＷは、ＵＥとエッジ・アプリケーションとの間の、ＵＧＷスイッチング・プレーンにおける再決定された転送パスをユーザ・プレーン・パケット転送規則に変換し、ユーザ・プレーン・パケット転送規則をエッジ・アプリケーションに割り当てられているＵＥ及び第４ＵＧＷへ送って、エッジ・アプリケーションに割り当てられているＵＥ及び第４ＵＧＷが、第４ＵＧＷにおけるＵＥのためのアクセス・ポートとエッジ・アプリケーションのためのＵＧＷアクセス・ポートとの間の転送パスを確立するために、対応するパケット転送規則を構成するようにし、ＣＧＷは、更に、第１ＵＧＷにおけるＵＥのためのアクセス・ポートとエッジ・アプリケーションのためのＵＧＷアクセス・ポートとの間の転送パスを削除する
ことを含む。
【手続補正２４】
【補正対象書類名】明細書
【補正対象項目名】０１５６
【補正方法】変更
【補正の内容】
【０１５６】
Ｓ６０６．ＵＭＣユニットは、ゲートウェイＵＧＷ再選択要求メッセージをＣＧＷへ送り、ＵＧＷ再選択要求メッセージは、ＵＧＷ３のＩＰアドレスを運ぶ。
【手続補正２５】
【補正対象書類名】明細書
【補正対象項目名】０１５９
【補正方法】変更
【補正の内容】
【０１５９】
Ｓ６０９ａ．ＭＭＥは、ハンドオーバー（Handover）要求メッセージを対象ｅＮＢへ送り、ハンドオーバー要求メッセージは、ＵＧＷ３のＩＰアドレス及びＴＥＩＤを運ぶ。
【手続補正２６】
【補正対象書類名】明細書
【補正対象項目名】０１６８
【補正方法】変更
【補正の内容】
【０１６８】
Ｓ６１９．ＵＭＣユニットは、ＵＥのＩＰアドレスとＵＧＷとの間のマッピング関係を更新し、ＵＥに関連したサービス接続コンテキストをサービス接続記録から見つけ、ＵＥのためのＵＧＷスイッチング・プレーン上の転送パスを再計算する。
【手続補正２７】
【補正対象書類名】明細書
【補正対象項目名】０１７０
【補正方法】変更
【補正の内容】
【０１７０】
Ｓ６２１．ＣＧＷは、ＵＧＷパケット転送規則を更新し、ＵＧＷ３からＵＧＷ２への転送パスを確立し、ＵＧＷ１からＵＧＷ２への転送パスを削除する。
【手続補正２８】
【補正対象書類名】明細書
【補正対象項目名】０１７８
【補正方法】変更
【補正の内容】
【０１７８】
Ｓ７０４．クラウド・コントローラは、エッジ・クラウドのネットワーク・エグレス転送規則を構成し、エッジ・クラウドからＵＧＷ３へのアプリケーションの転送パスを確立する。パスは、ＩＰルーティング、Ｅｔｈｅｒｎｅｔスイッチング、トンネリング、及び同様のものであってよい。
【手続補正２９】
【補正対象書類名】明細書
【補正対象項目名】０１９３
【補正方法】変更
【補正の内容】
【０１９３】
Ｓ８２７．クラウド・コントローラは、エッジ・クラウドのネットワーク・エグレス転送規則を構成し、エッジ・クラウドからＵＧＷ２へのアプリケーションの転送パスを確立し、パスは、ＩＰルーティング、Ｅｔｈｅｒｎｅｔスイッチング、トンネリング、及び同様のものであってよい。
【手続補正３０】
【補正対象書類名】明細書
【補正対象項目名】０２０１
【補正方法】変更
【補正の内容】
【０２０１】
（１）ＵＭＣユニットが、ＭＭＥからＵＥモーション・イベント情報を知る。ＵＥモーション・イベント情報は、モーション・イベント・タイプ（アタッチメント、分離、ハンドオーバー、又はサービス要求）、現在アクセスされている基地局のＩＰアドレス、及びそもそもアクセスされていた基地局のＩＰアドレスを含む。
【手続補正３１】
【補正対象書類名】明細書
【補正対象項目名】０２０７
【補正方法】変更
【補正の内容】
【０２０７】
図１１Ａ乃至図１１ＣにおけるＳ６０６はＳ１００５に変更される。ＵＭＣユニットは、ゲートウェイＵＧＷ再選択要求メッセージをＭＭＥへ送り、ＵＧＷ再選択要求メッセージは、ＵＧＷ３のＩＰアドレスを運ぶ。
【手続補正３２】
【補正対象書類名】明細書
【補正対象項目名】０２１４
【補正方法】変更
【補正の内容】
【０２１４】
図１７Ａ乃至図１７Ｄに示される通信プロシージャにおけるＳ８０６は、この実施形態ではＳ１１０５に変更される。Ｓ１１０５で、ＵＭＣユニットは、ゲートウェイＵＧＷ再選択要求メッセージをＭＭＥへ送り、ＵＧＷ再選択要求メッセージは、選択されたＵＧＷのＩＰアドレスを運ぶ。
【手続補正３３】
【補正対象書類名】明細書
【補正対象項目名】０２１７
【補正方法】変更
【補正の内容】
【０２１７】
Ｓ１１１０は、図１７Ａ乃至図１７ＤにおけるＳ８１０乃至Ｓ８１７に対応する。Ｓ１１１０は、間接データ転送トンネル確立、ｅＮＢハンドオーバー、無線ベアラ確立、及びＧＴＰベアラ更新のプロシージャである。
【手続補正３４】
【補正対象書類名】明細書
【補正対象項目名】０２２２
【補正方法】変更
【補正の内容】
【０２２２】
図２４Ａ及び図２４Ｂは、本発明の実施形態に従って、ＵＥ及びエッジ・アプリケーションが最初にサービスを確立することの更なる他の略通信図を示す。
【手続補正３５】
【補正対象書類名】明細書
【補正対象項目名】０２３３
【補正方法】変更
【補正の内容】
【０２３３】
図２４Ａ及び図２４Ｂに示される方法において、ＵＥがアクセスするよう要求するエッジ・アプリケーションは、前もって開始されている。ＵＥがアタッチされるときに、ＵＥがアクセスするよう要求するアプリケーションがロードされていない場合には、ＵＭＣユニットは、図８Ａ及び図８Ｂ又は図９Ａ及び図９Ｂに示される解決法を使用することによって、ＵＥのためのエッジ・アプリケーションを自動的にロードすることができる。具体的なプロシージャは、図８Ａ及び図８Ｂ並びに図９Ａ及び図９Ｂに示されるプロシージャと同じであり、詳細については再度記載されない。
【手続補正３６】
【補正対象書類名】明細書
【補正対象項目名】０２４１
【補正方法】変更
【補正の内容】
【０２４１】
この実施形態において、ＵＥがエッジ・アプリケーションに接続した後にエッジ・アプリケーションのみが動くシナリオにおける協働型コミュニケーション方法は、図１４における方法と同じである。詳細については再度記載されない。
【手続補正３７】
【補正対象書類名】明細書
【補正対象項目名】０２４２
【補正方法】変更
【補正の内容】
【０２４２】
図２６Ａ乃至図２６Ｃは、本発明の実施形態に従って、ＵＥがエッジ・アプリケーションに接続した後にＵＥが動き、エッジ・アプリケーションが追随する協働型コミュニケーションの更なる他の略通信図を示す。図２６Ａ乃至２６Ｃに示される方法は、図２２Ａ乃至図２２Ｃに示される方法と類似し、図２２Ａ乃至図２２Ｃに示されるプロシージャからの相違点は、次を含む。
【手続補正３８】
【補正対象書類名】明細書
【補正対象項目名】０２５０
【補正方法】変更
【補正の内容】
【０２５０】
図２７は、本発明の実施形態に従う更なる他の可能なシステム・アーキテクチャの図を示す。図２７から明らかなように、ＵＭＣユニットは、ｉｆ２インターフェイスを使用することによってＣＧＷへ接続される。前述の実施形態からの相違点は、ＵＭＣユニットがコントロール・プレーンを使用することによってエッジ・アプリケーションの位置情報を取得することができず、且つ、エッジ・アプリケーションの移動を開始することができない点にある。このシナリオにおいて、ＵＭＣユニットは、サービス連続性を保つために、ＵＧＷに対する転送規則を更新するよう、エッジ・アプリケーションによって送信されたパケットに基づきエッジ・アプリケーションの位置変更を決定してよい。図２７に示されるシステム・アーキテクチャにおいて、図５、図１９、又は図２３に示されるシステム・アーキテクチャと同じか又は類似する内容については、図５、図１９、又は図２３に関連した詳細な記載を参照されたい。詳細はここでは記載されない。
【手続補正３９】
【補正対象書類名】明細書
【補正対象項目名】０２５３
【補正方法】変更
【補正の内容】
【０２５３】
（２）ＵＭＣユニットが、ＣＧＷからＵＥモーション・イベント情報を知る。ＵＥモーション・イベント情報は、モーション・イベント・タイプ（例えば、アタッチメント、分離、ハンドオーバー、又はサービス要求）、現在アクセスされている基地局のＩＰアドレス、及びそもそもアクセスされていた基地局のＩＰアドレスを含む。
【手続補正４０】
【補正対象書類名】明細書
【補正対象項目名】０２５６
【補正方法】変更
【補正の内容】
【０２５６】
（５）ＣＧＷが、ＵＭＣユニットに、エッジ・アプリケーションのマイグレーション・イベントを通知する。マイグレーション・イベントは、エッジ・アプリケーションの位置変更に主に関係がある。具体的なパラメータは、エッジ・アプリケーションのＩＰアドレスと、エッジ・アプリケーションからパケットを受信するＵＧＷのＩＰアドレスとを含む。
【手続補正４１】
【補正対象書類名】明細書
【補正対象項目名】０２５９
【補正方法】変更
【補正の内容】
【０２５９】
Ｓ１５０２．ＣＧＷが、予めセットされた規則に基づき、新しいエッジ・アプリケーションがアクセスを実行すると決定する場合に、ＣＧＷは、エッジ・アプリケーションがアクセスを実行することを示す通知メッセージをＵＭＣユニットへ送り、通知メッセージは、エッジ・アプリケーションのＩＰアドレスと、データ・フローを受信するＵＧＷのポートＩＰアドレスとを伝える。
【手続補正４２】
【補正対象書類名】明細書
【補正対象項目名】０２６５
【補正方法】変更
【補正の内容】
【０２６５】
Ｓ１６０３．ＣＧＷが、予め設定された規則に基づき、エッジ・アプリケーションの位置が変化すると決定する場合に、ＣＧＷは、エッジ・アプリケーションが動くことを示す通知メッセージをＵＭＣユニットへ送る。通知メッセージは、エッジ・アプリケーションのＩＰアドレスと、データ・フローとを受信するＵＧＷのポートＩＰアドレスとを伝える。
【手続補正４３】
【補正対象書類名】明細書
【補正対象項目名】０２７１
【補正方法】変更
【補正の内容】
【０２７１】
シグナリング・プロシージャについては、ｉｆ３インターフェイスが可視的でなく、ｉｆ２インターフェイスがＳ１１インターフェイスと組み合わされるところの図２０Ａ乃至図２２Ｃに示される解決法を参照されたい。
【手続補正４４】
【補正対象書類名】明細書
【補正対象項目名】０２７６
【補正方法】変更
【補正の内容】
【０２７６】
一体化されたモジュールが使用される場合に、図３３Ａは、前述の実施形態におけるＵＭＣユニットの可能な構造の概略図を示す。ＵＭＣユニット３３００は、処理モジュール３３０２及び通信モジュール３３０３を含む。処理モジュール３３０２は、ＵＭＣユニット３３００の動作を制御及び管理するよう構成される。例えば、処理モジュール３３０２は、図３におけるモバイル協働型コミュニケーション方法、図４におけるモバイル協働型コミュニケーション方法、図７Ａ及び図７Ｂにおける、ＵＥ及びエッジ・アプリケーションが最初にサービスを確立する通信プロセス、図８Ａ及び図８Ｂ並びに図９Ａ及び図９Ｂにおける、ＵＥがアクセスする必要があるエッジ・アプリケーションをパースする方法での通信プロセス、図１１Ａ乃至図１１Ｃにおける、ＵＥがエッジ・アプリケーションに接続した後にＵＥのみが動く協働型コミュニケーションの通信プロセス、図１４における、ＵＥがエッジ・アプリケーションに接続した後にエッジ・アプリケーションのみが動く協働型コミュニケーションの通信プロセス、図１７Ａ乃至図１７Ｄにおける、ＵＥが動き、エッジ・アプリケーションが追随する協働型コミュニケーションの通信プロセス、図２０Ａ及び図２０Ｂにおける、ＵＥ及びエッジ・アプリケーションが最初にサービスを確立する通信プロセス、図２１Ａ乃至図２１Ｃにおける、ＵＥがエッジ・アプリケーションに接続した後にＵＥのみが動く協働型コミュニケーションの通信プロセス、図２２Ａ乃至図２２Ｃにおける、ＵＥがエッジ・アプリケーションに接続した後にＵＥが動き、エッジ・アプリケーションが追随する協働型コミュニケーションの通信プロセス、図２４Ａ及び図２４Ｂにおける、ＵＥ及びエッジ・アプリケーションが最初にサービスを確立する通信プロセス、図２５Ａ乃至２５Ｃにおける、ＵＥがエッジ・アプリケーションに接続した後にＵＥのみが動く協働型コミュニケーションの通信プロセス、図２６Ａ乃至図２６Ｃにおける、ＵＥがエッジ・アプリケーションに接続した後にＵＥが動き、エッジ・アプリケーションが追随する協働型コミュニケーションの通信プロセス、図２８Ａ及び図２８Ｂにおける、ＵＥ及びエッジ・アプリケーションが最初にサービスを確立する通信プロセス、及び／又は本明細書で記載される技術の他のプロセスを実行することにおいてＵＭＣユニット３３００をサポートするよう構成される。通信モジュール３３０３は、ＵＧＷ、ＭＭＥ、ＣＧＷ、クラウド・コントローラ、及び同様のものとの通信のような、ＵＭＣユニット３３００と他のネットワーク・エンティティとの間の通信をサポートするよう構成される。ＵＭＣユニット３３００は、ＵＭＣユニットのプログラム・コード及びデータを記憶するよう構成された記憶モジュール３３０１を更に含んでよい。
【手続補正４５】
【補正対象書類名】明細書
【補正対象項目名】０２７７
【補正方法】変更
【補正の内容】
【０２７７】
処理モジュール３３０２は、中央演算処理装置（Central  Processing  Unit，略してＣＰＵ）、汎用プロセッサ、デジタル信号プロセッサ（Digital  Signal  Processor，略してＤＳＰ）、特定用途向け集積回路（Application-Specific  Integrated  Circuit，略してＡＳＩＣ）、フィールド・プログラマブル・ゲート・アレイ（Field  Programmable  Gate  Array，略してＦＰＧＡ）若しくは他のプログラム可能な論理デバイス、トランジスタ論理デバイス、ハードウェア部品、又はそれらのあらゆる組み合わせのような、プロセッサ又はコントローラであってよい。処理モジュール３３０２は、本発明における開示されている内容を参照して記載される様々な実例となる論理ブロック、モジュール、及び回路を実装又は実行することができる。プロセッサはまた、１つ以上のマイクロプロセッサの組み合わせ、ＤＳＰとマイクロプロセッサとの組み合わせ、及び同様のもののような、コンピューティング機能の組み合わせであってもよい。通信モジュール３３０３は、トランシーバ、トランシーバ回路、通信インターフェイス、又は同様のものであってよい。記憶モジュール３３０１は、メモリであってよい。
【手続補正４６】
【補正対象書類名】明細書
【補正対象項目名】０２７８
【補正方法】変更
【補正の内容】
【０２７８】
処理モジュール３３０２がプロセッサであり、通信モジュール３３０３がトランシーバであり、記憶モジュール３３０１がメモリであるときに、本発明の実施形態におけるＵＭＣユニットは、図３３Ｂに示されるＵＭＣユニットであってよい。図３３Ｂは、前述の実施形態におけるＵＭＣユニットの他の可能な構造の概略図を示す。
【手続補正４７】
【補正対象書類名】明細書
【補正対象項目名】０２７９
【補正方法】変更
【補正の内容】
【０２７９】
図３３Ｂに示されるように、ＵＭＣユニット３３１０は、プロセッサ３３１２、トランシーバ３３１３、及びメモリ３３１１を含む。任意に、ＵＭＣユニット３３１０は、バス１０１４を更に含んでよい。トランシーバ３３１３、プロセッサ３３１２、及びメモリ３３１１は、バス３３１４を使用することによって相互接続される。バス３３１４は、ペリフェラル・コンポーネント・インターコネクト（Peripheral  Component  Interconnect，略してＰＣＩ）バス、拡張業界標準アーキテクチャ（Extended  Industry  Standard  Architecture  bus，略してＥＩＳＡ）バス、又は同様のものであってよい。バス３３１４は、アドレス・バス、データ・バス、コントロール・バス、及び同様のものに分類され得る。表現の簡単のために、１つの太線しか、図３３Ｂではバスを表すために使用されないが、これは、ただ１つのバス又はただ１つの種類のバスしか存在しないことを意味するものではない。
【国際調査報告】
2019511177.tif 000056
2019511177.tif 000057
2019511177.tif 000058
2019511177.tif 000059